(57)【要約】      （修正有）【課題】水洗水内の常備洗浄剤の人間及び動物への暴露を最小限にし、優れた洗浄能力を有するトイレアセンブリを提供する。【解決手段】アクチュエータフィーチャ４の起動時に、制御システム１０００が、供給管７９から、リム入口ポート２８への流体の供給のために構成された閉位置における水洗弁８０の内部空間へと液体洗浄剤９の投与量を供給するのに十分な第１の期間に流量制御装置６６ａを動作させること、及び便器内にリム入口ポートを介して液体洗浄剤の投与量を運ぶために少なくとも約３リットル以上の水洗水を導入するために水洗弁を開放するように水洗弁を動作させることによって洗浄サイクルを開始するようになされている洗浄システムを備えるトイレアセンブリ。【選択図】図１
2020079551.tif 000002
【特許請求の範囲】
【請求項１】
洗浄システムを有するトイレアセンブリであって、
（ａ）内部空間を画定する便器と、
タンク内部を画定するトイレタンクと、
水洗弁と、
リム入口ポートと、
前記便器の前記リム入口ポートに流体を供給するように構成された前記水洗弁の出口か
ら前記リム入口ポートまで延在する分離されたリム流路と
を備えるトイレアセンブリと、
（ｂ）内部空間を画定する本体を有し且つ前記容器本体の前記内部空間と流体連通する
出口ポートを有する液体洗浄剤を保持するための容器と、
前記容器を受け入れるように構成されたハウジングと、
前記容器の内部と流体連通し且つ前記容器内から流体を受け入れるための第１の端部を
有する供給管と、
前記供給管を通る流れを制御可能な流量制御装置と、
アクチュエータフィーチャによって起動可能な制御システムと
を備え、前記アクチュエータフィーチャの起動時に、前記制御システムが、
前記供給管から、前記リム入口ポートへの流体の供給のために構成された閉位置におけ
る前記水洗弁の内部空間へと液体洗浄剤の投与量を供給するのに十分な第１の期間に前記
流量制御装置を動作させること、及び
前記便器内に前記リム入口ポートを介して液体洗浄剤の前記投与量を運ぶために少なく
とも約３リットル以上の水洗水を導入するために前記水洗弁を開放するように前記水洗弁
を動作させること
によって洗浄サイクルを開始するようになされている、洗浄システムとを備えるトイレア
センブリ。
【請求項２】
前記容器内から混入した空気及び／又は液体を受け入れるように位置する第１の端部と
、前記容器内の完全液位の高さの少なくとも上方に配置された第２の開放端部とを有する
ように構成された、前記容器の前記内部と流体連通する通気管をさらに備える、請求項１
に記載のトイレアセンブリ。
【請求項３】
前記制御システムが、前記リム入口ポートを介して前記便器内へと液体洗浄剤の前記投
与量及び水洗水を供給した後に、前記水洗弁を少なくとも部分的に閉じるように動作する
、請求項１に記載のトイレアセンブリ。
【請求項４】
前記制御システムが、第２の期間にわたって液体洗浄剤の前記投与量及び水洗水を供給
するように前記水洗弁を動作させる、請求項３に記載のトイレアセンブリ。
【請求項５】
前記容器本体が出口部を有し、前記出口ポートが前記出口部に配置されている、請求項
１に記載のトイレアセンブリ。
【請求項６】
前記ハウジングが前記容器の前記出口部を受け入れるように構成された座部を有する、
請求項５に記載のトイレアセンブリ。
【請求項７】
前記容器の前記出口部がシール係合して前記ハウジングの前記座部内に嵌合するように
少なくとも１つの周辺シールをさらに備える、請求項６に記載のトイレアセンブリ。
【請求項８】
前記容器内から混入した空気及び／又は液体を受け入れるように位置する第１の端部と
、前記容器内の完全液位の高さの少なくとも上方に配置された第２の開放端部とを有する
ように構成された、前記容器の前記内部と流体連通する通気管を有する、請求項６に記載
のトイレアセンブリ。
【請求項９】
前記アセンブリが、中を通る通路を画定し且つ上方に延在する第１の端部及び第２の端
部を有するチューブをさらに備え、前記第１の端部が前記チューブ内の前記通路を通って
前記容器の前記内部空間から前記供給管の前記第１の端部内へと流体を導くためのもので
あり、前記チューブが前記座部に配置されている、請求項６に記載のトイレアセンブリ。
【請求項１０】
前記容器内から混入した空気及び／又は液体を受け入れるように位置する第１の端部と
、前記容器内の完全液位の高さの少なくとも上方に配置された第２の開放端部とを有する
ように構成された、前記容器の前記内部と流体連通する通気管を有し、前記座部が、前記
通気管の前記第１の端部を受け入れるための第１の開口と、前記供給管の前記第１の端部
を受け入れるための第２の開口とを備える、請求項９に記載のトイレアセンブリ。
【請求項１１】
前記チューブの第１の端部が尖っている、請求項９に記載のトイレアセンブリ。
【請求項１２】
前記容器が前記ハウジング内に位置するときに前記供給管の前記第１の端部が前記チュ
ーブの前記第２の端部内に位置する、請求項９に記載のトイレアセンブリ。
【請求項１３】
前記容器の前記出口部が前記シートの前記座部にあるときに前記チューブが前記容器の
前記出口ポートを通って且つ前記容器の前記出口部内の上方に延在するように、前記チュ
ーブが前記座部内に位置する、請求項９に記載のトイレアセンブリ。
【請求項１４】
前記チューブが、前記チューブの前記上方に延在する端部に入る流体が前記出口部の底
部領域内に流入するように中を通って延在する少なくとも１つの側方開口を備える、請求
項９に記載のトイレアセンブリ。
【請求項１５】
前記出口ポートが、前記チューブの前記上方に延在する端部又は液体供給弁フィッティ
ングによって貫通可能な脆弱シールを有し、前記容器が完全に前記ハウジング内に着座し
ているときに前記出口部の前記底部領域が前記脆弱シールの下方の領域として画定され、
前記チューブの前記上方に延在する端部又は前記液体供給弁フィッティングが、前記容器
が前記ハウジング内に完全に着座しているときに前記脆弱シールを通過する、請求項１４
に記載のトイレアセンブリ。
【請求項１６】
前記流量制御装置が、機械弁、蠕動ポンプ、ピストンポンプ、歯車ポンプ及びギアモー
タのうちの１つである、請求項１に記載のトイレアセンブリ。
【請求項１７】
前記容器の前記出口ポートが脆弱カバーによって覆われている、請求項１に記載のトイ
レアセンブリ。
【請求項１８】
前記脆弱カバーが、箔、隔膜、ポリマー裏材を有する箔又は膜を含む、請求項１７に記
載のトイレアセンブリ。
【請求項１９】
前記流量制御装置を動作させるために前記制御システムによって起動可能なギアモータ
をさらに備える、請求項１に記載のトイレアセンブリ。
【請求項２０】
上面を有し且つ前記タンクの上部に着座しているように構成されたタンク蓋をさらに備
え、前記タンク蓋の前記上面が、前記ハウジングを受け入れるように構成されており、前
記ハウジングの座部を受け入れるように構成された領域を含む、請求項１に記載のトイレ
アセンブリ。
【請求項２１】
前記タンク蓋が、ロック機構を受け入れるように構成された、中を通って延在する少な
くとも１つの開口をさらに備える、請求項２０に記載のトイレアセンブリ。
【請求項２２】
前記ロック機構が、第１の端部及び第２の端部を有する少なくとも１つのロック本体を
備え、前記第２の端部が前記少なくとも１つの開口を通って延在するためのものであり、
前記ロック機構が、前記タンク蓋を固定するために前記ロック機構を解放可能にロックす
るために前記ロック本体の前記第１の端部にロックキャップをさらに備える、請求項２１
に記載のトイレアセンブリ。
【請求項２３】
前記タンク蓋及び前記ハウジング上に配置されるように構成されたカバーをさらに有し
、その上にアクチュエータボタンを有するパネルにアクセスするためにその中に開口を有
する、請求項２１に記載のトイレアセンブリ。
【請求項２４】
前記タンク蓋が、リフトアームアクチュエータギアモータによって駆動される少なくと
も１つのギアを含むリフトアームアクチュエータアセンブリの少なくとも一部の拡張を可
能とするために中を通って延在するアクチュエータ開口をさらに備え、前記少なくとも１
つのギアが、リフトアームを移動させて前記リム水洗弁を制御可能に開放するために前記
リフトアームに係合可能であり、前記リフトアームが、直接的又は間接的なリンクを介し
て前記水洗弁に動作可能に接続している、請求項２２に記載のトイレアセンブリ。
【請求項２５】
前記リフトアームがまた、水洗ハンドルと動作可能に接続しており、前記水洗ハンドル
及び前記リフトアームが、前記水洗ハンドルが押されたときに従来の水洗サイクル中に前
記水洗弁を動作させるように接続されており、前記リフトアームアクチュエータアセンブ
リが、前記リフトアームアクチュエータギアモータ及び前記少なくとも１つのギアの動作
によって前記水洗ハンドルを押すことなく前記水洗弁を動作させるように配置されている
、請求項２４に記載のトイレアセンブリ。
【請求項２６】
前記容器及び前記ハウジングを保持するように構成された下部トレイと上蓋とをさらに
備え、前記上蓋が標準的なタンクカバーの代わりに存在し且つ前記下部トレイが前記水洗
弁の上方の前記タンクの内部に存在するように、前記下部トレイ及び前記上蓋が前記トイ
レタンクの上部に配置されるように構成されている、請求項１に記載のトイレアセンブリ
。
【請求項２７】
前記アクチュエータフィーチャに応じて前記水洗弁を制御可能に開放するための水洗弁
動作機構をさらに備える、請求項１に記載のトイレアセンブリ。
【請求項２８】
前記弁動作機構が、前記水洗弁の弁本体の周りに着座したフラッパリフト機構に接続さ
れたリンクと連通するリフトロッドを備え、前記リフトロッドが前記ギアモータによって
機械的に駆動され、前記ギアモータが接触時に前記リフトロッドを移動させるためのカム
機構によって機械的に動作する、請求項２７に記載のトイレアセンブリ。
【請求項２９】
前記弁動作機構が、リフトアームアクチュエータギアモータによって駆動される少なく
とも１つのギアを備えるリフトアームアクチュエータアセンブリを備え、前記リフトアー
ムアクチュエータアセンブリの前記少なくとも１つのギアが、リフトアームが前記リム水
洗弁を制御可能に開放することができるように前記リフトアームアクチュエータアセンブ
リにおける前記リフトアームの一部を移動させるように前記リフトアームアクチュエータ
アセンブリに係合可能であり、前記リフトアームが、直接的又は間接的なリンクを介して
前記リム水洗弁に動作可能に接続している、請求項２７に記載のトイレアセンブリ。
【請求項３０】
前記制御システムが、液体洗浄剤の前記投与量と前記水洗水を供給した後に前記水洗弁
を少なくとも部分的に閉じるように、且つ前記洗浄サイクルの終了において少なくとも約
３リットルの新たな水洗水によって便器の内部をパージするために第３の期間の後に前記
水洗弁を再度開放するようにさらになされている、請求項１に記載のトイレアセンブリ。
【請求項３１】
前記水洗弁がリム水洗弁であり、前記トイレが、直接供給噴射部、噴射水洗弁及び別個
の噴射流路をさらに備え、前記制御システムが、前記リムチャネルが前記便器をパージす
るために水洗水を導入するために再開放するのとほぼ同時に少なくとも約１．０リットル
の水洗水を前記噴射流路に放出するために前記噴射水洗弁を開放するように動作する、請
求項３０に記載のトイレアセンブリ。
【請求項３２】
前記容器の前記出口ポートと流体連通し且つ前記供給管と流体連通して位置するように
配置された液体供給弁をさらに備える、請求項１に記載のトイレアセンブリ。
【請求項３３】
前記容器本体が出口部を有し、前記出口ポートが前記出口部に配置されており、前記容
器が前記ハウジング内に着座しているときに前記ハウジングが前記容器の前記出口部を受
け入れるように構成された座部を有し、前記流体供給弁が中を通る弁通路を画定し、前記
液体供給弁が、前記弁通路を通って且つ前記供給管の前記第１の端部へと前記容器の前記
内部空間から流体を導くための第１の上端部を有し、前記液体供給弁が第２の端部を有す
る、請求項３２に記載のトイレアセンブリ。
【請求項３４】
前記供給管の前記第１の端部に前記液体供給弁の前記第２の端部を接続するための前記
液体供給弁の前記第２の端部と連通する弁フィッティングをさらに備える、請求項３３に
記載のトイレアセンブリ。
【請求項３５】
前記液体供給弁が、傘弁、ダックビル弁、ばね式弁、回転弁、通気弾性弁及びフラップ
弾性弁のうちの１つである、請求項３４に記載のトイレアセンブリ。
【請求項３６】
前記液体供給弁が、第１の機械弁及び第２の機械弁を備え、前記アセンブリが、前記容
器の前記内部空間内からの液体洗浄剤の投与量を保持するように構成された投与チャンバ
をさらに備え、前記投与チャンバが、内部空間を画定し、入口ポートを有し且つ出口ポー
トを有し、前記投与チャンバの前記入口ポートが前記第１の機械弁の出口ポートと流体連
通し、前記投与チャンバの前記出口ポートが第２の機械弁の入口と流体連通し、前記第２
の機械弁の出口が供給管の第１の端部と流体連通する、請求項３２に記載のトイレアセン
ブリ。
【請求項３７】
トイレアセンブリが、直接供給噴射部をさらに含み、前記水洗弁がリム水洗弁であり、
トイレアセンブリが、トイレにおいて直接供給噴射部に水洗水を導入するように動作可能
な第２の水洗弁をさらに備える、請求項１に記載のトイレによって使用するためのトイレ
アセンブリ。
【請求項３８】
前記リム水洗弁用の前記流体経路及び前記噴射水洗弁が互いに分離されており、前記噴
射水洗弁が水洗サイクルの前後において準備状態のままである、請求項３７に記載のトイ
レアセンブリ。
【請求項３９】
前記供給管の前記第２の端部が前記リム水洗弁に接続されたオーバーフロー管の内部に
流体を供給するように配置されている、請求項３８に記載のトイレアセンブリ。
【請求項４０】
前記アクチュエータフィーチャが、上蓋の下方に配置されたボタンであり、前記上蓋の
開口を介してアクセス可能である、請求項１に記載のトイレアセンブリ。
【請求項４１】
洗浄システムによってトイレアセンブリにおけるトイレを定期的に洗浄するための方法
であって、
請求項１に記載のトイレアセンブリを提供することと、
前記洗浄サイクルを開始するために前記アクチュエータフィーチャによって前記制御シ
ステムを起動することと、
前記流量制御装置を動作させ、前記供給管から閉位置における水洗弁の内部空間へと液
体洗浄剤の投与量を供給するのに十分な第１の期間に前記流量制御装置を開放することと
、
前記水洗弁を開放するように前記水洗弁を動作させ、前記リム入口ポートを介して且つ
前記便器内へと液体洗浄剤の前記投与量とともに少なくとも約３リットルの水洗水を導入
することとを含む方法。
【請求項４２】
前記トイレアセンブリが、直接供給噴射部をさらに含み、前記水洗弁がリム水洗弁であ
り、前記トイレアセンブリが、前記トイレにおいて前記直接供給噴射部に水洗水を導入す
るように動作可能な第２の水洗弁をさらに備える、請求項４１に記載の方法。
【請求項４３】
前記リム水洗弁用の前記流体経路が前記噴射水洗弁から分離されており、前記噴射水洗
弁が水洗サイクル前後において準備状態のままである、請求項４２に記載の方法。
【請求項４４】
前記制御システムが、第２の期間にわたって前記水洗水及び液体洗浄剤の前記投与量を
導入するように動作し、方法が、液体洗浄剤の前記投与量とともに前記水洗水を導入した
後に前記水洗弁を少なくとも部分的に閉じるように前記水洗弁を動作させることと、前記
洗浄サイクルの終了において新たな水洗水によって便器の内部をパージするために第３の
期間の後に前記水洗弁を再度開放するように前記水洗弁を動作させることとをさらに含む
、請求項４３に記載の方法。
【請求項４５】
トイレアセンブリによって使用するための洗浄システムであって、
内部空間を画定する本体を有し且つ前記容器本体の前記内部空間と流体連通する出口ポ
ートを有する液体洗浄剤を保持するための容器と、
前記容器を受け入れるように構成されたハウジングと、
前記容器の内部と流体連通し且つ前記容器内から流体を受け入れるための第１の端部を
有する供給管と、
前記供給管を通る流れを制御可能な流量制御装置と、
アクチュエータフィーチャによって起動可能な制御システムとを備え、前記アクチュエ
ータフィーチャの起動時に、前記制御システムが、
前記供給管から、便器のリム入口ポートへの流体の供給のために構成された閉じられた
水洗弁の内部空間へと液体洗浄剤の投与量を供給するのに十分な第１の期間に前記流量制
御装置を動作させること、及び
便器のリム入口ポート内へと液体洗浄剤の前記投与量とともに水洗水を導入するために
前記水洗弁を開放するように前記水洗弁を動作させること
によって洗浄サイクルを開始するようになされている、洗浄システム。
【請求項４６】
前記制御システムが、第２の期間にわたって水洗水及び液体洗浄剤を導入し、さらに、
前記水洗水及び液体洗浄剤の前記投与量を供給した後に前記水洗弁を少なくとも部分的に
閉じるように動作する、請求項４５に記載のトイレによって使用するための洗浄システム
。
【請求項４７】
前記容器本体が出口部を有し、前記出口ポートが前記出口部に配置されている、請求項
４５に記載のトイレによって使用するための洗浄システム。
【請求項４８】
前記ハウジングが、前記容器の前記出口部を受け入れるように構成された座部を有する
、請求項４５に記載のトイレによって使用するための洗浄システム。
【請求項４９】
前記容器の前記出口部がシール係合して前記ハウジングの前記座部内に嵌合するように
少なくとも１つの周辺シールをさらに備える、請求項４８に記載のトイレによって使用す
るための洗浄システム。
【請求項５０】
前記容器の前記出口ポートが、チューブの前記上方に延在する端部又は液体供給弁フィ
ッティングによって貫通可能な脆弱シールを有し、前記容器が前記ハウジング内に完全に
着座しているときに前記出口部の前記底部領域が前記脆弱シールの下方の領域として画定
され、前記チューブの上方に延在する端部又は前記液体供給弁フィッティングが、前記容
器が完全に前記ハウジング内に着座しているときに前記脆弱シールを通過する、請求項４
５に記載のトイレによって使用するための洗浄システム。
【請求項５１】
前記流量制御装置が、機械弁、蠕動ポンプ、ピストンポンプ、歯車ポンプ及びギアモー
タのうちの１つである、請求項４５に記載のトイレによって使用するための洗浄システム
。
【請求項５２】
前記流量制御装置が、前記流量制御装置を動作させるために前記制御システムによって
起動可能なギアモータを備える、請求項５１に記載のトイレによって使用するための洗浄
システム。
【請求項５３】
前記容器の前記出口ポートが脆弱カバーによって覆われている、請求項４５に記載のト
イレによって使用するための洗浄システム。
【請求項５４】
前記脆弱カバーが、箔、隔膜又は膜を含む、請求項５３に記載のトイレによって使用す
るための洗浄システム。
【請求項５５】
リフトアームアクチュエータギアモータによって駆動される少なくとも１つのギアを備
えるリフトアームアクチュエータアセンブリを備え、前記少なくとも１つのギアが、前記
リフトアームアセンブリにおけるリフトアームを移動させて前記リフトアームが前記水洗
弁を制御可能に開放するために前記リフトアームアクチュエータアセンブリに係合可能で
あり、前記リフトアームが、直接的又は間接的なリンクを介して前記水洗弁に動作可能に
接続している、請求項４５に記載のトイレによって使用するための洗浄システム。
【請求項５６】
前記ギアモータを包囲し前記少なくとも１つのギアを取り付けるためのギアモータハウ
ジングをさらに備え、前記ギアモータハウジングが、トイレタンク内に配置されるように
且つ前記容器用の前記ハウジングにおける少なくとも１つの開口を介して上方に延在する
ように構成されている、請求項５５に記載のトイレによって使用するための洗浄システム
。
【請求項５７】
前記ハウジングが、前記容器ハウジングに対して又は前記容器及び前記容器ハウジング
を保持するように構成されたトレイに対して前記ギアモータハウジングを固定するための
取り付けフランジを有する、請求項５６に記載のトイレによって使用するための洗浄シス
テム。
【請求項５８】
前記容器及び前記ハウジングを保持するように構成された下部トレイと上蓋とをさらに
備え、前記上蓋が従来のタンクカバーの代わりに存在し且つ前記下部トレイがトイレ水洗
弁の上方のトイレタンクの内部内に存在するように、前記下部トレイ及び前記上蓋がトイ
レタンクの上部に配置されるように構成されている、請求項４５に記載のトイレによって
使用するための洗浄システム。
【請求項５９】
前記制御システムが、液体洗浄剤の前記投与量を供給した後に前記水洗弁を少なくとも
部分的に閉じるように、且つ前記洗浄サイクルの終了において新たな水洗水によって便器
の内部をパージするために第３の期間の後に前記水洗弁を再度開放するようにさらになさ
れている、請求項４５に記載のトイレによって使用するための洗浄システム。
【請求項６０】
洗浄システムを有するトイレアセンブリであって、
（ａ）内部空間を画定する便器と、
タンク内部を画定するトイレタンクと、
水洗弁と、
前記水洗弁の出口から少なくとも１つのリム出口ポートまで延在するリム流路を介して
前記便器の内部と流体連通するリムとを備え、前記水洗弁が前記少なくとも１つのリム出
口ポートに流体を供給するように構成されており、
前記水洗弁が水洗作動モードで動作するように構成されており、前記水洗弁が、前記ト
イレアセンブリが水洗サイフォンを開始するのに十分な水洗水の流れを提供する又はウォ
ッシュダウン水洗を提供して洗浄作動モードで動作することが可能であり、前記水洗弁が
、サイフォンを開始するには不十分であるが前記便器を洗浄するためには十分である洗浄
剤及び水洗水の混合物の前記便器への導入を可能とするために部分的にのみ開放される、
トイレアセンブリと、
（ｂ）内部空間を画定する本体を有し且つ前記容器本体の前記内部空間と流体連通する
出口ポートを有する液体洗浄剤を保持するための容器と、
前記容器を受け入れるように構成されたハウジングと、
前記容器の内部と流体連通し且つ前記容器内から流体を受け入れるための第１の端部を
有する供給管と、
前記供給管を通る流れを制御可能な流量制御装置と、
アクチュエータフィーチャによって起動可能な制御システムとを備える洗浄システムと
を備え、前記アクチュエータフィーチャの起動時に、前記制御システムが、
前記容器から１つ以上のリム出口へと液体洗浄剤の投与量を供給するのに十分な第１の
期間に前記流量制御装置を動作させること、及び
サイフォンを開始するには不十分であるが前記便器を洗浄するには十分な流量で、前記
便器内に前記少なくとも１つのリム出口ポートを介して液体洗浄剤の前記投与量を運ぶた
めに水洗水を導入するために前記水洗弁を開放するように洗浄作動モードで前記水洗弁を
動作させること
によって洗浄サイクルを開始するようになされている、トイレアセンブリ。
【請求項６１】
前記水洗弁が、通常水洗モード中に前記水洗弁を通る流量よりも前記洗浄作動モードで
約２０％から約８０％遅い流量で水洗水を導入する、請求項６０に記載のトイレアセンブ
リ。
【請求項６２】
前記水洗弁が、前記通常水洗モード中に前記水洗弁を通る前記流量よりも前記洗浄作動
モードで約４０％から約６０％遅い流量で水洗水を導入する、請求項６１に記載のトイレ
アセンブリ。
【請求項６３】
前記水洗水が約２秒から約３０秒の期間にわたって水洗作動モードで前記弁に入る、請
求項６１に記載のトイレアセンブリ。
【請求項６４】
前記水洗水及び洗浄剤が前記便器内に導入され、前記便器を洗浄するための約３０秒か
ら約３０分の滞留時間を有する、請求項６３に記載のトイレアセンブリ。
【請求項６５】
前記便器が、直接供給噴射サイフォン重力動力便器である、請求項６０に記載のトイレ
アセンブリ。
【請求項６６】
前記便器が、非噴射サイフォン重力動力便器である、請求項６０に記載のトイレアセン
ブリ。
【請求項６７】
前記便器が、リム噴射サイフォン重力動力便器である、請求項６０に記載のトイレアセ
ンブリ。
【請求項６８】
前記便器が、重力動力ウォッシュダウン便器である、請求項６０に記載のトイレアセン
ブリ。
【請求項６９】
前記水洗弁が、前記洗浄作動モード中に前記弁を開放するのに使用するための弁カバー
におけるポペットフィーチャを有するフラッパ型水洗弁である、請求項６０に記載のトイ
レアセンブリ。
【請求項７０】
前記水洗弁が、前記洗浄作動モード中に前記弁を開放するのに使用するためのフック及
びキャッチフィーチャを有するフラッパ型水洗弁である、請求項６０に記載のトイレアセ
ンブリ。
【請求項７１】
前記水洗弁がポペット型水洗弁であり、ポペット型弁カバーが通常水洗モードで前記水
洗弁を開放し、前記水洗弁が前記洗浄作動モード中に前記弁を開放するのに使用するため
のカバーをその上に有するサイドポートを有する、請求項６０に記載のトイレアセンブリ
。
【請求項７２】
洗浄システムによってトイレアセンブリにおけるトイレを定期的に洗浄するための方法
であって、
請求項６０に記載のトイレアセンブリを提供することと、
前記洗浄サイクルを開始するために前記アクチュエータフィーチャによって前記制御シ
ステムを起動することと、
前記流量制御装置を動作させ、前記供給管から閉位置における水洗弁の内部空間へと液
体洗浄剤の少なくとも１つの投与量を供給するのに十分な第１の期間に前記流量制御装置
を開放することと、
前記水洗弁を開放するように前記水洗弁を動作させて、サイフォンを開始するには不十
分であるがトイレアセンブリにおける便器を洗浄するには十分な流量で前記少なくとも１
つのリム出口ポートを介して且つ前記便器内へと液体洗浄剤の前記少なくとも１つの投与
量とともに水洗水を導入することとを含む方法。
【請求項７３】
トイレアセンブリによって使用するための洗浄システムであって、
内部空間を画定する本体を有し且つ前記容器本体の前記内部空間と流体連通する出口ポ
ートを有する液体洗浄剤を保持するための容器と、
前記容器を受け入れるように構成されたハウジングと、
前記容器の内部と流体連通し且つ前記容器内から流体を受け入れるための第１の端部を
有する供給管と、
前記供給管を通る流れを制御可能な流量制御装置と、
アクチュエータフィーチャによって起動可能な制御システムとを備え、前記アクチュエ
ータフィーチャの起動時に、前記制御システムが、
前記容器からトイレアセンブリの１つ以上のリム出口へと液体洗浄剤の投与量を供給す
るのに十分な第１の期間に前記流量制御装置を動作させこと、及び
サイフォンを開始するには不十分であるがトイレアセンブリにおける便器を洗浄するに
は十分な流量で、トイレアセンブリの便器内にトイレアセンブリの少なくとも１つのリム
出口ポートを介して液体洗浄剤の前記投与量を運ぶために水洗水を導入するためにトイレ
アセンブリにおける水洗弁を開放するように洗浄作動モードでトイレアセンブリにおける
前記水洗弁を動作させること
によって洗浄サイクルを開始するようになされている、洗浄システム。
【請求項７４】
前記洗浄システムが、非噴射サイフォン重力動力便器に使用するためのものである、請
求項７３に記載の洗浄システム。
【請求項７５】
前記洗浄システムが、リム噴射サイフォン重力動力便器に使用するためのものである、
請求項７３に記載の洗浄システム。
【請求項７６】
前記洗浄システムが、重力動力ウォッシュダウン便器に使用するためのものである、請
求項７３に記載の洗浄システム。
【請求項７７】
前記制御システムが、前記洗浄作動モード中に前記弁を開放するのに使用するための弁
カバーにおけるポペットフィーチャを有するフラッパ型水洗弁であるトイレアセンブリに
おける水洗弁を動作させる、請求項７３に記載の洗浄システム。
【請求項７８】
前記制御システムが、前記洗浄作動モード中に前記弁を開放するのに使用するためのフ
ック及びキャッチフィーチャを有するフラッパ型水洗弁であるトイレアセンブリにおける
水洗弁を動作させる、請求項７３に記載の洗浄システム。
【請求項７９】
前記制御システムが、ポペット型水洗弁であるトイレアセンブリにおける水洗弁を動作
させ、ポペット型の弁カバーが通常水洗モードで前記水洗弁を開放する、前記水洗弁が前
記洗浄作動モード中に前記弁を開放するのに使用するためのカバーをその上に有するサイ
ドポートを有する、請求項７３に記載の洗浄システム。
【発明の詳細な説明】
【技術分野】
【０００１】
[関連出願の相互参照]
本出願は、「自己水洗トイレアセンブリ及びシステム」とそれぞれ名称が付された２０
１４年４月１６日に出願された米国仮特許出願第６１／９８０，５１４号明細書、２０１
４年３月８日に出願された米国仮特許出願第６１／９５０，０３８号明細書、２０１３年
１１月２２日に出願された米国仮特許出願第６１／９０８，０３８号明細書、２０１３年
９月２４日に出願された米国仮特許出願第６１／８８１，９４８号明細書及び２０１３年
７月１５日に出願された米国仮特許出願第６１／８４６，４２７号明細書について米国特
許法第１１９条（ｅ）に基づく利益を主張し、それらの開示は、それらの全体が参照によ
り本願明細書に組み込まれている。
【０００２】
本発明の分野は、水洗トイレを含み、より特に、水洗サイクルを有する水洗システムを
有するある重力動力ウォッシュダウン又はサイフォン水洗トイレを含む。
【背景技術】
【０００３】
重力動力サイフォン及びウォッシュダウントイレを含む便器を有する様々な種類のトイ
レ及びトイレアセンブリがある。サイフォントイレは、リム供給便器、非噴射、リム噴射
及び直接噴射便器を含むことができる。そのような人間の排泄物などの老廃物を除去する
ためのトイレが周知である。通常、重力動力トイレなどのトイレは、一般にタンク及び便
器という２つの主要な部分を有する。タンク及び便器は、トイレシステムを形成するため
にともに結合された別個の部品であることができる（一般に２部品トイレと称される）又
は組み合わされて１つの一体ユニットであることができる（通常は１部品トイレと称され
る）。
【０００４】
タンクは、存在する場合、通常、便器の裏面上に配置され、便器から下水道への排泄物
の水洗を開始するとともに新鮮な水で便器を補充するために使用される水を含む。ユーザ
がトイレを水洗することを望むとき、ユーザはタンクの外側における水洗レバーを押し下
げ、レバーは、タンク内の可動チェーン又はレバーにタンクの内側において接続されてい
る。水洗レバーが押されたとき、それは、水洗弁を持ち上げて開放するように作用するタ
ンクの内側においてチェーン又はレバーを移動させ、タンクから便器内へと水を流入させ
、それゆえにトイレの水洗を開始する。他のトイレは、水源から供給されたインライン配
管と、水洗ハンドル又はプッシュボタンなどの作動装置の作用によって作動するインライ
ン水洗弁とを使用してタンクなしで動作する。
【０００５】
水洗サイクルにおいて果たされる３つの一般的な目的がある。第１は、排水管へと任意
の固体、液体又は他の排泄物を除去することである。第２は、使用中に便器の表面に堆積
又は付着していた任意の固体、液体又は他の排泄物を除去するために便器を洗浄すること
である。第３は、比較的清潔な水が下水ガスの逆流に対するシールの深さの復元使用と次
の使用及び水洗サイクルのためのトイレの準備との間において便器に残るように便器にお
ける水洗前水の交換である。
【０００６】
第２の要件である便器の洗浄は、通常、便器の上部周囲に延在するほとんどのトイレで
見出される中空リムによって達成される。水洗水の一部又は全ては、そのような中空リム
チャネルを介して導かれ、便器の表面全体に水を分散させ必要な洗浄を達成するためにそ
の中に配置された開口を通って流れる。
【０００７】
重力動力トイレは、ウォッシュダウン及びサイフォンという２つの一般的なカテゴリに
分類することができる。ウォッシュダウントイレにおいて、便器内の水位は、常に比較的
一定のままである。水洗サイクルが開始されると、水は、タンク又は他の水源から流れ、
便器内に流出する。これは、トラップウェイの堰を越えた水位の急激な上昇及び過剰な水
の流出を発生させ、それにともなって液体及び固体の排泄物を運ぶ。水洗サイクルの完了
において、便器内の水位は、堰の高さによって決まる平衡レベルに自然に戻る。
【０００８】
サイフォントイレにおいて、トラップウェイ及び他の水圧チャネルは、サイフォンが便
器への水の追加の際にトラップウェイにおいて開始されるように設計される。サイフォン
管自体は、便器から汚水管まで水を引き込む逆さまのＵ字管である。水洗サイクルが開始
されると、水は、下水道排水管への出口を出ることができるよりも速く便器内に流入しト
ラップウェイにおいて堰を越えて流出する。サイフォンを開始するために十分な空気がト
ラップウェイの下脚から最終的に除去され、次いでサイフォンは便器から残りの水を引き
込む。サイフォンブレーク時の便器内の水位は結果として十分に堰のレベル未満であり、
サイフォン水洗サイクルの終了時に便器を補充して元の水位及び下水ガスの逆流を防止す
る保護シールを再確立するために別の機構が提供される必要がある。
【０００９】
一般に、サイフォン及びウォッシュダウントイレは、固有の利点及び欠点を有する。サ
イフォントイレは、空気の大部分がサイフォンを開始するためにトラップウェイの下脚か
ら除去されるという要件に起因して、目詰まりをもたらす可能性があるより小さいトラッ
プウェイを有する傾向がある。ウォッシュダウントイレは、大きなトラップウェイによっ
て機能することができるが、ほとんどの国における配管規定によって必要とされる１１０
：１の希釈レベルを達成するために便器においてより少ない量の水洗前水を一般に必要と
する（すなわち、便器における水洗前水量の９９％が便器から除去され水洗サイクル中に
新鮮な水と交換されなければならない）。この小さな水洗前の量は、小さな「水スポット
」として現れる。水スポット又は便器における水洗前水の表面積は、トイレの清浄度を維
持する上で重要な役割を果たす。大きな水スポットは、老廃物がトイレのセラミック表面
に接触する前に水に接触する確率を増加させる。これは、セラミック表面に対する老廃物
の付着を低減して、トイレが水洗サイクルを介して自体を洗浄するのを容易とする。した
がって、それらの小さな水スポットを有するウォッシュダウントイレは、使用後における
便器の手動洗浄を頻繁に必要とする。
【００１０】
サイフォントイレは、便器におけるより多い水洗前水量及びより多い水スポットによっ
て機能することができるという利点を有する。これは、サイフォン作用が水洗サイクルの
終了時に便器から水洗前水量の大部分を引き込むことから可能である。タンクの補充とし
て、補充水の一部は、水洗前水量をその元のレベルに戻すために便器内に導かれる。この
ようにして、多くの配管規定によって必要とされる１１０：１の希釈レベルは、便器内の
開始水量がタンクから出た水洗水と比較して有意により高くても達成される。北米市場に
おいて、サイフォントイレは広く受け入れられてきており、受け入れられた標準形態のト
イレとしてみられている。欧州市場において、ウォッシュダウントイレがより一層受け入
れられて人気があるのに対して、双方のバージョンは、アジア市場において一般的である
。
【００１１】
重力動力サイフォントイレは、さらに、水洗作用を達成するために使用される水圧チャ
ネルの設計に応じて３つの一般的なカテゴリに分類することができる。これらのカテゴリ
は、非噴射、リム噴射及び直接噴射である。
【００１２】
通常の非噴射便器において、水洗水の全ては、タンクから便器入口領域内へと出て、一
次マニホールドを通ってリムチャネル内へと流れる。水は、リムの下方に配置された一連
の孔を介して便器の周囲の周りに分散される。孔の一部は、便器内へとより多く水が流れ
るのを可能とするようにサイズがより大きいように設計されることができる。下脚におい
て十分な空気を移動させサイフォンを開始するのに十分であるように迅速にトラップウェ
イの堰を越えて水を流出するために比較的高い流量が必要とされる。非噴射便器は、通常
、便器の洗浄及び水洗前水の交換に関して適切な性能から良好な性能までを有するが、バ
ルクの除去の点で性能が比較的劣る。トラップウェイへの水の供給は、非効率的であり且
つ乱流であり、これは、トラップウェイの下脚を十分に満たし強いサイフォンを開始する
のをより困難とする。その結果、非噴射トイレのトラップウェイは、通常、径がより小さ
く、水の流れを妨げるように設計された曲がり及びくびれを含む。より小さいサイズ、曲
がり及びくびれがないと、強いサイフォンは達成されなくなる。あいにく、より小さいサ
イズ、曲がり及びくびれは、バルク排泄物の除去及び頻繁な詰まり、エンドユーザにとっ
て極めて不満足な条件の点で劣る性能につながる。
【００１３】
トイレの設計者及び技術者は、「サイフォン噴射」を組み込むことによってサイフォン
トイレのバルク排泄物の除去を改善している。リム噴射便器において、水洗水はタンクを
出て、トイレ入口領域を通って且つ一次マニホールドを通ってリムチャンネル内へと流れ
る。水の一部は、リムの下方に配置された一連の孔を介して便器の周囲の周りに分散され
る。水の残りの部分は、リムの正面に配置された噴射チャネルを通って流れる。この噴射
チャネルは、便器の汚水槽内に配置された噴射開口にリムチャネルを接続する。噴射開口
は、トラップウェイの開口において直接水の強力なストリームを送るようにサイズ決めさ
れて配置される。水が噴射開口を通って流れると、水は、非噴射便器で達成することがで
きるよりもより効率的且つ迅速にトラップウェイを満たすのに役立つ。このよりエネルギ
ッシュ且つ迅速なトラップウェイへの水の流れは、より大きなトラップウェイ径並びによ
り少ない曲がり及びくびれを有してトイレが設計されるのを可能とし、次いでこれは、非
噴射便器と比較してバルク排泄物の除去における性能を向上させる。より少量の水がリム
噴射トイレのリムから流出するが、便器洗浄機能は、一般に、リムチャネルを通って流れ
る水がタンクからの水の上流の流れによって加圧されることから許容可能である。これは
、水がより高いエネルギーでリム孔を出て、便器洗浄のより効果的な仕事をするのを可能
とする。
【００１４】
リム噴射便器は、一般に、非噴射よりも優れているが、水が噴射開口までリムを通って
移動しなければならない長い経路は、利用可能なエネルギーの多くを散逸し無駄にする。
直接噴射便器は、この概念を改善し、排泄物のバルク除去の点でさらに良好な性能を提供
する。一般に、直接噴射便器において、水洗水は、タンクを出て、便器入口を通って且つ
一次マニホールドを通って流れる。この時点で、水は、以下の２つの部分に分割される：
所望の便器洗浄を達成するという主な目的によってリムチャネルまでリム入口ポートを通
って流れる部分、及び、便器の汚水槽における噴射開口に一次マニホールドを接続する「
直接噴射チャネル」まで噴射入口ポートを通って流れる部分。直接噴射チャネルは、時々
はトイレの一方側の周りにおいて一方向性である又は「デュアル供給」である異なる形態
をとることができ、デュアル供給において、対称チャネルは、噴射開口にマニホールドを
接続する両側を下方に移動する。リム噴射便器と同様に、噴射開口は、トラップウェイの
開口部において直接水の強力なストリームを送るようにサイズ決めされて配置される。水
が噴射開口を通って流れると、水は、非噴射又はリム噴射便器で達成することができるよ
りもより効率的且つ迅速にトラップウェイを満たすのに役立つ。このよりエネルギッシュ
且つ迅速なトラップウェイへの水の流れは、さらに大きなトラップウェイ径並びに最小の
曲がり及びくびれを有してトイレが設計されるのを可能とし、次いでこれは、非噴射及び
リム噴射便器と比較してバルク排泄物の除去における性能を向上させる。
【００１５】
トイレの種類及びそれらの洗浄能力に加えて、より少ない水を使用するための圧力があ
り、洗浄機能をより困難としている。政府機関は、水道水のユーザが使用する水量を低減
することを継続的に要求している。近年の焦点の多くは、トイレ水洗動作によって必要と
される水需要を低減することである。この点を説明するために、各水洗のためにトイレに
おいて使用される水量は、７ガロン／水洗（１９５０年代前）から５．５ガロン／水洗（
１９６０年代の終わりまで）まで、３．５ガロン／水洗（１９８０年代）まで政府機関に
よって徐々に低減している。１９９５年の国家エネルギー政策法は、現在、米国において
販売されるトイレがわずか１．６ガロン／水洗（６リットル／水洗）の量で水を使用する
ことを義務付けている。水の使用量をさらに１．２８ガロン／水洗まで低下させることを
要求する規制が、最近カリフォルニア州において通過している。特許文献に現在記載され
ており商業的に利用可能な１．６ガロン／水洗のトイレは、現在、これらのより低いレベ
ルの水の消費量に押されたときに一貫してサイフォンする能力を失う。それゆえに、製造
業者は、改善された技術及びトイレ設計の開発なしにトラップウェイ径を低減して性能を
犠牲にすることが余儀なくされており余儀なくされ続ける。
【００１６】
それゆえに、いくつかの発明は、直接噴射概念の最適化によってサイフォントイレの水
洗性能を向上させることを目的としている。例えば、米国特許第５，９１８，３２５号明
細書において、サイフォントイレの性能は、トラップウェイの形状を改善することによっ
て改善されている。米国特許第６，７１５，１６２号明細書において、丸みのある入口と
便器内への水の非対称流れとを有する水洗弁を使用することによって性能が改善されてい
る。
【００１７】
米国特許第８，３１６，４７５Ｂ２号明細書は、強化された洗浄及び現在の環境水利用
基準に準拠して少量の水で使用するための適切なサイフォンのための加圧されたリム及び
直接供給噴射構成を示している。
【００１８】
米国特許出願公開第２０１２／０１９８６１０Ａ１号明細書は、タンク入口からトイレ
マニホールドに入る水洗水の流れをリムの入口ポート及び直接供給噴射の入口ポートへと
分割するために一次マニホールドの領域に制御要素を組み込むことによって達成される高
性能トイレを示している。
【００１９】
上記概念は、水洗性能、いくつかの場合には便器洗浄も改善するが、便器洗浄の改善に
焦点をあてたさらなる試みが存在し、例えば、参照により本願明細書に組み込まれている
本出願人の同時係属中の米国特許出願公開第２０１３／０２１９６０５Ａ１号明細書のも
のは、入口ポートから内部突起に沿って又は噴射によって全ての水を導くことによって従
来のリムチャネルなしで強化された洗浄を提供するリムレス便器を対象としている。入口
ポートを通る流れは、洗浄機能を支援する。洗浄機能は、この設計において改善されてい
る。
【００２０】
同様に、準備された噴射、及び噴射流路から分離されたリム流路とともに噴射及びリム
流路用の独立した弁を有するトイレは、トイレ、水洗弁及びその弁逆流防止構造の設計及
び構造に関する関連部分が参照により本願明細書に組み込まれている本出願人の同時係属
中の国際出願第ＰＣＴ／ＵＳ２０１３／０６９９６１号公報の主題である。この出願は、
噴射チャネル内の空気流を最小にすることによって非常に少量の水での強力な水洗及び強
化された洗浄を可能とするトイレアセンブリを提供する。このトイレもまた、強化された
洗浄能力を有するリムレス設計で作ることができ、優れた洗浄を提供することができる。
【００２１】
上述の全ての改善は、水洗間に過度に洗浄する必要なしで強力な水洗能力及び良好な洗
浄を有する便器を提供することを試みるが、消費者が便器を洗浄する通常の様式で便器洗
浄剤を使用するトイレの定期的な手動洗浄のための当該技術分野における必要性が依然と
して存在する。リムの下方又はタンク内に直接又は容器内に配置される便器ブラシ、ゲル
クリーナー、スワップ、及び錠剤などが知られている。
【００２２】
各水洗で機能するように定期的に洗浄剤を導入するための機構を提供することによって
そのようなトイレの「自己洗浄」を行うための試みがまたされてきている。そのようない
くつかのトイレは、コントローラ又は他の外部作動機構を使用して便器内又はリム内に洗
浄剤を供給する外部システムを有する。その他は、従来の水洗弁のオーバーフロー管内の
チューブを通って水洗水で便器内へとゆっくりと供給する錠剤などの洗浄剤又は材料を有
する内部容器を提供する。水洗システムを介して洗浄可能とするプログラマブルシステム
もまた存在する。
【００２３】
米国特許第５，５４２，１３２号明細書、米国特許第５，６０８，９２３号明細書、米
国特許第５，７２９，８３７号明細書、米国特許第５，８６７，８４４号明細書及び米国
特許第５，９１３，６１１号明細書は、設定されたタイミング及び選択された流量でのリ
ム又は便器への洗浄剤の流れを操作するポンプ及びコントローラの使用を対象としている
。米国特許第５，７２９，８３７号明細書には、洗浄剤容器及びポンプが提供されている
。容器は、水洗サイクルの直後におけるリム内への水洗後の洗浄のためにポンピングされ
る流体形態における洗浄剤を含む。
【００２４】
米国特許第６，３２１，３９２号明細書は、タンク内の容器に且つ水位よりも上方に洗
浄剤を配置することについて記載している。容器は、水洗及び洗浄剤がその後に水洗弁の
オーバーフロー管を介して補充弁から出てトイレに入る水と混合された後、補充弁水から
導管によって流体を受け入れる。オーバーフロー管は、水洗弁の内部本体のベースにおい
て水洗水を導入する。洗浄剤は、水洗ごとに導入される。
【００２５】
米国特許第５，７４５，９２８号明細書は、水洗と連通してトイレタンク内に配置され
た容器及び充填弁を開示している。水洗サイクル後、水は、（容器内の洗浄ペレットなど
の洗浄剤を有する）容器を通って且つ補充チューブを通ってトイレ内に下る水洗弁からの
バイパスとして流れる。洗浄剤は、余分な洗浄のための便器内に存在する。
【００２６】
米国特許第６，７７２，４５０号明細書は、リム出口孔の下方における便器内に配置さ
れた柔軟に成形されたチューブを介して化学溶液を供給するタイマ及びコントローラを有
する化学インジェクタシステムを含む。化学剤は、便器を洗浄するために側壁の下方にお
いて便器内へと加圧された様式で注入される。
【００２７】
米国特許第８，０９５，９９７号明細書は、オーバーフロー管を介して又は直接タンク
水内においてトイレ内に制御可能な様式で導入された洗浄流体又は消臭剤のためのモジュ
ラが取り付けられたディスペンサを開示している。コントローラは、レベルセンサに応答
することができる。
【００２８】
全てのそのような改善がなされてきたが、繰り返し水洗によって洗浄剤を導入するため
の様々な先行技術のシステムで機能する又は洗浄剤が便器内に存在するのを可能とする洗
浄流体の連続的な導入は、動作若しくは充填するのが困難である複雑な外部システムに起
因して並びに／又は摂取した場合にペット及び子供に対して高濃度で有害であると証明す
ることができる水洗水における洗浄剤の乱用の結果として、消費者によってよく受け入れ
られていない。さらに、時間をかけた洗浄剤の乱用は、ゴムシールなどの便器内の内部部
品の損傷を引き起こすことがある。最後に、そのようなシステムのいくつかは、美観がよ
くなく、ユーザの明白な場所内にある多くの外付け部品を有する。
【００２９】
トイレにおける洗浄剤の影響を最小限に抑えるために要求に応じて動作することができ
、子供及びペットがいる家庭での使用に安全であり、着座するのに容易で且つ視覚的に不
快でないように好ましくは携帯可能であり小型である自己洗浄トイレの必要性が当該技術
分野においてある。さらに、特殊な工具又は配管工を必要とせずに消費者が容易に交換、
修復及びメンテナンスすることができるように、洗浄剤の容易な投与及び交換を提供する
システム並びに／又は実際の洗浄システムの必要性が当該技術分野においてある。
【先行技術文献】
【特許文献】
【００３０】
【特許文献１】米国特許第５，９１８，３２５号明細書
【特許文献２】米国特許第６，７１５，１６２号明細書
【特許文献３】米国特許第８，３１６，４７５Ｂ２号明細書
【特許文献４】米国特許出願公開第２０１２／０１９８６１０Ａ１号明細書
【特許文献５】米国特許出願公開第２０１３／０２１９６０５Ａ１号明細書
【特許文献６】国際出願第ＰＣＴ／ＵＳ２０１３／０６９９６１号公報
【特許文献７】米国特許第５，５４２，１３２号明細書
【特許文献８】米国特許第５，６０８，９２３号明細書
【特許文献９】米国特許第５，７２９，８３７号明細書
【特許文献１０】米国特許第５，８６７，８４４号明細書
【特許文献１１】米国特許第５，９１３，６１１号明細書
【特許文献１２】米国特許第６，３２１，３９２号明細書
【特許文献１３】米国特許第５，７４５，９２８号明細書
【特許文献１４】米国特許第６，７７２，４５０号明細書
【特許文献１５】米国特許第８，０９５，９９７号明細書
【発明の概要】
【００３１】
本発明は、トイレ及び洗浄システムを有するトイレアセンブリ、トイレ及びそのような
洗浄システムを有するトイレアセンブリをユーザの開始時に定期的に洗浄するための方法
、並びに、トイレアセンブリによって使用するための洗浄システムを含む。本願明細書に
おけるアセンブリにおけるトイレは最も好ましくは、分離されたリム経路を有するトイレ
であるが、システムは、他の種類のトイレとともに使用することができる。本発明は、自
己洗浄トイレアセンブリを提供する。洗浄システムを有する従来のトイレアセンブリとは
異なり、システムは、ユーザが自己の作動時及び必要時にトイレを洗浄することができる
ように水洗サイクルによって自動的に作動しない。好ましい実施形態において、システム
は、優れた洗浄能力を提供しながら、不使用時の水洗水内の常備洗浄剤への人間及び動物
の最小限の暴露を可能とする。
【００３２】
１つの実施形態において、本発明は、洗浄システムを有するトイレアセンブリにおいて
、（ａ）内部空間を画定する便器と、タンク内部を画定するトイレタンクと、水洗弁と、
リム入口と、便器のリム入口に流体を供給するように構成された水洗弁の出口からリム入
口まで延在する分離されたリム流路とを備えるトイレアセンブリと、（ｂ）内部空間を画
定する本体を有し且つ容器本体の内部空間と流体連通する出口ポートを有する液体洗浄剤
を保持するための容器と、容器を受け入れるように構成されたハウジングと、容器の内部
と流体連通し且つ容器内から流体を受け入れるための第１の端部を有する供給管と、供給
管を通る流れを制御可能な流量制御装置と、アクチュエータフィーチャによって起動可能
な制御システムとを備え、アクチュエータフィーチャの起動時に、制御システムが、供給
管から、リム入口への流体の供給のために構成された閉位置における水洗弁の内部空間へ
と液体洗浄剤の投与量を供給するのに十分な第１の期間に流量制御装置を動作させること
、及び便器内にリム入口を介して液体洗浄剤の投与量を運ぶために少なくとも約３リット
ル以上の水洗水を導入するために水洗弁を開放するように水洗弁を動作させることによっ
て洗浄サイクルを開始するようになされている、洗浄システムとを備えるトイレアセンブ
リを提供する。
【００３３】
アセンブリは、洗浄システム内に通気管をさらに含むことができる。通気管が設けられ
ている場合、それは、好ましくは、容器の内部と流体連通し、容器内から混入した空気及
び／又は液体を受け入れるように位置する第１の端部と、容器内の完全液位の高さの少な
くとも上方に配置された第２の開放端部とを有するように構成されている。
【００３４】
アセンブリの洗浄システムにおける制御システムはまた、リム入口を介して便器内へと
液体洗浄剤の投与量及び水洗水を供給した後に、水洗弁を少なくとも部分的に閉じるよう
に動作することができる。さらに、制御システムは、第２の期間にわたって液体洗浄剤の
投与量及び水洗水を供給するように水洗弁を動作させることができる。
【００３５】
容器本体は、好ましくは、出口部を有し、出口ポートは、出口部に配置されている。ハ
ウジングはまた、容器の出口部を受け入れるように構成された座部を有することができる
。洗浄システムは、容器の出口部がシール係合してハウジングの座部内に嵌合するように
少なくとも１つの周辺シールをさらに備えることができる。
【００３６】
本願明細書における実施形態において、システムは、中を通る通路を画定し且つ上方に
延在する第１の端部及び第２の端部を有するチューブを含むことができる。第１の端部は
、チューブ内の通路を通って容器の内部空間から供給管の第１の端部内へと流体を導くよ
うに構成されており、チューブは、座部に配置されている。上述の通気管は、洗浄システ
ム内にチューブを有する実施形態に組み込むことができる。そのような場合、座部は、通
気管の第１の端部を受け入れるための第１の開口と、供給管の第１の端部を受け入れるた
めの第２の開口とを備えることができる。チューブの第１の端部は、尖っていてもよい。
容器がハウジング内に位置するときに、供給管の第１の端部は好ましくは、チューブの第
２の端部内に位置することができる。容器の出口部がシートの座部にあるときにチューブ
が容器の出口ポートを通って且つ容器の出口部内の上方に延在するように、チューブはま
た、座部内に位置することができる。チューブはまた、チューブの上方に延在する端部に
入る流体が出口部の底部領域内に流入するように中を通って延在する任意選択の側方開口
（単数又は複数）を備えることができる。
【００３７】
本願明細書における実施形態において、出口ポートは、本願明細書における他の箇所に
記載されたように液体供給弁が組み込まれている場合、チューブの上方に延在する端部又
は液体供給弁フィッティングによって貫通可能な脆弱シールを任意選択で含むことができ
る。本実施形態における出口部の底部領域は、容器がハウジング内に完全に着座している
ときに脆弱シールの下方の領域として画定されてもよく、チューブの上方に延在する端部
又は液体供給弁フィッティングは、容器が完全にハウジング内に着座しているときに脆弱
シールを通過する。
【００３８】
流量制御装置は、機械弁、蠕動ポンプ、ピストンポンプ、歯車ポンプ又はギアモータの
うちのいずれかであることができる。容器の出口ポートは、例えば、箔、隔膜、ポリマー
裏材を有する箔又は膜などの脆弱カバーによって覆われていてもよい。
【００３９】
トイレアセンブリは、本願明細書における１つの実施形態において、上面を有し且つタ
ンクの上部に着座しているように構成されたタンク蓋をさらに備え、タンク蓋の上面は、
ハウジングを受け入れるように構成されており、ハウジングの座部を受け入れるように構
成された領域を含む。タンク蓋は、ロック機構を受け入れるように構成された中を通って
延在する少なくとも１つの開口、好ましくは少なくとも２つの開口をさらに備えることが
できる。ロック機構は、第１の端部及び第２の端部を有する少なくとも１つのロック本体
を備えることができる。第２の端部は、少なくとも１つの開口を通って延在するように構
成されていてもよい。ロック機構は、そのような実施形態において、タンク蓋を固定する
ためにロック機構を解放可能にロックするために少なくとも１つのロック本体の第１の端
部にロックキャップをさらに備える。ロック本体は、ロックロッドであることができ、及
び／又は、ロック機構は、スナップフィット又は回転クイックロックロック機構であるこ
とができる。
【００４０】
タンクは、その上にアクチュエータボタンを有するパネルにアクセスするためにその中
に開口を有するタンク蓋上に配置されるように構成されたカバーをさらに有することがで
きる。
【００４１】
そのような実施形態において、タンク蓋は、リフトアームアクチュエータギアモータに
よって作動される少なくとも１つのギアを含むリフトアームアクチュエータアセンブリの
少なくとも一部の拡張を可能とするために中を通って延在するアクチュエータ開口をさら
に備えることができ、少なくとも１つのギアは、例えば回動又は回転によってリフトアー
ムを移動させてリム水洗弁を制御可能に開放するためにリフトアームに係合可能であり、
リフトアームは、直接的又は間接的なリンクを介して水洗弁に動作可能に接続している。
リフトアームはまた、水洗ハンドルと動作可能に接続していてもよく、水洗ハンドル及び
リフトアームは、水洗ハンドルが押されたときに従来の水洗サイクル中に水洗弁を動作さ
せるように接続されており、リフトアームアクチュエータアセンブリは好ましくは、リフ
トアームアクチュエータギアモータ及び少なくとも１つのギアの動作によって水洗ハンド
ルを押すことなく水洗弁を動作させるように配置されている。
【００４２】
アセンブリにおける洗浄システムはまた、好ましくは、容器及びハウジングを保持する
ように構成された下部トレイと上蓋とを含み、上蓋が標準的なタンクカバーの代わりに存
在し且つ下部トレイが水洗弁の上方のタンクの内部に存在するように、下部トレイ及び上
蓋はトイレタンクの上部に配置されるように構成されている。
【００４３】
アセンブリにおける洗浄システムは、好ましくは、アクチュエータフィーチャに応じて
水洗弁を制御可能に開放するための水洗弁動作機構を含む。水洗弁動作機構は、１つの実
施形態において、流量制御装置を動作させるための制御システムによって起動可能なギア
モータを含む。水洗弁動作機構は、水洗弁の弁本体の周りに着座したフラッパリフト機構
に接続されたリンクと連通するリフトロッドを任意選択で含むことができ、リフトロッド
は、ギアモータによって機械的に作動され、ギアモータは、接触時にリフトロッドを移動
させるためのカム機構によって機械的に動作する。代替として、水洗弁動作機構はまた、
リフトアームアクチュエータギアモータによって作動される少なくとも１つのギアを備え
るリフトアームアクチュエータアセンブリを備えることができ、リフトアームアクチュエ
ータアセンブリの少なくとも１つのギアは、リフトアームがリム水洗弁を制御可能に開放
することができるようにリフトアームアクチュエータアセンブリにおけるリフトアームの
一部を移動させるようにリフトアームアクチュエータアセンブリに係合可能であり、リフ
トアームは、直接的又は間接的なリンクを介してリム水洗弁に動作可能に接続している。
【００４４】
洗浄システムは、リフトアームアクチュエータギアモータによって作動されるギアを含
むリフトアームアクチュエータアセンブリをさらに備えることができ、少なくとも１つの
ギアは、リフトアームがリム水洗弁を制御可能に開放することができるようにリフトアー
ムを回転させるようにリフトアームアクチュエータアセンブリに係合可能であり、リフト
アームは、直接的又は間接的なリンクを介してリム水洗弁に動作可能に接続している。そ
のような実施形態は、ギアモータを包囲し少なくとも１つのギアを取り付けるためのギア
モータハウジングをさらに備えることができ、ギアモータハウジングは、トイレタンク内
に配置されるように構成されている。１つの実施形態において、ギアモータハウジングは
、容器用のハウジングにおける少なくとも１つの開口を介して上方にさらに延在すること
ができる。そのようなギアモータハウジングは、容器ハウジングに対して又は容器及び容
器ハウジングを保持するように構成されたトレイに対してギアモータハウジングを固定す
るための取り付けフランジを有することができる。
【００４５】
アセンブリにおける制御システムは、液体洗浄剤の投与量と水洗水を供給した後に水洗
弁を少なくとも部分的に閉じるように、且つ洗浄サイクルの終了において少なくとも約３
リットルの新たな水洗水によって便器の内部をパージするために第３の期間の後に水洗弁
を再度開放するようにさらになされていてもよい。そのような実施形態において、アセン
ブリにおけるトイレは、水洗弁がリム水洗弁であるように構成されていてもよく、トイレ
は、直接供給噴射部、噴射水洗弁及び別個の噴射流路をさらに備え、そして、アセンブリ
における制御システムはまた、リムチャネルが便器をパージするために水洗水を導入する
ために再開放するのとほぼ同時に少なくとも約０．５リットルの水洗水、好ましくは少な
くとも約１．０リットルの水洗水を噴射流路に放出するために噴射水洗弁を開放するよう
に動作する。
【００４６】
上記トイレアセンブリの１つの実施形態において、洗浄システムは、容器の出口ポート
と流体連通し且つ供給管と流体連通して位置するように配置された液体供給弁を備えるこ
とができる。
【００４７】
そのような実施形態における容器本体は出口部を有してもよく、出口ポートは、出口部
に配置されていてもよい。さらに、ハウジングは、容器がハウジング内に着座していると
きに、容器の出口部を受け入れるように構成された座部を有してもよく、流体供給弁は、
中を通る液体供給弁通路を画定し、液体供給弁は、弁通路を通って且つ供給管の第１の端
部へと容器の内部空間から流体を導くための第１の上端部を有し、液体供給弁は第２の端
部を有する。
【００４８】
本実施形態において、アセンブリはまた、供給管の第１の端部に液体供給弁の第２の端
部を接続するための液体供給弁の第２の端部と連通する弁フィッティングを備えることが
できる。
【００４９】
アセンブリはまた、傘弁、ダックビル弁、ばね式弁、回転弁、通気弾性弁及びフラップ
弾性弁のうちの１つなどの様々な液体供給弁を含むことができる。
【００５０】
本願明細書における他の実施形態において、液体供給弁は、第１の機械弁及び第２の機
械弁を含むことができ、アセンブリは、容器の内部空間内からの液体洗浄剤の投与量を保
持するように構成された投与チャンバをさらに備えることができ、投与チャンバは、内部
空間を画定し、入口ポートを有し且つ出口ポートを有し、投与チャンバの入口ポートは、
第１の機械弁の出口ポートと流体連通し、投与チャンバの出口ポートは、第２の機械弁の
入口と流体連通し、第２の機械弁の出口は、供給管の第１の端部と流体連通する。そのよ
うな実施形態において、ハウジングは、容器及び投与チャンバを受け入れるように構成さ
れた座部を有することができる。
【００５１】
そのような実施形態における制御システムは、好ましくは、液体洗浄剤の投与量を投与
チャンバの内部空間に投入するように第１の機械弁を動作させ、その後に投与チャンバの
内部から、供給管内へと且つ便器のリム入口への流体の供給のために構成された閉じられ
た水洗弁の内部空間内へと液体洗浄剤の投与量を供給するのに十分な第１の期間に第２の
機械弁を動作させることによって流量制御装置を動作させるようになされている。制御シ
ステムは、第１の期間に第２の機械弁を動作させる前に液体洗浄剤の投与量を投入するよ
うに第１の機械弁を動作させることができる。
【００５２】
容器及び投与チャンバは、本実施形態において、ハウジングを介して横断面に対して角
度を付けて位置合わせすることができる。
【００５３】
本発明のトイレアセンブリは、好ましくは、直接供給噴射部をさらに含み、水洗弁はリ
ム水洗弁であり、トイレアセンブリは、トイレにおける直接供給噴射部に水洗水を導入す
るように動作可能な第２の水洗弁をさらに備える。リム水洗弁用の流体経路及び噴射水洗
弁は互いに分離されており、噴射水洗経路は、好ましくは、水洗サイクルの前後において
準備状態のままである。
【００５４】
供給管の第２の端部はまた、好ましくは、リム水洗弁に接続されたオーバーフロー管の
内部と流体連通する。
【００５５】
本願明細書におけるアセンブリにおけるアクチュエータフィーチャは、上蓋の下方に配
置されたボタンであることができ、上蓋の開口を介してアクセス可能であることができる
。アクチュエータフィーチャはまた、上蓋の上面に配置されたボタンであってもよい。ア
クチュエータフィーチャはまた、トイレタンクの側方に配置されたボタンでさらにあって
もよい。
【００５６】
供給管の第２の端部は、水洗弁、好ましくはリム水洗弁に接続されたオーバーフロー管
の内部内に流体を供給するように配置されることができる。供給管の第２の端部はまた、
水洗弁の底部内に液体洗浄剤の投与量を導入するように又はリム入口の上流のリム流路に
おける開口を介して便器内に液体洗浄剤の投与量を導入するように配置されることができ
る。
【００５７】
本発明はまた、洗浄システムによってトイレアセンブリにおけるトイレを定期的に洗浄
するための方法を含み、方法は、本願明細書の上述の及び他箇所に記載されたトイレアセ
ンブリを提供することと、洗浄サイクルを開始するためにアクチュエータフィーチャによ
って制御システムを起動することと、流量制御装置を動作させ、供給管から閉位置におけ
る水洗弁の内部空間へと液体洗浄剤の投与量を供給するのに十分な第１の期間に流量制御
装置を開放することと、水洗弁を開放するように水洗弁を動作させ、リム入口を介して且
つ便器内へと液体洗浄剤の投与量とともに少なくとも約３リットルの水洗水を導入するこ
ととを含む。
【００５８】
方法におけるトイレアセンブリは、好ましくは、直接供給噴射部をさらに含み、水洗弁
はリム水洗弁であり、トイレアセンブリは、トイレにおいて直接供給噴射部に水洗水を導
入するように動作可能な第２の水洗弁をさらに備える。方法におけるトイレアセンブリは
また、好ましくは、噴射水洗弁から分離されたリム水洗弁用の流体経路を有する。好まし
くは、そのような実施形態において、噴射水洗弁は、水洗サイクルの前後において準備状
態のままである。方法において提供されるアセンブリにおける制御システムは、好ましく
は、第２の期間にわたって水洗水及び液体洗浄剤の投与量を導入するために動作し、方法
は、液体洗浄剤の投与量とともに水洗水を導入した後に水洗弁を少なくとも部分的に閉じ
るように水洗弁を動作させことと、洗浄サイクルの終了において新たな水洗水によって便
器の内部をパージするために第３の期間の後に水洗弁を再度開放するように水洗弁を動作
させることをさらに含む。
【００５９】
本発明はまた、トイレアセンブリによって使用するための洗浄システムを含み、洗浄シ
ステムは、内部空間を画定する本体を有し且つ容器本体の内部空間と流体連通する出口ポ
ートを有する液体洗浄剤を保持するための容器と、容器を受け入れるように構成されたハ
ウジングと、容器の内部と流体連通し且つ容器内から流体を受け入れるための第１の端部
を有する供給管と、供給管を通る流れを制御可能な流量制御装置と、アクチュエータフィ
ーチャによって起動可能な制御システムとを備え、アクチュエータフィーチャの起動時に
、制御システムは、供給管から、便器のリム入口への流体の供給のために構成された閉じ
られた水洗弁の内部空間へと液体洗浄剤の投与量を供給するのに十分な第１の期間に流量
制御装置を動作させること、及び便器のリム入口内へと液体洗浄剤の投与量とともに水洗
水を導入するために水洗弁を開放するように水洗弁を動作させることによって洗浄サイク
ルを開始するようになされている。
【００６０】
本願明細書における洗浄システムにおいて、任意選択の通気管が、容器の内部と流体連
通して設けられてもよく、容器内から混入した空気及び／又は液体を受け入れるように位
置する第１の端部と、容器内の完全液位の高さの少なくとも上方に配置された第２の開放
端部とを有するように構成されていてもよい。
【００６１】
制御システムは、第２の期間にわたって水洗水及び液体洗浄剤を導入し、さらに、水洗
水及び液体洗浄剤の投与量を供給した後に水洗弁を少なくとも部分的に閉じるように動作
するようになされていてもよい。
【００６２】
容器本体は、好ましくは、出口部を有し、出口ポートが出口部に配置されている。ハウ
ジングは、容器の出口部を受け入れるように構成された座部を有することができる。
【００６３】
システムは、容器の出口部がシール係合してハウジングの座部内に嵌合するように少な
くとも１つの周辺シールをさらに備えることができる。
【００６４】
１つの実施形態において、システムは、中を通る通路を画定し且つ上方に延在する第１
の端部及び第２の端部を有するチューブを備えることができ、第１の端部はチューブ内の
通路を通って容器の内部空間から供給管の第１の端部内へと流体を導くためのものであり
、チューブは座部に配置されており、座部は供給管の第１の端部を受け入れるための第２
の開口を有することができる。チューブの第１の端部は尖っていてもよい。供給管の第１
の端部は、容器がハウジング内に位置するときにチューブの第２の端部内に位置すること
ができる。チューブは、容器の出口部がシートの座部にあるときにチューブが容器の出口
ポートを通って且つ容器の出口部内の上方に延在するように、座部内に位置することがで
きる。チューブはまた、チューブの上方に延在する端部に入る流体が出口部の底部領域内
に流入するように中を通って延在する任意選択の側方開口（単数又は複数）を備えること
ができる。チューブを有する実施形態において、システムはまた、容器の内部と流体連通
し且つ容器内から混入した空気及び／又は液体を受け入れるように位置する第１の端部と
、容器内の完全液位の高さの少なくとも上方に配置された第２の開放端部とを有するよう
に構成された任意選択の通気管をさらに備えることができ、その場合、座部はまた、通気
管の第１の端部を受け入れるための第１の開口を備えることができる。
【００６５】
洗浄システムにおける出口ポートは、チューブの上方に延在する端部又は液体供給弁フ
ィッティングによって貫通可能な脆弱シールを有することができ、出口部の底部領域は、
容器がハウジング内に完全に着座しているときに脆弱シールの下方の領域として画定され
、チューブの上方に延在する端部又は液体供給弁フィッティングは、容器が完全にハウジ
ング内に着座しているときに脆弱シールを通過する。
【００６６】
システムにおける流量制御装置は、機械弁、蠕動ポンプ、ピストンポンプ、歯車ポンプ
又はギアモータであることができる。洗浄システムの流量制御装置はまた、流量制御装置
を動作させるために制御システムによって起動可能なギアモータを備えることができる。
【００６７】
本願明細書における洗浄システムにおける容器の出口ポートは、脆弱カバーによって覆
われていてもよい。脆弱カバーは、箔、隔膜、ポリマー裏材を有する箔又は膜を含むこと
ができる。
【００６８】
洗浄システムはまた、水洗弁動作機構を備えることができる。１つの実施形態において
、機構は、水洗弁の弁本体の周りに着座したフラッパリフト機構に接続されたリンクと連
通するリフトロッドを含むことができ、リフトロッドは、ギアモータによって機械的に作
動され、ギアモータは、接触時にリフトロッドを移動させるためのカム機構によって機械
的に動作する。代替として、水洗弁動作機構はまた、リフトアームアクチュエータギアモ
ータによって作動される少なくとも１つのギアを備えるリフトアームアクチュエータアセ
ンブリを備えることができ、少なくとも１つのギアは、リフトアームがリム水洗弁を制御
可能に開放することができるようにリフトアームアセンブリにおけるリフトアームを移動
させるようにリフトアームアクチュエータアセンブリに係合可能であり、リフトアームは
、直接的又は間接的なリンクを介してリム水洗弁に動作可能に接続している。そのような
実施形態はまた、ギアモータを包囲し少なくとも１つのギアを取り付けるためのギアモー
タハウジングを含むことができ、ギアモータハウジングは、トイレタンク内に配置される
ように且つ容器用のハウジングにおける少なくとも１つの開口を介して上方に延在するよ
うに構成されていてもよい。アセンブリにおけるハウジングは、容器ハウジングに対して
又は容器及び容器ハウジングを保持するように構成されたトレイに対してギアモータハウ
ジングを固定するための取り付けフランジをさらに含むことができる。
【００６９】
洗浄システムは、容器及びハウジングを保持するように構成された下部トレイと上蓋と
をさらに備えることができ、下部トレイ及び上蓋は、上蓋が標準的なタンクカバーの代わ
りに存在し且つ下部トレイがトイレ水洗弁の上方のトイレタンクの内部内に存在するよう
に、トイレタンクの上部に配置されるように構成されている。
【００７０】
制御システムは、例えば水洗弁動作機構を使用して、液体洗浄剤の投与量を供給した後
に水洗弁を少なくとも部分的に閉じるように、且つ洗浄サイクルの終了において新たな水
洗水によって便器の内部をパージするために第３の期間の後に水洗弁を再度開放するよう
にさらになされていてもよい。
【００７１】
本発明はまた、洗浄システムを有するトイレアセンブリを含み、トイレアセンブリは、
（ａ）内部空間を画定する便器と、タンク内部を画定するトイレタンクと、水洗弁と、水
洗弁の出口から少なくとも１つのリム出口ポートまで延在するリム流路を介して便器の内
部と流体連通するリムとを備え、水洗弁がリムに流体を供給するように構成されており、
水洗弁が水洗作動モードで動作するように構成されており、水洗弁が、トイレアセンブリ
が水洗サイフォンを開始するのに十分な水洗水の流れを提供する又はウォッシュダウン水
洗を提供して洗浄作動モードで動作することが可能であり、水洗弁が、サイフォンを開始
するには不十分であるが便器を洗浄するためには十分である洗浄剤及び水洗水の混合物の
便器への導入を可能とするために部分的にのみ開放される、トイレアセンブリと、（ｂ）
内部空間を画定する本体を有し且つ容器本体の内部空間と流体連通する出口ポートを有す
る液体洗浄剤を保持するための容器と、容器を受け入れるように構成されたハウジングと
、容器の内部と流体連通し且つ容器内から流体を受け入れるための第１の端部を有する供
給管と、供給管を通る流れを制御可能な流量制御装置と、アクチュエータフィーチャによ
って起動可能な制御システムとを備える洗浄システムとを備え、アクチュエータフィーチ
ャの起動時に、制御システムは、容器から１つ以上のリム出口へと液体洗浄剤の投与量を
供給するのに十分な時間の第１の期間に流量制御装置を動作させること、及びサイフォン
を開始するには不十分であるが便器を洗浄するには十分な流量で、便器内に少なくとも１
つのリム出口ポートを介して液体洗浄剤の投与量を運ぶために水洗水を導入するために水
洗弁を開放するように洗浄作動モードで水洗弁を動作させることによって洗浄サイクルを
開始するようになされている。
【００７２】
上記実施形態において、水洗弁は、通常水洗モード中に水洗弁を通る流量よりも洗浄作
動モードで約２０％から約８０％遅い流量で、好ましくは通常水洗モード中に水洗弁を通
る流量よりも洗浄作動モードで約４０％から約６０％遅い流量で水洗水を導入することが
できる。さらに、水洗水は、約２秒から約３０秒の期間にわたって水洗作動モードで弁に
入ることができる。水洗水及び洗浄剤は、便器内に導入されることができ、便器を洗浄す
るための約３０秒から約３０分の滞留時間を有することができる。
【００７３】
このアセンブリの１つの特定の実施形態において、便器は、直接供給噴射サイフォン重
力動力便器であることができる。代替として、便器は、リム供給噴射サイフォン便器、非
噴射サイフォン重力動力便器又は重力動力ウォッシュダウン便器であってもよい。
【００７４】
さらに、このアセンブリの代替実施形態において、水洗弁は、洗浄作動モード中に弁を
開放するのに使用するための弁カバーにおけるポペットフィーチャを有するフラッパ型水
洗弁であることができる。代替として、水洗弁は、洗浄作動モード中に弁を開放するのに
使用するためのフック及びキャッチフィーチャを有するフラッパ型水洗弁であることがで
きる。さらに他の実施形態において、水洗弁はポペット型水洗弁であることができ、ポペ
ット型弁カバーは、通常水洗モードで水洗弁を開放し、水洗弁は、洗浄作動モード中に弁
を開放するのに使用するためのカバーをその上に有するサイドポートを有する。
【００７５】
そのようなトイレアセンブリの実施形態はまた、洗浄システムによってトイレアセンブ
リにおけるトイレを定期的に洗浄するための方法において使用されることができる。方法
は、様々な従来のトレイアセンブリ構成において使用できる上述のトイレアセンブリを提
供することと、洗浄サイクルを開始するためにアクチュエータフィーチャによって制御シ
ステムを起動することと、流量制御装置を動作させ、供給管から閉位置における水洗弁の
内部空間へと液体洗浄剤の少なくとも１つの投与量を供給するのに十分な第１の期間に流
量制御装置を開放することと、水洗弁を開放するように水洗弁を動作させて、サイフォン
を開始するには不十分であるがトイレアセンブリにおける便器を洗浄するには十分な流量
で少なくとも１つのリム出口ポートを介して且つ便器内へと液体洗浄剤の少なくとも１つ
の投与量とともに水洗水を導入することとを含む。
【００７６】
様々な従来のトイレ設計において使用するのに適した上述の実施形態に基づく本発明の
さらなる実施形態は、トイレアセンブリによって使用するための洗浄システムを含み、洗
浄システムは、内部空間を画定する本体を有し且つ容器本体の内部空間と流体連通する出
口ポートを有する液体洗浄剤を保持するための容器と、容器を受け入れるように構成され
たハウジングと、容器の内部と流体連通し且つ容器内から流体を受け入れるための第１の
端部を有する供給管と、供給管を通る流れを制御可能な流量制御装置と、アクチュエータ
フィーチャによって起動可能な制御システムとを備え、アクチュエータフィーチャの起動
時に、制御システムは、容器からトイレアセンブリの１つ以上のリム出口へと液体洗浄剤
の投与量を供給するのに十分な第１の期間に流量制御装置を動作させること、及びサイフ
ォンを開始するには不十分であるがトイレアセンブリにおける便器を洗浄するには十分な
流量で、トイレアセンブリの便器内にトイレアセンブリの少なくとも１つのリム出口ポー
トを介して液体洗浄剤の投与量を運ぶために水洗水を導入するためにトイレアセンブリに
おける水洗弁を開放するように洗浄作動モードでトイレアセンブリにおける水洗弁を動作
させることによって洗浄サイクルを開始するようになされている。
【００７７】
そのような洗浄システムは、非噴射サイフォン重力動力便器、リム噴射サイフォン重力
動力便器、又は、重力動力ウォッシュダウン便器において使用できる。制御システムは、
洗浄作動モード中に弁を開放するのに使用するための弁カバーにおけるポペットフィーチ
ャを有するフラッパ型水洗弁であるトイレアセンブリにおける水洗弁を動作させることが
できる。それはまた、洗浄作動モード中に弁を開放するのに使用するためのフック及びキ
ャッチフィーチャを有するフラッパ型水洗弁であるトイレアセンブリにおける水洗弁を動
作させることができる。それは、さらに、ポペット型水洗弁であるトイレアセンブリにお
ける水洗弁を動作させることができ、ポペット型の弁カバーは、通常水洗モードで水洗弁
を開放し、水洗弁は、洗浄作動モード中に弁を開放するのに使用するためのカバーをその
上に有するサイドポートを有する。
【００７８】
上述の概要及び本発明の好ましい実施形態の以下の詳細な説明は、添付図面とともに読
めばより良好に理解されよう。本発明を説明するために、現在好ましい実施形態が図面に
示されている。しかし、本発明は、図示の正確な配置及び手段に限定されないことが理解
されるべきである。
【図面の簡単な説明】
【００７９】
【図１】本発明の実施形態によるトイレアセンブリ用の洗浄システムの概略フロー図である。
【図２】本発明の実施形態による洗浄システムによって且つ本願明細書におけるトイレアセンブリの一部として使用するための水洗弁を有するトイレタンクの内部の斜視図である。
【図３】本発明の実施形態による洗浄システムのタンク蓋アセンブリの斜視図である。
【図３Ａ】制御パネルが開放した図３の洗浄システムのタンク蓋アセンブリの斜視図である。
【図４】図３による洗浄システムのタンク蓋アセンブリの実施形態の分解図である。
【図５】洗浄システムの実施形態による容器並びに関連する供給管及び通気管の概略断面図である。
【図６】オーバーフロー管及び漏斗を有する水洗弁用のリンク、フラッパリフト機構及びリフトロッドを示す、図１６に示され且つ図３による洗浄システムを有する本発明によるトイレアセンブリのタンク部の図１６の線６−６に沿った断面図である。
【図７】上部タンク蓋が開放した図３の洗浄システムのタンク蓋アセンブリの斜視図である。
【図８】リム及び噴射水洗弁アセンブリを有するタンクの内部を示す本発明の１つの実施形態による便器アセンブリの斜視図である。
【図９】タンクの内部を示す図８の便器アセンブリの正面図である。
【図１０】図８の線１０−１０に沿った図１〜図２及び図８のトイレアセンブリの斜視横断面図である。
【図１１】図８のトイレアセンブリの上面図である。
【図１２】噴射開口及びリム開口を示すトイレアセンブリの便器部の上面図である。
【図１３】水洗弁を省略した図９の線１３−１３に沿った図８のトイレアセンブリの縦断面図である。
【図１４】噴射出口を示す図１３のトイレアセンブリの非常に拡大した部分を示す図である。
【図１５】線１５−１５に沿った図１６の縦断面図である。
【図１６】蓋がタンクから除去された図８のトイレアセンブリの平面図である。
【図１７】図１及び図３の洗浄システムの容器の部分及び拡大縦断面図である。
【図１８】図１及び図３の洗浄システムの容器及び液体供給弁の分解斜視図である。
【図１９】図８のトイレアセンブリ並びに図１及び図３の洗浄システム用のリフトアーム作動アセンブリの正面斜視図である。
【図２０】図１９のリフトアーム作動アセンブリの背面斜視図である。
【図２１】図１９のリフトアーム作動アセンブリの分解正面斜視図である。
【図２２】図１９のリフトアーム作動アセンブリの分解背面斜視図である。
【図２３】ギアモータアセンブリを有するギアモータハウジングに取り付けられた図１９のリフトアーム作動アセンブリの正面斜視図である。
【図２４】図２３のリフトアーム作動アセンブリ、ギアモータハウジング及びギアモータアセンブリの背面斜視図である。
【図２５】図２３のリフトアーム作動アセンブリ、ギアモータハウジング及びギアモータアセンブリの分解正面斜視図である。
【図２６】図２３のリフトアーム作動アセンブリ、ギアモータハウジング及びギアモータアセンブリの分解背面斜視図である。
【図２７】洗浄サイクル時間に対する洗浄剤溶液流量及び水洗水流量の関係のグラフ図である。
【図２８】従来の水洗トイレを使用する本発明のさらなる実施形態によるトイレアセンブリ用の洗浄システムの概略フロー図である。
【図２９】図２９Ａの線２９−２９に沿った図２９Ａの従来技術のトイレの縦断面図である。
【図２９Ａ】リム経路から分離されていない直接供給噴射流路を示す便器の従来技術の直接供給噴射便器の上面図である。
【図２９Ｂ】線２９Ｂ−２９Ｂに沿った図２９Ａの便器の横断面図である。
【図３０】リム供給噴射を有し且つリム供給噴射流路を示すさらなる従来技術の便器の縦断面図である。
【図３１】弁が閉位置にあるポペットフィーチャを有するフラッパカバーを有する従来のトイレを有する洗浄システムにおける使用に適した本発明の実施形態による水洗弁の側面図である。
【図３２】本願明細書におけるシステムの洗浄サイクルについての開位置における図３１による水洗弁の側面図である。
【図３３】弁が閉位置におけるバルブフックキャッチフィーチャを有するフラッパカバーを有する従来のトイレを有する洗浄システムにおける使用に適した本発明の代替実施形態による水洗弁の側面図である。
【図３４】本願明細書におけるシステムの洗浄サイクルについての開位置における図３３の実施形態による水洗弁の側面図である。
【図３５】弁が閉位置における別個のフラッパで覆われたサイドポートを有する従来のトイレを有する洗浄システムにおける使用に適した本発明のさらなる代替実施形態による水洗弁の側面図である。
【図３６】本願明細書におけるシステムの洗浄サイクルについての開位置における図３５による水洗弁の側面図である。
【図３７】本願明細書における洗浄システムの代替実施形態において使用するための流体供給弁を含む代替の容器アセンブリの分解図である。
【図３８】図３７の弁アセンブリの拡大縦断面図である。
【図３９】ハウジングシート及び代替のフラッパリフト機構における穿刺注射針型のチューブを有する本願明細書における洗浄システムのさらなる実施形態において使用するための代替の容器のフィーチャの概略図である。
【図４０】図３９のフラッパリフト機構の拡大斜視図である。
【図４１】本願明細書に記載された洗浄システムにおいて使用するための容器及びギアモータの分解縦断面図である。
【図４２】図４１の容器及びギアモータの縦断面図である。
【図４３】本願明細書に記載された洗浄システムにおいて使用するためのさらなる容器及びギアモータの分解縦断面図である。
【図４４】図４３の容器及びギアモータの縦断面図である。
【図４５】本願明細書に記載された洗浄システムにおいて使用するための容器及びギアモータのさらなる実施形態の分解縦断面図である。
【図４６】図４５の容器及びギアモータの縦断面図である。
【図４７】本願明細書に記載された洗浄システムにおいて使用するための容器及びギアモータのさらに他の実施形態の分解縦断面図である。
【図４８】図４７の容器及びギアモータの縦断面図である。
【図４９】本願明細書に記載された洗浄システムにおいて使用するための容器及びギアモータの他の実施形態の分解縦断面図である。
【図５０】図４９の容器及びギアモータの縦断面図である。
【図５１】本願明細書に記載された洗浄システムにおいて使用するためのさらなる容器の実施形態の分解縦断面図である。
【図５２】図５１の容器の縦断面図である。
【図５３】本願明細書に記載された洗浄システムにおいて使用するためのさらなる容器の実施形態の分解縦断面図である。
【図５４】図５３の容器の縦断面図である。
【図５５】本発明の洗浄システムの代替実施形態による洗浄システムにおいて使用するための機械弁を有する投与チャンバ及び代替の容器の斜視部分断面概略図である。
【図５６】図５５による投与チャンバのさらなる斜視部分断面概略図である。
【図５７】変更された部品を有する図１の洗浄システムのさらなる実施形態の構成要素の一部の分解斜視図である。
【図５８】図５７の実施形態の代替のリフトアーム機構の正面斜視分解図である。
【図５９】図５８のリフトアーム機構の背面斜視分解図である。
【図６０】ギアモータハウジング及び取り付けフランジをその上に有する図５７の洗浄システムのトレイの正面斜視図である。
【図６１】ギアモータハウジング及び取り付けフランジをその上に有する図５７の洗浄システムのトレイの背面斜視図である。
【図６２】図５７のギアモータハウジング、ギアモータアセンブリ及びハウジング取り付けフランジの分解斜視図である。
【図６３】組み立てられた形態の図５７の洗浄システムにおいてトレイに設置されたギアモータハウジング及びリフトアームアセンブリの縦断面図である。
【図６４】図５７の洗浄システム用のギアモータの前方にとられたトレイに設置されたギアモータハウジングの正面縦断面図である。
【図６５】図５７の洗浄システム用のギアモータの後方にとられたトレイに設置されたギアモータハウジングの背面縦断面図である。
【図６６】ギアモータハウジング、図５７の洗浄システム用のトレイ上に組み立てられたリフトアーム作動機構を有するギアモータの上面図である。
【図６７】図５７の洗浄システムの一部としての液体供給弁、供給弁ギアモータ及び容器の動作を示す、組み立てられたタンク蓋、トレイ、容器ハウジング、カバー及び容器を通る縦断面図である。
【図６８】図５７の洗浄システムの組み立てられたカバー、容器ハウジング及びトレイの拡大部分の部分分解図である。
【図６９】図６８の組み立てられたカバー、容器ハウジング及びトレイの同じ拡大部分の完全分解図である。
【図７０】本発明のさらなる実施形態において使用するためのリフトアームアクチュエータアセンブリのさらなる代替の本体の正面斜視図である。
【図７１】図７０のアクチュエータアセンブリの分解正面斜視図である。
【図７２】図７０のアクチュエータアセンブリの背面斜視図である。
【図７３】図７０のアクチュエータアセンブリの分解背面斜視図である。
【発明を実施するための形態】
【００８０】
本発明は、トイレを含むトイレアセンブリ、並びに本願明細書に記載されたようなトイ
レアセンブリによって使用するための洗浄システム及びそのような洗浄システムを使用し
て定期的にトイレを洗浄するための方法の様々な実施形態を含む。本願明細書における洗
浄システムは、ユーザがトイレを洗浄したい任意の時点でユーザによって作動させること
ができる洗浄サイクルを提供する。洗浄システムは、従来の水洗サイクル外で動作し、ト
イレのその後の使用時にトイレが正常に水洗されるように洗浄後に自動的にシャットダウ
ンする。それゆえに、液体洗浄剤は、水洗サイクルごとではなく洗浄サイクル中にのみ供
給される。洗浄サイクルはまた、便器から排水管へと洗浄剤を除去するためにパージステ
ップを含むことができる。それゆえに、そのような洗浄サイクルは、洗浄剤を酷使せず又
は洗浄間において洗浄剤を便器に存在したままにせず、環境にとってより安全とし且つさ
もなければ水洗水内の有害洗浄剤によって悪影響を受けることがあるペット及び子供に対
してフレンドリーとする。システムは、「パージ」又は「リンス」サイクルを起動する前
に１つ以上の所望の及び／又は予め設定された期間に便器内に洗浄流体を残すように設定
することができる。
【００８１】
１つの実施形態において、システムは、ユーザの選択として各水洗によって洗浄流体の
少用量又は断続的用量を提供するというオプションを提供することができる。これは、例
えば、弁が開放する前に少投与量が添加されることができるように自動モードにおける水
洗を使用して、ＰＬＣにプログラミングされた代替のオプションとして、又はより好まし
くは当業者に利用可能な様々な他のオプションによって行うことができる。これは、シス
テムの電源使用を増加されるが、電池容量を増大させることができる又は交流電流などの
電気的接続を提供することができる。
【００８２】
代替として、その後の手動水洗が作動されたときに、追加の材料が導入された後、手動
の水洗水が便器内により少量の洗浄剤を洗い流すことになるように、定期の設定された間
隔で少投与量を添加するためにタイマが使用されてもよい。タイマ機構に加えて、手動の
水洗サイクルが起動されたときに、断続的な水洗なしに洗浄剤の数倍の投与量の添加を回
避するようにシステムに警告するためにセンサが設けられてもよい。
【００８３】
本願明細書において使用される場合、「内側」及び「外側」、「上側」及び「下側」、
「前方」及び「後方」、「前」及び「後」、「左」及び「右」、「上方」及び「下方」な
どの語並びに類似の意味の語は、添付図面における図を参照しながら且つ図に示されたよ
うなトイレアセンブリの向きに関して本発明の好ましい実施形態を理解するのを助けるよ
うに意図され、本発明の範囲を限定すること又は図に示されているような好ましい実施形
態に本発明の範囲を限定することを意図するものではない。本願明細書における実施形態
１０、２００、３００、４００、５００、７００、８００、９００、１２００、１３００
、１４００、１５００、１６００、１７００、１８００及び１９００は、それぞれ、特定
のフィーチャについての代替の構成の記載とは対照的に文言が存在しない場合、当業者に
は、特に指定しない限り、１つのそのようなフィーチャの記載が類似のフィーチャを記載
する他の実施形態に適用可能であることが本開示及び添付図面に基づいて理解されるよう
に、本願明細書に記載され図面に示されているような本発明の類似のフィーチャを指すた
めに同様の参照符号を使用する。
【００８４】
図１〜図４及び図６〜図２７を参照して、トイレ３０及び洗浄システム１００を有する
好ましいアセンブリ１０は、本願明細書における洗浄システムアセンブリを有するトイレ
アセンブリにおいて使用するために記載される。本実施形態における好ましいトイレアセ
ンブリ１０及び洗浄システム１００は、図示されているような構成で動作可能であるが、
洗浄システムが様々なトイレに適合されてプログラミングされることができることが本開
示に基づいて理解されるべきである。これは、実施形態１６００、１７００及び１８００
においてさらに以下に述べられる。重力動力サイフォン水洗トイレが好ましいが、単一又
は複数水洗モデルであるかどうかにかかわらず、ウォッシュダウントイレもまた、以下の
実施形態１６００、１７００及び１８００においてさらに詳述されているようにいくつか
の変更又は適合を有して本願明細書における洗浄システムにおいて使用することができる
。本実施形態に最も好ましいトイレは、本願明細書に詳述されているように分離されたリ
ム流路を有するものである。図２、図８、図９及び図１６に示されているように、好まし
いトイレは、リム水洗弁８０及び噴射水洗弁７０の２つの独立した水洗弁を有する。リム
水洗弁８０は、タンク内の水位がオーバーフロー管の高さを超えたときにタンクからリム
又はリムチャネルへと水を導くのに役立つオーバーフロー管１９０を有する。補充タンク
６６は、水洗サイクル又は洗浄サイクル後にタンクを補充する。それはまた、水洗サイク
ルが終了し便器が下水ガスの逆流に対してシール深さを復元するように補充される必要が
ある場合、オーバーフロー管１９０を介して便器に水を供給するための導管１３８を有す
る。
【００８５】
本願明細書に記載された好ましいトイレアセンブリは、リム及び噴射経路を別個に保つ
設計であることから、洗浄サイクル中にサイフォンの形成を回避する（又はさもなければ
「保持」期間前に排水管に出る洗浄流体の百分率を低減する）という要望を考慮して効果
的に動作する。１つのそのようなトイレは、同時係属中の国際特許出願公開第２０１４／
０７８４６１号公報において本出願人によって記載されており、国際特許出願公開第２０
１４／０７８４６１号公報は、制御された動作ために弁カバーを完全に持ち上げる又はピ
ールバックするように有用なピールバックフラッパフィーチャ、様々な逆流防止機構、内
部弁のウェブ構造の使用及び二重チェーン機構を有する水洗弁設計を含むそのようなトイ
レ及びその水洗弁のフィーチャ及び動作を記載しており、国際特許出願公開第２０１４／
０７８４６１号公報は、トイレ及びそのような水洗弁フィーチャ、並びにそれらの動作の
説明の程度まで参照により本願明細書に組み込まれている。
【００８６】
トイレアセンブリ１０は、国際特許出願公開第２０１４／０７８４６１号公報及びさら
に以下に記載されているような便器３０を有する。アセンブリは、内部領域３６を画定す
る便器３０と、タンク内部１１９を画定するトイレタンク６０と、水洗弁８０と、リム入
口ポート２８とを含む。水洗弁８０は、好ましくは、便器３０のリム入口ポート２８に流
体を供給するように構成されており、これは、本願明細書に記載されたように分離された
リム及び噴射経路及び別個のリム及び噴射水洗弁を有するトイレの場合に、リムを含む実
施形態における便器の周りにリムチャネルから従来の一連のリム出口ポートを介して、又
は、以下において本願明細書に記載されたように、余分な洗浄作用のためにリムレス便器
実施形態の側方内に直接リム水洗弁８０のうちのリム流路からリムフロー水を注入する単
一側リム入口ポート２８を介して、便器までリム入口ポート２８を組み込むことができる
。トイレアセンブリにおいて使用される洗浄システムは、本願明細書において述べられて
いる実施形態１０、２００、３００、４００、５００、７００、８００、９００、１２０
０、１３００、１４００、１５００又は１９００において使用されるもののいずれかであ
ることができる。
【００８７】
トイレアセンブリ１０は、好ましくは、直接供給噴射部２０、リム水洗弁８０及びトイ
レにおいて直接供給噴射部２０に水洗水を導入するように動作可能な第２の噴射水洗弁７
０を含む。リム水洗弁８０用の流体経路ＲＦ及び噴射水洗弁７０用の噴射流体経路ＪＦは
、本実施形態において互いに分離されたままである。洗浄サイクルにおいて、噴射水洗弁
７０は、閉じられたままであり、好ましくは任意選択で、噴射流体経路は、洗浄サイクル
の前後及び通常の水洗動作における水洗サイクルの前において準備状態に維持される。し
かしながら、パージステップが追加される場合、噴射水洗弁はまた、上述のように追加の
水量を放出するようにパージステップ中に開放されていてもよい。
【００８８】
本実施形態における供給管の第２の端部は、リム水洗弁８０に接続されたオーバーフロ
ー管１９０の内部と流体連通する。別個のリム及び噴射タンク区画は、国際出願公開第２
０１４／０７８４６１号公報に記載されているように、別個の補充弁、別個の水洗作動機
構及び別個のオーバーフロー管で使用することができるが、開放タンク、水洗弁及びリム
水洗弁における単一のオーバーフロー管の双方を動作することができる単一の水洗アクチ
ュエータを有する実施形態が好ましい。しかしながら、本願明細書の開示に基づいて、複
数の区画並びに／又は１つ以上の水洗弁及び関連する機構が、本発明の精神又は範囲から
逸脱することなく、本願明細書における洗浄システムによって使用できることが当業者に
は理解されよう。
【００８９】
リム水洗弁８０は、以下に記載されたようなリンクと連通し且つフラッパリフト機構に
接続された以下にさらに記載されたようなリフトロッドを使用して又は１つ以上の様々な
リフトアームアクチュエータアセンブリ１４０を使用することによってフラッパリフトロ
ッドリフト機構８２ａなどの水洗弁動作機構８２に嵌合される又はそれと連動して機能す
ることができる。
【００９０】
フラッパリフト機構は、リム水洗弁の弁本体の上又は周りに配置され、制御システムに
よって作動されたときギアモータによる機械的作動時にリフト機構は、洗浄サイクル及び
／又は水洗サイクル中にリム水洗弁を持ち上げて手動で動作することができる。従来の水
洗サイクルにおいて、リム及び噴射水洗弁は、好ましくは、本願明細書に記載されたよう
に水洗アクチュエータによって動作される。水洗ハンドルは、リム水洗弁を開放するため
に、例えば本実施形態１０並びに実施形態５００及び１９００に記載されたように水洗弁
動作機構８２の一部であることができる。又は、水洗弁動作機構８２は、実施形態４００
におけるようなリフトロッドを有する機械的フラッパリフト機構の形態であることができ
る。様々な水洗動作機構は、水洗弁を動作させるための制御システムによって起動可能な
ギアモータによって動作することができる。溶液を計量するための流量制御装置はまた、
例えば機械式又は他の液体供給弁を動作させるギアポンプ及び／又はギアモータ、蠕動ポ
ンプ、及び回転装置などを使用して、本発明のトイレアセンブリにおいて本願明細書に記
載された便器とともに使用するために洗浄システムに組み込むことができる。本願明細書
に記載された洗浄システムの様々な実施形態の全ての他の態様は、本願明細書のアセンブ
リに組み込むことができる。
【００９１】
本願明細書における好ましいサイフォン水洗トイレアセンブリは、好ましくは別個の噴
射経路及びリム経路入口を介して噴射水洗弁及びリム水洗弁から異なる流体量を供給する
ように便器アセンブリ内に導入された流体の流れを分離することによって噴射チャネルを
含む準備された閉じられた噴射流体経路を維持する。これは、空気で満たされた噴射チャ
ネルで動作し乱流及び流れ制限を最小限にするように空気を排出しなければならないより
伝統的な重力水洗サイフォントイレに比べてより強力な性能を提供し、また、結果として
、好ましい準備された閉じられた噴射流体経路及び分離されたリム経路は、より良好な洗
浄作用及び洗浄サイクルに貢献する。
【００９２】
本実施形態の便器アセンブリ１０は、噴射弁出口から流体を受け取り噴射弁出口から噴
射入口ポート及び噴射チャネル内に流体を供給するための任意選択の噴射マニホールドを
組み込むことができる。しかしながら、噴射経路が閉じられていることから、追加のマニ
ホールド領域の使用は不要である。閉じられた噴射流体経路は、絶え間なく準備状態で噴
射チャネルを維持し、チャネルへの空気の流入から噴射チャネルを分離する。これは、（
１）リムチャネルから噴射チャネルを分離すること、（２）タンク内の水位が水洗弁の開
度のレベルまで低下する前に標準的な水洗サイクルで噴射チャンネル水洗弁を閉じること
、（３）噴射チャネル出口に入る空気を遮断するのを助けるために汚水槽領域において噴
射トラップにおけるシール深さを確立することを１つの実施形態において含むことができ
る、空気流が噴射チャネル（単数又は複数）及び任意選択の噴射マニホールドに入るのを
防止すること、及び／又は、（４）サイフォンブレーク時に空気が噴射チャネル内に戻る
のを可能とするレベルにまで噴射トラップ内の水位が低下しないことを確実にするために
アセンブリを構成し動作させることによって達成される。
【００９３】
一般に、トイレのリム入口ポートへの流体の容積対噴射経路への流体の容積の比はまた
、トイレの性能に影響を与える。従来のサイフォン噴射トイレにおいては、噴射力を供給
しサイフォンを開始するために水洗水の約７０％が必要とされ、約３０％のみがリム機能
により便器を洗浄するために残る。本願明細書におけるアセンブリにおいて使用される好
ましい準備されたトイレにおいては、サイフォンを開始するためにはるかに少ない水が必
要とされ、これはより多くの水が便器の洗浄に使用されることを可能とする。出願人によ
って、水洗水の約５０％以上が便器洗浄の顕著な改善のためにリム入口ポートに導かれる
ことができることが判明されている。好ましい実施形態において、約６５％超、いくつか
の場合には約７０％超の水がリム機能に導かれることができる。
【００９４】
上記要因に加えて、汚水槽領域において水の十分なシール深さを維持するための及び／
又は汚水槽から噴射チャネル内への空気の逆流を防止するための他の方法は、サイフォン
が洗浄サイクル外で通常の水洗動作中にサイフォンブレークが発生しながら、噴射チャネ
ルを介した且つ噴射チャネルからのより遅い水の流れを維持することである。例えば、汚
水槽が空である場合にサイフォンを開始するために、噴射チャネル出口ポートを介した且
つ噴射チャネル出口ポートからの流れは、約１７５ｍｌ／秒超であるべきであり、約７４
７ｍｍ２の通常の噴射出口ポートについて約２３．４ｃｍ／秒の速度で移動するべきであ
る。この数字は、噴射出口ポートの寸法の変動に応じて調整することができ、特定の実施
形態について１１００ｍｌ／秒以上に高くすることができる。流れは、約０．１秒から約
５秒間に発生すべきである。汚水槽領域において十分な深さを依然として維持しながら及
び／又は空気が噴射出口ポートに入るのを避けながらトラップウェイにおいて水洗するた
めのサイフォンを生成するために、噴射チャネルを通る流量は、同じ噴出ポート出口サイ
ズについて且つ約２．１２５インチの平均直径を有するトラップウェイについて約１２７
ｃｍ／秒以上の速度で約９５０ｍｌ／秒以上から約１５００ｍｌ／秒までであるべきであ
る。流れは、サイフォンが終了し汚水槽内の水位が安定するまで、一般には約１秒から約
５秒間、継続すべきである。
【００９５】
噴射水洗弁及びリム水洗弁についてのそのような水洗弁の作動を制御することは、本願
明細書における様々な実施形態において多くの方法で行うことができる。１つの方法は、
関連部分が参照により本願明細書に組み込まれている米国特許出願公開第２００９／０３
１３７５０Ａ１号明細書及び米国特許第６，８２３，５３５号明細書に開示され記載され
ているように電磁弁を使用することである。弁制御方法はまた、純粋に機械的な方法によ
って、例えば、関連部分が参照により本願明細書に組み込まれている米国特許第６，７０
４，９４５号明細書に開示されているもののようなデュアル入口水洗弁への変更によって
達成することができる。代替として、同時係属中の国際特許出願第ＰＣＴ／ＵＳ２０１４
／２７８４６１号公報及びその関連した出願に示されているようなシーケンスにおける２
つの水洗弁の最適性能のためにバランスのとれた水洗作動アーム又はバーが使用できる。
そのような機構は、機構の重量を補償する又はその動作部に応じて調整する代わりに、自
動水洗弁動作機構によって効果的に動作するように調整を必要とすることがある又は必要
としないことがある。
【００９６】
汚水槽領域における十分な水洗後深さ及び／又は噴射出口ポートを介して閉じられた噴
射流体経路に入る水の停止はまた、サイフォンブレークが発生しながら本願明細書に図示
されているようにリムレストイレにおけるリム棚への水の流れを維持することによって達
成することができる。本願明細書に記載されたトイレシステムは、リム及び噴射の流れを
制御するための別個のチャネル及び弁機構を含むことから、システムは、サイフォンブレ
ーク中にリム入口ポートを通る流れを継続するように設計することができる。リム入口ポ
ートへの水の流れは、好ましくは、噴射出口ポートの高さ超に汚水槽領域における水位を
維持するのに十分であるが、トラップウェイにおいてサイフォンを維持するのにはまだ不
十分である。このように、追加された安全保障は、空気がない噴射チャネルを維持するた
めに提供されることができ、汚水槽領域におけるシール深さへの依存を低減する。噴射及
びリムを通る流れはまた、汚水槽領域において十分な水洗後深さを維持するためにともに
利用することができることに留意されたい。
【００９７】
一緒に機能する洗浄システム及びトイレを組み込む本アセンブリが従来技術に比べて改
善を提供する関連領域は、６．０リットル未満、好ましくは４．８リットル未満及びいく
つかの場合には２．０リットル未満の水洗量を有する高効率のサイフォントイレにおける
ものである。本願明細書に記載された本発明の便器アセンブリの実施形態は、低減した水
使用量で優れた便器の清浄度を依然としてもたらしながら、単一水洗トイレ又はデュアル
水洗トイレアセンブリにおいて約６．０リットル／水洗以下を有する本日のトイレと一貫
性のある目詰まりに対する耐性を維持することができる。できるだけ少ない水がサイフォ
ンを開始するために噴射チャネルを介して必要とされることから、本願明細書における準
備されたトイレアセンブリの実施形態は、１水洗あたり約４．８リットル以下まで機能す
ることができ、好ましくは、１水洗あたり約３．０リットル以下及び１水洗あたり約２．
０リットルという低さで機能することができる超高効率のトイレの生産を可能とする。
【００９８】
さらに、本発明は、本発明が従来技術を超える改善を提供するさらなる関連領域は、よ
り大きなトラップウェイを有するサイフォントイレによって使用される場合である。トラ
ップウェイのサイズを変更することにより、水消費量及びトイレの性能は、大幅に影響を
受けることができる。本発明において、本願明細書における便器アセンブリは、噴射経路
に沿って準備された閉じられた噴射流体経路を介して達成される流れに対する乱流及び制
約の低減のために、様々トラップウェイサイズ及び容積のサイフォントイレにおいて準備
されたままであることができ、これは便器アセンブリが優れた水洗及び洗浄能力を維持す
るのを可能とする。
【００９９】
図１〜図２７は、本実施形態の洗浄システムのいずれか又は本願明細書における実施形
態２００、３００、４００、５００、７００、８００、９００、１２００、１３００、１
４００、１５００又は１９００を含む便器アセンブリ１０を形成するために本願明細書に
おける便器３０及び洗浄システムを有する第１のアセンブリの実施形態１０を示している
。トイレは、噴射水洗弁入口７１及び噴射水洗弁出口１３を有する少なくとも１つの噴射
水洗弁アセンブリ７０を含む。噴射水洗弁アセンブリは、様々な構成を有することができ
、当該技術分野において公知の又は開発される任意の適切な水洗弁アセンブリであること
ができる。それは好ましくは、そのような弁及び重み付けカバーの使用の記載の関連部分
が参照により本願明細書に組み込まれている同時係属中の米国特許出願公開第２０１４／
００９０１５８Ａ１号明細書に記載されたものと同様に構成されている。図示されている
ように、噴射水洗弁アセンブリ７０は、噴射水洗弁アセンブリを通る流れを制御するため
のリム水洗弁アセンブリ８０よりも短い弁の高さプロファイルを有する。リム水洗弁アセ
ンブリ８０及び噴射水洗弁アセンブリ７０のそれぞれは、各カバー１０５、１５を有する
。任意選択のフロート１７がチェーン又は他のリンクを介してそれに取り付けられてもよ
い。同時係属中の米国特許出願公開第２０１４／００９０１５８Ａ１号明細書に記載され
ているように、そのようなフィーチャは、特定の水洗弁設計における高度な性能及び浮力
の制御を提供するのに役立つ。しかしながら、本発明の原理に基づいて動作する他の水洗
弁アセンブリが使用でき、改善された洗浄能力を提供することができることが理解される
べきである。さらに、そのようなフロートは完全に任意選択である。
【０１００】
噴射水洗弁アセンブリ７０は、その噴射水洗弁出口１３から閉じられた噴射流体経路１
まで流体を供給する。閉じられた噴射流体経路１は、噴射チャネル３８を含み、閉じられ
た噴射流体経路１は任意選択で、例えば図１０に示されているように任意選択の噴射マニ
ホールド１２を含むことができる。そのようなマニホールドは、動作を変更することなく
省略されてもよい。図２、図８及び図９における水洗弁アセンブリ８０などの少なくとも
１つのリム水洗弁アセンブリも設けられる。各リム弁アセンブリは、リム水洗弁入口８３
及びリム水洗弁出口８１を有し、リム水洗弁８０は、リム入口ポート２８に直接的又は間
接的にリム水洗弁８０の出口８１からの流体を供給するために構成される限り、上述のよ
うな任意の適切な水洗弁アセンブリであることができる。
【０１０１】
図示された実施形態において、リム３２は、流体がリム入口ポート２８を通って便器３
０内に導入され且つ便器３０の内部表面３９に形成された外形又は幾何学的フィーチャ（
単数又は複数）に沿って移動する「リムレス」設計のものである。すなわち、外形は、便
器３０の上部周囲部分３３に沿って形成された１つ以上の棚２７又は同様のフィーチャと
することができる。リム棚２７とも本願明細書において称される棚（単数又は複数）は、
少なくとも部分的に便器の周りにリム入口ポート２８からその上部周囲部分３３において
便器３０の内部表面３９に沿って一般に横方向に延在する。便器３０は、様々な形状及び
構成のものであってもよく、様々な便座蓋及び／又は蓋ヒンジアセンブリの構造を有する
ことができる。便座蓋は任意選択であるため、それらは図示されていないが、公知の又は
開発される任意の適切な蓋が本発明で使用することができる。
【０１０２】
図１０に示されているように、棚２７は、洗浄のために渦流効果を誘導するために終端
前にほぼ内部表面全体の周りに延在することができる。リム棚の設計はまた、リムレスフ
ィーチャ及びそれらの動作の記載に関する関連部分が参照により本願明細書に組み込まれ
ている同時係属中の米国特許出願公開第２０１３／０２１９６０５Ａ１号明細書に記載さ
れているように、複数のリム棚と、複数のリム入口とを含むことができる。
【０１０３】
より従来の上部リムによって画定されたリムチャネル内に供給するリム入口（単数又は
複数）を有し且つ便器の内部領域内に洗浄水を導入するための１つ以上のリム出口ポート
を有する標準的なリムチャネルがまた本願明細書に記載された実施形態において使用され
てもよいことがまた理解されるべきである。リムレス設計の代わりに標準的なリムチャネ
ルが採用される場合、そのようなリムは、非加圧であってもよく、又は、トイレアセンブ
リ設計に関して参照により本願明細書に組み込まれている米国特許第８，３１６，４７５
号明細書に記載されているものなどのフィーチャを採用することによって加圧された流れ
を供給するように変更されることができる。その特許のリムフィーチャは、本発明の範囲
から逸脱することなく本発明のより従来のリム設計を作成するためにアセンブリ内に組み
込むことができる。
【０１０４】
便器アセンブリはまた、少なくとも１つの噴射チャネル３８を画定する噴射部２０を含
む。噴射部２０は、噴射水洗弁７０の出口１３と流体連通する入口ポート１８及び便器３
０の下側又は底部３９に配置された噴射出口ポート４２を有する。噴射出口ポートは、便
器３０の汚水槽領域４０に流体を排出するための可変断面形状及びサイズで構成されてい
てもよい。汚水槽領域４０は、堰４５を有するトラップウェイ４４への入口４９と流体連
通する。閉じられた噴射流体経路１は、噴射チャネル２８を含む。噴射水洗弁７０は、好
ましくは、トラップウェイの堰４５よりも上のレベルＬに配置される。閉じられた噴射流
体経路１は、好ましくは、噴射水洗弁７０の出口１３から噴射部２０の出口ポート４２ま
で延在する。アセンブリが準備されると、閉じられた噴射流体経路１は、標準的な水洗サ
イクルの作動前且つ完了後に空気が閉じられた噴射流体経路に入るのを避けるために流体
によって準備されたままであることができる。しかしながら、洗浄サイクル中において、
独立してリム水洗弁８０を動作させるために制御システムを使用する場合、噴射水洗弁は
、洗浄サイクル中に稼働しないままであるが、システムが洗浄サイクルの終了においてパ
ージを行うように動作するときに使用することができる。
【０１０５】
閉じられた噴射流体経路は、噴射水洗弁アセンブリ７０の出口１３の端部に係合するよ
うに成形され且つ噴射水洗弁アセンブリ７０の出口１３から流体を受け入れる噴射マニホ
ールド入口開口１４を有する任意選択の噴射マニホールド１２を含むことができる。しか
しながら、噴射弁は、任意選択の噴射マニホールド領域なしで噴射弁アセンブリ７０の出
口１３から中を通って噴射部の底部及び噴出出口４２まで移動する別個の噴射チャネル経
路に直接出ることができる。存在する場合、噴射マニホールド１２はまた、噴射入口ポー
ト１８へと流体を供給するための噴射マニホールド出口開口１６を有する。存在する場合
、噴射入口ポート及びマニホールド出口開口は、マニホールドを画定する壁の両側におけ
る本質的に同じ開口である。便器アセンブリ１０はまた、同様に任意選択の別個のリムマ
ニホールド２２を有することができる。使用される場合、任意選択のリムマニホールド２
２は、リム水洗弁アセンブリ８０の出口８１の端部に係合し且つリム水洗弁アセンブリ８
０の出口８１から流体を受け入れるために構成されたリムマニホールド入口開口２４を有
する。存在する場合、リムマニホールドは、リム入口（単数又は複数）及び／又はリム入
口ポート２８に流体を供給するための出口開口２６を有することになる。そのような実施
形態において、リム３２（（加圧又は非加圧）出口ポートを有する従来のリムチャンネル
として又は本願明細書に図示されているようなリムレス棚として構成されるかにかかわら
ず）は、リムマニホールド出口開口２６と流体連通するリム入口ポート２８によって便器
の周りに少なくとも部分的に延在することができる。別個の流路がリム水洗弁８０の出口
８１からリム入口ポート２８まで直接延びることも許容可能である。
【０１０６】
上述のようなアセンブリは、市水、タンク水、又は井戸水などを供給する供給管と流体
連通するように設置された場合に接続されるタンク充填弁を有するなど、水洗使用のため
に流体源から流体を受け入れるための任意の様式で接続可能なタンク６０を含む。アセン
ブリの設置時に、タンク６０は、タンクを介して充填弁６６内に流体の流れを受け入れる
ことができる。タンクは、好ましくは、少なくとも１つの充填弁６６を有する。充填弁は
、本開示において記載された機能を果たすためにタンク内で所望の容積を維持するのに適
切に水を供給する限り、市販されている又は開発される任意の適切な充填弁であることが
できる。タンク６０は、本願明細書に図示されているようにリム及び噴射水洗弁アセンブ
リの双方を保持する１つの大きな開放容器であることができる。タンクはまた、必要に応
じて少なくとも１つの噴射容器及び少なくとも１つのリム容器を有するように上述のよう
に変更することができる。分割された容器が設けられる場合、噴射容器は、少なくとも１
つの水洗弁アセンブリ７０に関連付けられている充填弁又は別個の噴射充填弁を含むこと
ができ、リム容器は、少なくとも１つのリム水洗弁アセンブリ及びタンク又はリム充填弁
を含むことができる。この設計は、別個の噴射部及びリムタンクの使用の記載に関して本
願明細書に組み込まれている同時係属中の国際特許出願公開第２０１４／０７８４６１Ａ
１号公報に記載されている。必要に応じて、そのようなリム容器は、リム水洗弁アセンブ
リ８０においてオーバーフロー管をさらに含むことができる。しかしながら、単一のタン
ク容器を有する開放タンクが好ましい。
【０１０７】
図１〜図２７の実施形態のトイレアセンブリ１０は、約６．０リットル以下、好ましく
は約４．８リットル以下、さらにより好ましくは約２．０リットル以下の水洗容量で動作
することができる。
【０１０８】
便器の汚水槽領域４０は、好ましくは、便器３０の内部表面３９によって画定された噴
射トラップ４１を有する。噴射トラップ４１は、入口端部４６及び出口端部５０を有する
。噴射トラップの入口端部４６は、噴射出口ポート４２から流体を受け入れ、便器３０の
内部領域３７及び噴射トラップ４１の出口端部５０は、トラップウェイ４４への入口４９
内に入る流れを受け入れる。噴射トラップは、シール深さを有する。シール深さは、噴射
経路とともに変化することができ、深さの測定及び全てのそのような変化は、実施形態１
０に容易に組み込むことができ、実施形態１０において動作可能であることができる。そ
のような変化は、この特定のトイレアセンブリについての噴射経路の変化及びシール深さ
のオプションを記載する関連部分が本願明細書に組み込まれている国際公開第２０１４／
０７８４６１号公報に詳細に記載されている。
【０１０９】
準備状態のアセンブリ１０などのサイフォン水洗トイレアセンブリを維持するために、
開始ステップは、上述のようなフィーチャを有する便器アセンブリを提供することであり
、ここで、少なくとも１つの噴射チャネル３８をその中に有する閉じられた噴射流体経路
１は、準備されると、閉じられた噴射流体経路が水洗サイクルの作動前及び完了後に空気
が閉じられた噴射流体経路に入るのを避けるように流体によって準備されたままであるが
できるように、噴射水洗弁７０の出口１３から噴射部２０の出口４２まで延在する。水洗
サイクルは、好ましくは、水洗アクチュエータ２などの任意の適切なアクチュエータによ
って作動される。１つの好ましい実施形態において、陶磁器の外装及びアクチュエータ２
は、抗菌性表面を提供する材料から形成される又はそれを組み込む。水洗アクチュエータ
２は、標準的な水洗ハンドルであってもよく、又は、本願明細書に図示されているように
、以下にさらに記載されているような弁作動機構の一部であるようになされていてもよい
。ハンドルなどの水洗アクチュエータによって水洗サイクルを開始した後、ハンドルは、
水洗起動リフトアーム１４４に（ある様式で動作可能に接続している（接続は取り外し可
能であっても又は取り外し可能でなくてもよい）。本実施形態又は実施形態５００、１９
００に記載されたような機構も設けられることができる。
【０１１０】
ハンドル２は、回動ロッド又は同様の装置に接続するリフトアームと動作可能に接続さ
れている。図示されているように、それは水洗起動バー７５に回転可能コネクタ又はリン
クを介して接続する。図示されているように、リフトアーム１４４は、横方向に又は角度
を付けて回転することができ且つ水洗弁の最適化された開口の配置及びバランスを調整す
るための長手方向調整接続部１４４ｂを有するように図示されているようになされていて
もよい回転可能リンクコネクタ１４４ａに接続する。そのような調整は、製造業者によっ
て予め設定されてもよく並びに／又は設置者若しくはユーザによってさらなる変更及び位
置合わせに応じて調整可能であってもよい。任意のヒンジ、ピン接続、ワッシャ又は他の
回転コネクタも使用できる。水洗起動バー７５は、好ましくは、ある様式で可動であるこ
とが好ましいリンクを介する起動リフトアーム１４４への可動接続のためのバランス点を
有するように構成されている。可動及び回転可能なリンク１４４ａは、図示されているよ
うに使用でき、好ましいバランス点において水洗起動バー７５に水洗起動リフトアーム及
びそのリンクを接続する。バランス点は、通常の水洗サイクルで水洗サイクルを作動させ
るためにハンドルが押下されたときに各弁の開放の時間を特別に且つ機械的に調整するよ
うに、水洗弁によって動作するように設計することによって選択される。ハンドルが押下
されると、水洗起動リフトアーム及びリンクは、水洗起動バー７５に接続される調整可能
、可動及び回転可能なコネクタ１４４ａなどの関連するリンクを有する機構の端部ととも
に上方に押される。次いでこれは、起動バー７５において引き上げる。図示されているよ
うに、機構はまた、図示されているようなコネクタ１４４ｂなどの長手方向に調整可能な
コネクタを使用して異なるタンクの高さ及び値構成について長手方向に調整可能であるこ
とができる。
【０１１１】
従来の水洗サイクルが起動されると、流体は、少なくとも１つの噴射水洗弁アセンブリ
及び少なくとも１つのリム水洗弁アセンブリを介して提供される。閉じられた噴射流体経
路の構成はこのようであり、水洗サイクルの完了後に準備状態で閉じられた噴射流体経路
を維持するように最適化された水洗サイクルのタイミングである。
【０１１２】
本願明細書の方法の１つの実施形態において、水洗サイクルを作動した後、水洗起動バ
ーは、空気が噴射出口に入るのを回避しトラップウェイにおいてサイフォンを発生させる
のに十分な流量で少なくとも１つの噴射水洗弁アセンブリを介して流体を提供するように
、水洗アクチュエータハンドル及びリフトアームによって動作される。そして、流量は、
サイフォンブレークまで約１秒から約５秒間、噴射チャネルを介して低下しそして、流量
は、汚水槽領域内の水位を安定させるためにサイフォンブレーク後に再び上昇する。
【０１１３】
流体はまた、好ましくは、水洗サイクル中に少なくとも１つのリム水洗弁アセンブリを
介して提供される。最初に設置されるとき、トイレは、汚水槽が流体で満たされるまで空
気が噴出出口ポートに入るのを回避するのに十分な噴射水洗弁アセンブリ出口を通る流量
を提供することによって初期準備を必要とすることがある。トイレアセンブリは、自己準
備することができる。自己準備は、その用語が本願明細書において使用される場合、噴射
チャネルが空気を有するようにさせせる状態にトイレがあるときに全ての空気が噴射チャ
ネルから排出されることを意味する。
【０１１４】
例えば上述のようにトイレが最初に設置される場合、通常トイレはこの状態にあるが、
配管工作業又はメンテナンスなどの他の状況もそのような状況を生じさせ得る。ユーザは
、もちろん、設置時にトイレアセンブリを準備するように手動で介入することができ、又
は、構成されるときに、トイレは、ユーザの手動介入なしにトイレの最初のいくつかの水
洗のうちの１回以上にわたって自己準備することができる。本実施形態におけるトイレア
センブリ１０に関して、トイレは、わずか約３回の水洗のみで実質的に全ての空気を排出
することができるが、多かれ少なかれ個々のトイレの幾何学的形状に応じて必要とされる
ことがある。自己準備を完了させるために、噴射水洗弁を通る流体の流量は、空気を移動
させるのに十分なエネルギーを提供するように噴射出口ポートを出る流体の流量よりも大
きくする必要がある。これは、性能を向上させるために噴射チャネル及び／又は噴射出口
ポートの幾何学的形状及び／又は断面積の変更によって並びに／或いは水洗弁の変更によ
って達成することができる。それゆえに、噴射チャネルを介した閉じられた噴射流体経路
内への高いエネルギー及び強い速度の流れに寄与することができる噴射水洗弁を使用する
ことが好ましい。適切な弁は、米国特許第８，２６６，７３３号明細書及び同時係属中の
米国特許出願公開第２０１４／００９０１５８Ａ１号明細書において、並びに国際公開第
２０１４／０７８４６１号公報の図３５〜図６８に記載された噴射水洗弁の様々な実施形
態において記載されている。これらの参考文献のそれぞれは、使用できる様々な水洗弁の
理解のために参照することができ、流線形の弁本体構成を有し且つ丸みのある入口及び／
又は重み付けカバー及び／又は必要に応じて上昇した弁本体を有する弁のそれらの教示に
関して参照により本願明細書に組み込まれている。他の適切な水洗弁は市販されており、
本願明細書において適合されることができる。
【０１１５】
２つの水洗弁は、洗浄サイクルために且つ従来の水洗サイクルの動作において性能をさ
らに最適化するために、水洗サイクル中に、同時に開閉されることができ、又は異なるタ
イミングで開閉されることができる。アセンブリにおける洗浄システムの利益を向上させ
るために機能するように従来の水洗サイクル中により清潔な水洗後水によってより清潔な
便器を達成するために、噴射水洗弁を開放する前にリム水洗弁を開放することが望ましい
。洗浄サイクル外又は洗浄サイクル後の従来の水洗サイクルについての６．０リットル／
水洗についての好ましい実施形態において、噴射水洗弁は、サイクル内へ約１秒から約５
秒で開放され、約１．２秒から約１０秒で閉じられるのに対して、リム水洗弁は、水洗サ
イクルの開始時にすぐに開放され、サイクル内へ約１秒から約５秒で閉じられる。
【０１１６】
他の実施形態は、水洗サイクルの開始時にすぐにリム水洗弁としてのデュアル水洗弁を
開放し、そしてこれはリムデュアル水洗弁後に噴射水洗弁（単一又はデュアル水洗弁）を
トリガして開放するデュアル水洗トイレアセンブリを含むことができる。サイフォン前洗
浄のためにリムに供給される水量は、約１リットル／水洗から約５リットル／水洗、好ま
しくは約２リットルから約４リットル／水洗となり、サイフォンを確立するために噴射水
洗弁を介して供給される水量は、約１リットル／水洗から約５リットル／水洗となる。
【０１１７】
上述のような準備された噴射経路を有する本発明による洗浄システムにおいて使用する
ためのサイフォン水洗便器アセンブリは、噴射水洗弁における好ましい実施形態において
逆流防止機構をさらに含むことができる。逆流防止機構は、ホールドダウンリンク機構、
フック及びキャッチフィーチャ、ポペットフィーチャ並びに／又はチェック弁のうちの１
つ以上であることができる。リム及び／又は噴射水洗弁はまた、少なくとも部分的に柔軟
であり且つ本願明細書に図示されているように開口において上方に剥離されることができ
る水洗弁カバーを含むことができる。そのような実施形態はまた、逆流防止機構を含むこ
とができる。水洗弁カバーはまた、より良好な性能のためにカバーを持ち上げるためのチ
ェーンの取り付けのためのカバー及び／又は１つ以上のグロメットを持ち上げるのを助け
るためにヒンジアームを含むことができる。柔軟なカバーを含むそのような逆流防止機構
及び関連する水洗弁カバーは、分離された噴射経路トイレにおいて使用するためのそのよ
うな逆流防止機構、弁カバー及びヒンジ式リフト機構の様々な実施形態の設計及び動作に
関する関連部分が本願明細書に組み込まれている同時係属中の国際特許出願公開第２０１
４／０７８４６１号公報に詳細に記載されている。
【０１１８】
そのようなトイレにおける噴射水洗弁の性能は、噴射の自己準備を容易とする「ピール
バック」又は部分開放弁カバーを提供することによって向上させることができる。そのよ
うな「ピールバック」カバーは、一般に弁の開放においてさらなる制御を提供する。さら
に、本願明細書における実施形態は、準備された閉じられた噴射経路を提供することから
、トイレがプランジングを必要とする場合、ここに図示され同時係属中の国際特許出願公
開第２０１４／０７８４６１号公報に記載されているような任意選択の逆流防止装置が噴
射水洗弁（及び／又は必要に応じてリム水洗弁に）に設けられることができる。
【０１１９】
上述のように、噴射部２０は、噴射弁出口開口１３からの流体を受け入れるために任意
の任意選択の噴射マニホールド出口開口１６と流体連通し且つ出口開口１６を通る入口ポ
ート１８を有する。しかしながら、噴射入口ポートはまた、噴射水洗弁の出口に配置され
ることができる。噴射出口ポート４２は、トラップウェイ４４と流体連通する汚水槽領域
４０へと噴射チャネル３８から流体を排出するように構成されている。噴射出口ポート４
２は、好ましくは、本願明細書における１つの実施形態において出口ポートにわたって長
手方向に測定される、約０．５ｃｍから約１５ｃｍ、好ましくは約０．５ｃｍから約８ｃ
ｍ、最も好ましくは約０．５ｃｍから約４ｃｍの高さＨｊｏｐを有する。噴射チャネルが
円形である場合、この測定値はまた、噴射チャネル３８の内径と同様である又はそれに近
いことができる。しかしながら、高さにかかわらず、噴射出口ポートの断面積は、約２ｃ
ｍ２から約２０ｃｍ２、より好ましくは約４ｃｍ２から約１２ｃｍ２、最も好ましくは約
５ｃｍ２から約８ｃｍ２の面積で維持されるべきである。本願明細書における１つの実施
形態において、上面５４又は最上点における噴射出口ポート４２の高さは、好ましくは、
図示されているように且つ汚水槽領域４０を介して長手方向に測定されるように、トラッ
プウェイ４４への入口４９の上面５６未満のシール深さに配置される。シール深さｘは、
出口ポート４２を介して噴射チャネル３８内に空気が通過するのを防止するのに役立つよ
うに、好ましくは約１ｃｍから約１５ｃｍ、より好ましくは約２ｃｍから約１２ｃｍ、最
も好ましくは約３ｃｍから約９ｃｍである。この距離はまた、好ましくは、水洗サイクル
の作動前及び完了後において噴射水洗弁アセンブリ７０又は他の水洗弁からの流体によっ
て便器アセンブリ１０の噴射チャネル３８及び任意の任意選択の噴射マニホールド１２を
通ることを含む噴射弁の出口から噴射部の出口まで噴射チャネル３８における中断を回避
するために且つ噴射流路１において準備状態を維持するために汚水槽領域４０において流
体の最低レベル５９以下であるべきである。
【０１２０】
上述のように、準備された噴射経路、すなわち閉じられた噴射流体経路１を維持するこ
とは、乱流及び流れに対する抵抗を大幅に低減し、トイレ性能が向上させ、サイフォンを
開始するために使用される水量の減少を可能とする。噴射チャネル３８又は閉じられた噴
射経路に沿った任意の任意選択の領域内の空気は、水洗水の流れを妨害し、噴射部２０の
流れを制限する。さらにまた、噴射経路内の空気は、効率的に排気又はパージされない場
合、噴射出口ポート４２を介して吐出されトラップウェイ４４に入ることができ、トラッ
プウェイ４４は、トラップサイフォンを遅らせ便器３０の流体及び排泄物の排除に影響を
与えることができる。国際特許出願公開第２０１４／０７８４６１号公報に記載されてい
るようなトイレの他の変形例もまた、本願明細書におけるアセンブリ１０において使用す
ることができ、本願明細書に記載された実施形態１０、２００、３００、４００、５００
、７００、８００、９００、１２００、１３００、１４００、１５００及び１９００の洗
浄システムと組み合わせて水洗作用が向上した準備されたリムレストイレ設計を使用する
ことは、好ましいが、本発明の開示の範囲を限定するものと考えるべきではない。
【０１２１】
図１〜図２７を参照して、一般に本願明細書において１０と称されるトイレアセンブリ
及び本発明の１つの実施形態による一般に１００と称される洗浄システムが図示されてい
る。洗浄システム１００において、容器６は、液体洗浄剤を保持するために設けられてい
る。容器は、多様な形状及び構成を有することができるが、圧縮された略矩形の形状が図
示されており、好ましくはタンク蓋アセンブリ内の空間を節約するように選択される（図
４〜図５参照）。容器６は、洗浄剤からの分解に対する耐性があり好ましくは軽量である
べき様々な材料から形成されることができる。適切なポリマー及びポリマー複合材料の例
は、当該技術分野において知られおり、直鎖低密度ポリエチレン、高密度ポリエチレン、
ポリプロピレン、及びポリエチレン−ポリプロピレンコポリマー、ポリ塩化ビニル材料、
ポリエチレンテレフタレート、ポリカーボネート、ポリ乳酸、ポリウレタン、ポリスチレ
ン、及びポリアクリロニトリル−ブタジエン−スチレンなどの成形可能なポリオレフィン
ホモポリマー及びコポリマー、並びにコポリマー及びそれらの官能化誘導体（例えば、静
電気的特性及び結合特性などのためにそれらの骨格上に官能基を有するポリマー）を含む
。
【０１２２】
容器は、好ましくは、容器が交換及び／又は補充される必要がある前に複数の洗浄サイ
クルを可能とするのに十分な洗浄剤溶液を保持する。好ましい実施形態において、容器は
、約２５０ｍｌから約２０００ｍｌ、好ましくは約５００ｍｌから約１０００ｍｌの液体
洗浄剤を保持することができる。洗浄サイクルは、約２リットルから約６リットル、好ま
しくは約２リットルから約５リットルを保持する満たされたスタンディング便器における
平均水洗容量について約４リットルから約１５リットル、好ましくは約９リットルの追加
の水洗水をタンク充填弁から導入することになる。追加の水洗容量をともなう洗浄サイク
ルは、所与の洗浄について約２０ｍｌから約６０ｍｌの液体洗浄剤、好ましくは約２５ｍ
ｌの液体洗浄剤を導入することになる。これは、洗浄サイクル中の便器内の水洗水対液体
洗浄剤の約５０：１から約３００：１の平均希釈係数を提供する。
【０１２３】
横断面が略矩形の容器本体について、容器は、好ましくは、長さｌが約１０ｃｍから約
２０ｃｍ×幅ｗが約５ｃｍから約１５ｃｍであり、長さ及び幅は、容器の底面５１にわた
る平面Ｐ−Ｐ’において横方向に測定され、平面Ｐ−Ｐ’に対して垂直な方向で測定され
る深さｄは約２ｃｍから約８ｃｍである。
【０１２４】
容器６は、液体洗浄剤９を保持するための内部空間３１を画定する本体７を有する。望
ましいフロー特性のために且つポンピングを容易とするために、洗浄剤溶液は、水のもの
に近い粘度を有することが好ましい。洗浄剤溶液は、好ましくは、第四級アンモニウム化
合物、漂白剤又は酸性ベースの洗浄剤などの当該技術分野において公知の又は開発される
ものに応じた水溶液である。Ｐｒｏｆｅｓｓｉｏｎａｌ  ＬＹＳＯＬ（登録商標）Ｂｒａ
ｎｄ  Ａｎｔｉｂａｃｔｅｒｉａｌ  Ａｌｌ  Ｐｕｒｐｏｓｅ  Ｃｌｅａｎｅｒなどの市
販されている第四級アンモニウムベースの洗浄製品が良好に適しており、清浄又は消毒有
効性を提供することができる。クエン酸ベースの薬剤又は他のエコ（環境に優しい）洗浄
剤もまた使用できる。様々な量の様々な任意選択の添加剤が以下に記載されているように
添加されてもよい。クエン酸ベースの洗浄剤は、レモン、オレンジ又はグレープフルーツ
ベースの洗浄剤を含む。本願明細書における洗浄剤溶液のための他の適切な洗浄剤は、ブ
ドウ種子油、マイルド過酸化剤の１つ以上と組み合わされた植物油、及び界面活性剤など
を含む。
【０１２５】
洗浄剤溶液は、洗浄サイクル中に洗浄剤が導入されており便器内に存在するという視覚
的な警告を提供するために、顔料又は着色剤添加剤を含む１つ以上の様々な任意選択の成
分を有することができる。防腐剤、チキソトロープ剤及びレオロジー改質剤などの他の添
加剤は、洗浄剤溶液において且つ洗浄時に便器に清潔な臭いを提供するための香料添加剤
（松の香り、レモンの香り、オレンジの香り、花の香りなど）においてさらに使用するこ
とができる。さらに、発泡、色変化又は泡立ち（バブリング）のための他の薬剤が、洗浄
作用を示すために必要に応じて提供されてもよい。
【０１２６】
洗浄剤は、水洗弁機構を通過して便器内に入りトイレトラップウェイ及び下水道管を通
過することから、接触した機器に対して負の浸食性及び／又は腐食性効果を有する腐食性
又は他の物質を含まないことが好ましい。また、洗浄剤溶液が安全であり、家庭用浄化槽
システム内の下水道システム又はハウジングへの導入のために承認されていることが好ま
しい。
【０１２７】
容器６の本体７は、好ましくは、任意選択の出口部１１を有する。容器はまた、容器本
体７の内部空間３１と流体連通する出口ポート１９を有する。本願明細書において使用さ
れる場合、「流体連通」は、他の要素から又は他の要素に流れるように開口するようにア
センブリの１つの要素が構造的に配置されていることを意味する。
【０１２８】
出口部１１は、容器上の様々な位置において容器の本体の形状によって配置され画定さ
れることができる。図示されているように、出口ポート１９は、任意選択の出口部１１に
配置され、下向き構成でそれによって画定される。任意選択の出口部は、様々な形状を有
することができ、好ましくは容器６からの重力流れを容易とするために下方に延在してい
るが、本体７の他の位置にも配置されることができる。図示されているように、出口部１
１は、出口部１１を介した層流を容易とするために略円形である断面形状を有するが、略
矩形、楕円形、三角形又は他の形状であることもできる。
【０１２９】
図５に概略的に示されているように、本願明細書における流量制御装置において使用す
るための供給管の様々な任意選択の構成は、液体供給弁のチューブ設計又は挿入の使用を
含む開口に挿入されることができる。それぞれは、本実施形態における好ましい使用の代
替として説明される。流量制御装置６６ａとしてのチューブ及び供給管設計を使用する場
合、任意選択の開口７７が出口に設けられ、チューブ６７内に嵌合する。チューブ６７は
、容器６がハウジング１２１のシート５７内に着座しているときに出口部１１内に位置す
るように配置されることができる。同様のチューブはまた、必要に応じて容器における通
気を容易とするために任意選択で設けられてもよいが、本実施形態には図示されていない
（図３９の実施形態参照）。任意選択のチューブ６７は、中を通る通路８６を画定する。
チューブ６７は、容器がシート５７内に着座しているときに出口ポート１９を介して供給
管の第１の端部７８内へと出口部１１を出る液体用の開口６９を中に有するチューブ６７
の第２の端部９０を介して容器６の内部空間３１から通路８６を通って供給管７９の第１
の端部７８内に流体を導くための上方に延在する第１の端部８８を有する。
【０１３０】
上方に延在する第１の端部８８は、チューブ内に流体を導くように及び／又は使用され
る場合に脆弱カバーを押し通るように構成されていてもよい。それは、使用される脆弱カ
バー及びチューブ内への所望のフロー特性に応じて湾曲し鈍い又は先細り又は尖っていて
もよい。１つの実施形態において、第１の端部７８は、以下にさらに記載され図２３に示
されているように特定のフロー特性のために注射型針のように構成されている。
【０１３１】
チューブ６７は、出口部１１の底部領域１０８内に流入するようにチューブの上方に延
在する端部８８に流体が入るために中を通って延在する１つ以上の任意選択の側方開口１
０７を含むことができる。容器がハウジング１２１内に着座しているときに、任意選択の
出口部の底部領域１０８は、座部７４の対応する底部領域１０９内に着座している。好ま
しくは、エラストマー又はポリマーＯリングなどの周辺シール１１０が、部品間のシール
係合のために出口部１１と座部７４との間に設けられる。Ｏリングシール１１０は、出口
部の外側における任意選択の溝内に存在することができる。Ｏリングシール１１０は、好
ましくは、側方開口１０７を介してチューブ６７を出る流体が出口部１１の底部領域１０
８を満たし且つＯリングの上を通過しないように配置され、それゆえに容器６が完全にハ
ウジング１２１内に着座しているときにシール１１０及び脆弱カバー１０６の下方の出口
部の底部における画定領域１０８を封止する。必要に応じて、この領域１０８及び任意の
さらなる機械弁、モータ又は他の流動制御装置の上流の供給管の領域は、洗浄剤が準備状
態にあるときに洗浄剤の所望の投与量を保持するように予めサイズを決めることができる
。
【０１３２】
図５に示されている実施形態並びに本願明細書に記載された容器及び出口部の他の実施
形態において、容器の出口ポート１９は、上述のように、脆弱カバー１０６によって覆わ
れていてもよい。容器ポート１９が下方に面するようにアセンブリ１０の好ましい実施形
態に配置されていることから、脆弱カバーの使用は、キャップ又は他のクロージャが容器
から除去されたときに（使用前に洗浄剤溶液で満たされた容器の商業的販売の場合など）
容器におけるシールを維持するのを可能とする。脆弱カバー１０６は、チューブの上方に
延在する端部が容易に貫通することができるが貫通によって完全に裂かれるようには脆弱
ではない箔又は他の膜であることができる。適切な材料は、例えば、そのような特性を提
供するのに十分な厚さを有する及び／又は脆弱プラスチック膜裏材を有するアルミニウム
包装箔を含む。そのような材料は、キャップがストアで除去されている場合に製品改ざん
又は製品の損失を回避するために保護カバーを提供するために、他の洗浄剤（食器洗い機
洗浄液など）、牛乳若しくはジュースカートン又は医薬品及びビタミンで使用するための
包装技術分野において知られている。脆弱カバーの種類は重要ではない。好ましくは、脆
弱カバー１０６は、ポリマー裏材アルミニウム箔から形成されている。商業販売において
、除去可能な蓋は、保護の理由のために脆弱シールの上に設けることができる。
【０１３３】
本願明細書において使用される供給管７９は、任意の適切な管又は導管であることがで
き、アセンブリ１０においては、流体の流れ及び選択される洗浄剤溶液に対する耐性に適
した柔軟な導管であることができ、容器を形成するための上述のポリマー並びに例えばＴ
ｙｇｏｎ（登録商標）チューブ又は他の柔軟ホースなどの様々な熱可塑性エラストマー及
び柔軟ポリマーなどが使用できる。供給管７９は、好ましくは、１つ以上の弁、ギアポン
プ、ピストンポンプ、蠕動ポンプ、モータ又は流れを調節するための同様の制御装置など
の流量制御装置を含む又はそれと連通している。図５に示されている実施形態において、
流量制御装置６６ａは、制御システム１０００においてプログラミングされたサイクルに
応答して調整され開閉される供給管を通る流れを制御するための機械弁９１である。
【０１３４】
作動フィーチャ４に応答して、制御システム１０００は、容器６からの及び弁９１を介
した機械弁９１の上流の供給管７９の最初の部分内で且つその後に供給管の第２の端部９
２を出る供給管の残りの部分内への液体洗浄剤９の投与量を供給するのに十分な（チュー
ブ又は他の供給管を通る設定された流量を提供する）期間、機械弁９１又は同様の流量制
御装置を作動させる。同時に、溶液からの任意の混入空気は、溶液を移動させるように任
意選択の通気経路内へ通過することができる。そのような機械弁は、制御システム１００
０によって電子的且つ自動的に作動可能である一方向又は調整可能な便器弁又は同様の弁
であることができる。弁はまた、ソレノイド又は空気圧弁であることができる。それは、
ギア又は蠕動ポンプ又はギアモータによって動作されてもよい。
【０１３５】
アセンブリはさらに、タンク６０の上部に存在するタンク蓋１７０として構成されてい
てもよい。タンク蓋１７０の底部は、トレイ９４として構成されていてもよく、また、ギ
アポンプ及び／又はギアモータを保持するためにさらなる容器を組み込むことができる、
或いは、図示されているように、以下にさらに記載されているようにアクチュエータモー
タ２３及びリフトアーム作動アセンブリの形態における弁動作機構の他の構成要素のため
のハウジングを含むために開口９６を有することができる。
【０１３６】
以下にさらに記載されているように、供給管及び／又は供給弁アセンブリ並びに関連す
るギアモータを含むためのさらなる容器及び／又は開口９５。ギアモータ２３と同様に液
体供給機能のためのギアモータ（必要に応じてギアポンプであることもできる）は、制御
システム１０００によって起動されることができる。ギアモータ１８７などのギアモータ
の起動は、弁１８０を開放することによって洗浄流体が容器から出ることを可能とする。
ギアモータ１８７はまた、弁９１などの機械弁を動作させることができる。使用される場
合、ギアポンプは、自動的且つ電子的に作動させることができる任意の適切な小容量ギア
ポンプであることができる。蠕動又はピストンポンプなどの他のポンプもまた使用できる
。適切なギアモータは、電子的且つ自動的に作動可能なものである。ギアポンプは、シス
テムがポンプを含む場合に使用でき又は重力流れを容易とするためにギアモータを使用で
きる。
【０１３７】
水洗弁の動作において使用するために、システムはまた、さらに以下に記載されている
ようにトイレにおける機械弁（単数又は複数）及び水洗弁の制御されて作動された動作を
補助するためにそのようなギアモータの回転シャフトと連動して使用することができるカ
ム又は他の同様の機構を有することができる（図３９参照）。
【０１３８】
図示されているように、供給管の開口は、図５に示されているような座部であることが
できる。シート５７の座部７４は、供給管７９の第１の端部７８を受け入れるための第２
の開口７７を含むことができる。本願明細書における供給管は、柔軟チューブなどのチュ
ーブとして図示されているが、「供給路」は、この用語が本願明細書において使用される
場合、洗浄剤が、容器内の出口から、水洗弁のオーバーフロー管１９０内へと、水洗弁内
へと、又は容器と水洗水及び洗浄流体の混合物の便器内への入口との間の任意の指定され
た位置（リム入口を通って直接便器内へ又はリムチャネルに入るリム入口内へにかかわら
ず、水洗水及び洗浄流体は従来のリムチャネル及び関連するリムチャネル出口を介して便
器内に入る）内へと流れるように、容器内部３１から流体連通を提供する単一の供給管又
は装置を通る任意の通路であることができることが、本願明細書における開示の様々な実
施形態に基づいて理解されるべきである。それゆえに、様々な代替形態が本出願に記載さ
れており、供給管は、チューブの一部、成形品又は流体連通する様々な通路を介して容器
から便器内に洗浄剤を導入するための通路をまとめて形成する一連の部品である。供給管
がその長さの全てにわたって完全に封入されることは必要ではなく、例えば、漏斗が供給
管の一部又は全部を形成することができ、タンク内で大気に開放されながら供給機能を行
うためにオーバーフロー管内へと洗浄剤を導くことができる。供給管は、例えば、密封ク
ロージャなしで漏斗を介して且つ漏斗の開口内へとその後、例えば、オーバーフロー管内
へと重力によって流体を導入することができる。それゆえに、特定の実施形態についてよ
り具体的に使用されない限り、「供給管」は、容器の内部空間内から容器出口を通ってリ
ム流路における任意の点に沿って便器内への入口内へと、つまり、オーバーフロー管から
水洗弁へと及び／又は直接便器内のリム流れへと（これは、直接リム入口、１つ以上のリ
ム出口を有する（マニホールドが介在する又は介在しない）リムチャネル内への入口、又
は便器入口前のリム流路に沿った任意の注入点であることができ、さらに、完全に封入さ
れた導管であってもよく又はなくてもよい）流体連通を提供するための任意の機構を記載
するためにその最も広い意味で本願明細書において使用される。
【０１３９】
供給管の第２の端部は、様々な位置において水洗水内に導入されることができる。例え
ば、供給管の第２の端部は、その中の開口９５及びその点における端部を介してトレイ９
４の底部９３に配置されることができ、又は、図示されているように、水洗弁８０のオー
バーフロー管１９０内へと漏斗１６６の形態で供給管を介して洗浄剤を流し続けるように
配置されることができ、又は、供給が便器３０内へとリム流れのためのリム入口と流体連
通するように漏斗なしでオーバーフロー管内へと直接流体を流し続けることができる。ト
レイ９４は、ハウジングの下方に着座しておりハウジング１２１を保持する。洗浄システ
ムは、好ましくは、システム１００の底部において任意選択の下部トレイを含むことがで
きる。トレイ９４の底部は好ましくは、設置時にトイレタンク６０における水管の少なく
とも約４インチから約５インチ上方にあるように構成されているが、これは、所与のタン
ク設計についてのタンク内の高さ及び水位に応じて変動してもよい。トレイは、好ましく
は、容器６及びハウジング１２１及び上蓋９９を保持するように構成されている。トレイ
９４及び上蓋９９は、蓋９９が従来のタンクカバーの上面の代わりに存在し且つ底部トレ
イ９４がトイレ水洗弁の上方のトイレタンク６０の内部空間１１９内に存在するように、
トイレタンク６０の上部に配置されるように構成されている。しかしながら、他の観点に
おけるタンク蓋１７０が使用中に見え、従来のタンクカバーとして外観においてタンク上
に存在する。
【０１４０】
タンクは、好ましくは、洗浄システムが既存のトイレに応じて改造されることができる
ように横断面において標準的なトイレタンクの寸法のものである。しかしながら、本願明
細書に記載されたような異なる実施形態についての洗浄システムのサイズの設計変形例を
含むために、トイレの横断面におけるサイズ（蓋の長さ及び幅）が特殊である洗浄システ
ムを提供すること及び／又は特殊なサイズのタンクを有するトイレを有する洗浄システム
を提供することも本発明の範囲内である。純粋に美的な理由により、タンクは、従来のタ
ンクの寸法に可能な限り近いことが好ましい。
【０１４１】
アクチュエータフィーチャ４によって起動されると、洗浄システム１００における制御
システム１０００は、様々な機能を実施するために信号を受信する。液体洗浄剤は、任意
の機械弁又は液体供給弁の上流の出口部及び供給管内に予め装填される。洗浄流体の最初
の装填は、ユニットを準備する初期作動タイミングなどによってシステムを準備し洗浄剤
を予め装填するために最初のプログラミング可能なフィーチャを必要とすることができる
。新たな洗浄流体容器を設置する際にユニットを予め準備するために必要に応じて別個の
「開始」ボタンがコントロールパネルに設けられてもよい。適所にあり予め装填されると
、制御システム１０００は、容器６から供給管７９を介してそのフラッパが、閉位置にあ
る水洗弁８０の内部空間１０３内へと液体洗浄剤の投与量を供給するのに十分な第１の期
間に機械弁又は他の液体供給弁を動作する。流体が導入される水洗弁は、好ましくは、オ
ーバーフロー管１９０を有し及び／又は便器３０のリム入口ポート２８への水洗水などの
流体を受け入れ供給するために構成されたものである。
【０１４２】
より好ましい容器６は、図１７及び図１８において非概略的に示されている。図５に関
して上述された概略的な容器と同様に、寸法は、上述のものと同じであってもよく、容器
本体７は、内部空間３１を画定する。容器は、別個の交換用の容器が別売りされる場合に
嵌合キャップのために通すことができる上述のようにその出口部１１において出口ポート
１９を有する。
【０１４３】
チューブ状の供給管とともに使用するために上述のチューブの代わりに、図４、図１７
及び図１８の容器は、液体供給弁１２０を含む。図示されているように、ギアモータ及び
弁アクチュエータによって動作される液体供給弁１２０は、上述の概略的な容器における
ようにチューブ及び機械弁の代替となるように流量制御装置６６ａの一部として配置され
るが、補完的な容器ハウジング１２１において容器シート５７内に着座しているときに容
器６の出口部１１内に同様に位置する。液体供給弁１２０は、洗浄流体の放出のための中
を通る通路１２２を画定する。弁１２０は、内部弁プラグ１８０を覆うように配置された
固定弁インサート１７９を有する。弁プラグは、任意選択のリミットスイッチ３１８を有
するギア１８６（単数又は複数）及びギアモータ１８７によって動作される弁チューブア
クチュエータ１８５によって回転するように動作可能である。制御システム１０００は、
洗浄流体を放出するために弁を作動させることから、弁ギアモータ１８７のステムは回転
し、プラグ１８０上の停止部１８１が接触されるまで弁プラグ１８０に係合するチューブ
アクチュエータ１８５を動作させる。弁が開放しているとき、固定弁インサート１７９の
開口３１９及び回転弁プラグ１８０の開口３２６は位置合わせされる。弁が閉じていると
き、開口は位置合わせしない。洗浄剤は、開口３１９を介して開放弁に入ることができる
。弁プラグは、洗浄剤液体を下方に案内し且つ通気のために閉じ込められた空気を上方に
案内するのに役立つ内部バッフル３２０を含む。弁はまた、開口を部分的に位置合わせし
より低い流量で洗浄剤を分配するために部分的に開放されてもよい。
【０１４４】
上述の洗浄剤溶液は、容器６の内部空間３１から弁インサート１７９及び弁プラグ１８
０の開口３１９を介して、その後、弁１２０内の通路１２２内へ入り、その内部を通って
供給管内へと重力供給によって導かれることができ、供給管は、概略的な実施形態に記載
された又は図示されたようなチューブであることができ、アクチュエータ１８５の内部１
８８としてのチューブアクチュエータ１８５を通って漏斗１６６内及びオーバーフロー管
１９０内へ入る直接流入路として形成されることができ、それらの全ては、それぞれ供給
管に流体連通する又は図示されているように供給管としてともに作用している。
【０１４５】
本実施形態などにおいて、液体供給弁が直接作動され、弁自体が洗浄流体の供給のため
の流量制御装置であることから、別個の流量制御装置が弁を作動させるために必要とされ
ない場合について以下に記載している。それゆえに、本願明細書において使用される場合
、「流量制御装置」又は計量機構は、本願明細書に記載された様々な実施形態における液
体供給弁を含む任意の機構であってもよく、又は、容器からの流れを独立して制御する流
量制御装置が存在する限り、図５において概略的に上述のように機械弁９１などの供給管
に沿って配置された別個の弁として構成されていてもよいことが理解されるべきである。
【０１４６】
本願明細書における他の実施形態と同様に、アクチュエータフィーチャ（アクチュエー
タフィーチャ４など）の起動時に、制御システムは、好ましくは、便器内への洗浄剤及び
水洗水の入口と流体連通する流路に沿った位置へと、例えば、供給管へその後閉じられた
水洗弁（弁８０など）の弁本体の内部空間内、又はより好ましくは図示されているように
アクチュエータ１８５の内部１８８としての供給管を通って漏斗６６内に入りその後直接
又は重力流れによってオーバーフロー管１９０内のいずれかへと液体洗浄剤溶液の投与量
を供給するのに十分な第１の期間に弁１２０を動作させることによって洗浄サイクルを開
始するようになされている。洗浄剤は、洗浄剤及び水洗水の入口と流体連通する流路に入
り、流路は、便器のリム入口ポート又は従来のリムチャネル入口（単数又は複数）のいず
れかへとその後に１つ以上のリムチャネル出口を介して流体を供給するために構成されて
いる。そのような弁１２０は（以下の他の弁の実施形態と同様）、水洗弁の上方のオーバ
ーフロー管１９０へ、好ましくは本願明細書の好ましい実施形態におけるように分離され
たリム弁８０へ直接供給するように、且つ便器内へのリム入口へ又は従来のリムチャネル
のリム入口へ直接供給し１つ以上の出口ポートを介して出るように接続されることができ
る。
【０１４７】
必要とされる全てのことは、容器の下流及び洗浄剤とともに水洗水が便器に入る点の上
流の水洗水経路に沿ったある点で洗浄剤が水洗水と組み合わされることである。本実施形
態１０において、弁１２０は、便器に入る前のある点で水洗水と組み合わせるために洗浄
剤を制御可能に放出することができる。
【０１４８】
制御システム１０００は、本願明細書において述べられたように第２の期間にわたって
水洗水とともに液体洗浄剤の投与量を導入するために水洗弁を開放し、本願明細書におい
て記載されているように液体洗浄剤の投与量を供給した後に水洗弁を少なくとも部分的に
閉じ、再度水洗弁を開放し、任意選択で、洗浄サイクルの終了において新たな水洗水で便
器の内部をパージするために第３の期間（保持時間）の後に必要に応じてアセンブリ内の
任意の噴射水洗弁７０を開放するように水洗弁８０を動作させる。制御システムの動作の
期間は、流体供給の点で第１の期間及び第２の期間として特定されるが、これらの２つの
期間が特定の順序である必要はなく、同時に又は重複して動作することもできることは本
発明の範囲内であることに留意されたい。例えば、洗浄剤は、水洗弁に供給されることが
でき、薬剤供給と同時に開放された水洗弁又は水洗弁は、どのようにしてサイクルが編成
されているかに応じて洗浄剤の導入及び供給前に開放することができる。好ましいモード
において、第１の期間における洗浄剤の供給は、第２の期間における水洗弁開放に先立つ
が、これは単なる好みでありステップは、第１及び第２の期間を反転させることによって
流体供給のために変更若しくは変化させることができ又は同時に若しくは重複してそれら
を動作させることができる。
【０１４９】
液体供給弁１２０は、供給管の第１の端部に液体供給弁１２０を接続するために又は図
示されているように供給管としてそれ自体を作用させるためにアクチュエータ通路を有す
る（必要に応じて他のフィッティングも有してもよい）。システムは、弁９１のような任
意の任意選択の機械弁を動作させるために制御システム１０００によって同様に起動可能
であるギアモータ１８７に加えて上述のように任意選択のギアポンプをさらに含むでもよ
く、又は、本願明細書に記載された作動システムとともに動作するように構成されていて
もよい。容器６は、容器を保持することができるように図示されているように構成された
ハウジング１２１及び下部トレイ９４内に着座していてもよい。液体供給弁１２０及び容
器６はまた、通気口は図１７及び図１８には示されていないものの、本願明細書に記載さ
れた通気チャネル、開口又は通気機構のうちの１つ以上を組み込むことができる。
【０１５０】
制御システム１０００は、起動可能であり、アクチュエータフィーチャ４によって開始
することができる。アクチュエータフィーチャは、洗浄サイクル１００が望まれる場合に
ユーザが手動で起動することができる様々なフィーチャであることができる。例えば、ア
クチュエータフィーチャは、スイッチ、トグル、ボタン、図示されたものなどのように一
連のボタンオプションを有するタッチパッドであることができる。例えば、それは、自動
水洗トイレにおいて水洗サイクルを開始するために、当該技術分野において知られている
ような遠隔制御赤外線応答機構を使用して遠隔的に起動可能である。図面及び非限定的な
例として図示されている実施形態に示されているように、アクチュエータフィーチャ４は
、パネル上の少なくとも１つのボタンである。ボタンは、制御システム１０００を起動す
るために信号を送信するようにスイッチ機構に通常の様式で電気的に接続される。アクチ
ュエータフィーチャ４の起動時において、制御システム１０００は、洗浄サイクルを開始
するようになされている。
【０１５１】
１つの実施形態における制御システム１０００は、設定されたタイミングシーケンスで
洗浄サイクルのフィーチャを設定するためのプログラマブルコントローラを有する。適切
な制御システムは、機能の数に応じて、プログラマブルロジックコントローラ（ＰＬＣ）
又はプログラマブルロジックリレー（ＰＬＲ）を含むことができる。さらに、タイミング
シーケンスにプログラミングされたオープンソースのプログラミング可能なソフトウェア
、入力及び出力のためのセンサ及びロジックボードを使用するＡｒｄｕｉｎｏシステムも
使用されてもよい。小さいマイクロコンピュータもまた、ユーザの容易な相互作用のため
にタッチスクリーンインターフェースによって使用することができ、これはまた、液位、
システムエラー又はメンテナンスの必要性などのフィードバックをユーザに与えるために
レベルセンサ（図示されていない）及び他のセンサ機構によってプログラミングされるこ
とができる。幅広い制御システムが使用でき、記載されている現在のオプションは限定的
なものと考えるべきではない。システムは、プログラミングされると、当該技術分野にお
いて公知の又は開発される任意の適切な様式で、プログラムシーケンスを記憶するための
記憶メモリを有し、必要に応じて制御システム若しくはシーケンスを再プログラミングす
るために又はプログラムのアップグレードをダウンロードし必要に応じてインターネット
若しくは他のオプションにアクセスするためにアクティブアクセスメモリ及び対話型ソフ
トウェアも有することができることが好ましい。制御システムは、好ましくは、容易な配
線及び接続のためにアクチュエータフィーチャに又はその近くに配置されている。
【０１５２】
図示されているように、制御システム１０００のパネル９７は、ハウジング上のタンク
蓋１７０上に配置され、アクチュエータフィーチャ４と電気的に連通する。しかしながら
、アクチュエータフィーチャが、ハンドル又は水洗作動２フィーチャの近くを含むタンク
６０の側面又は前面上を含むトイレアセンブリ１０上の様々な位置に配置されてもよいこ
とが理解されるべきである。図示された実施形態において、少なくとも１つのボタンとし
て図示されているアクチュエータフィーチャ４は、ハウジング上のパネル９７上に配置さ
れ、ＣＰＵ９７ａは、図１３において最もよくみられるように、ハウジング内の凹部６３
においてパネル９７の下方に配置される。必要に応じて制御システムの他のフィーチャの
ための追加のボタン又は制御部のいずれかは、パネル９７上に設けられることができる。
上カバー９９は、好ましくは、制御システムパネル９７に重なってこれを保護する。ハウ
ジング１２１を有するタンク蓋１７０がタンク６０の上にあるとき、それは完全に別個の
タンク蓋として作用する。カバー９９は、必要に応じて清潔な上蓋の外観をきれいなトイ
レに与えるためにエッジ１０２又は同様のインデントフィーチャを有してもよい。オプシ
ョンとして、ヒンジ付きドア９８がパネル９７に重なる蓋カバー９９の開口１０１を覆う
ように設けられてもよい。フィンガーリフトフィーチャは、ユーザにとって持ち上げ易い
ドア９８を作るために設けられることができる。ユーザは、ドア９８の下方の蓋開口１０
１を介してみえるハウジングの一部においてアクセス可能であるアクチュエータボタン４
及び制御パネル９７にアクセスするために蓋９９におけるドア９８を開放する。ヒンジ付
きドア９８、蓋９９及びトレイ９４は、様々な材料及び成形熱可塑性又は熱硬化性ポリマ
ーから構成されることができるが、１つの実施形態においては好ましくは、尿素−ホルム
アルデヒド又はＤｕｒａｐｌａｓｔ（商標）などの形成可能なポリマーから構成される。
【０１５３】
洗浄システム１００は、容器６を受け入れるように構成されたハウジング１２１をさら
に含む。ハウジングは、シート５７内に容器を着座させるとともに、複数の電池６１ａを
受け入れるための電池受けウェル６１を提供する。ウェル６１は、電池極まで並び所望の
電池サイズを受け入れるようにサイズ決めされて所望のサイズの電池極と接続するための
通常のフィーチャを含むことができる。任意選択のカバー７３が電池ウェル６１の上部に
設けられてもよい。
【０１５４】
容器が図示されているような出口部などの異なるフィーチャを有する場合、ハウジング
１２１は、好ましくは、容器の任意選択の出口部１１を含むそのようなフィーチャを受け
入れるように構成された座部７４を有する。座部７４は、出口ポートが配置される容器の
出口部又は領域を安定的に受け入れるために出口部１１又は他のフィーチャの形状に対し
て相補的な形状を有するべきである。それは過度にきつくある必要はなく、ユーザが必要
に応じて容器を変更及び／又は補充するためにハウジングの内外において容器を容易にス
ライドできるように構成されるべきである。必要に応じて、スナップフィットフィーチャ
又は保持フィーチャ（図示されていない）は、本発明の範囲内で任意選択の滑り嵌めのた
めに設けられてもよいが、本発明に必要ではない。
【０１５５】
図５の概略的容器を参照すると、本願明細書においてさらに記載されているように必要
に応じて容器の内部と流体連通する任意の通気管及び／又は供給管にもアクセスするため
にハウジング内に任意選択の開口が設けられることができる。図示されているように、そ
のような任意選択の開口は、座部７４のベースにおいてハウジング内に配置され、ハウジ
ングは、通気管７６の第１の端部７５を受け入れるための第１の孔６５を組み込むことが
できる。孔は、通気管に応じてサイズ決めされ構成され、通気管は、約１ｍｍから約１０
ｍｍまで様々なサイズを有することができる。任意選択の通気管はまた、ハウジング自体
の材料内に形成されてもよい。それゆえに、孔６５は、ハウジングを通って部分的にのみ
延在することができ、容器が着座しているときにそれが容器内の液位Ｌの上方においてハ
ウジングの上部で通気するようにハウジング材料の本体を通る通路と連通することができ
る。それゆえに、通気管７６は、出口部１１から混入した空気及び／又は液体を受け入れ
るように位置するその第１の端部７５を有するように構成されている。それは、さらに、
容器内の完全な液位Ｌの高さよりも少なくとも上方に配置された第２の開放端部８４を有
する。第２の開放端部はまた、流出する及び／又は流入する空気及び／又は液体が一方向
通気管において誤った方向に通過するのを回避するために任意選択のチェック弁８５を有
してもよい。
【０１５６】
タンク蓋１７０は、図示されているようなフィーチャを有することができるが、制御パ
ネル９７への物理的アクセスを変化させることも本発明の範囲内である。例えば、ハウジ
ングの上に着座した完全な蓋カバーの一部はそれ自体、蓋の完全な部分が蓋カバーの下方
に制御パネルを露出するように上向きに折れるようにヒンジ結合されてもよい。そのよう
な設計は、例えばタッチスクリーンを使用するためにより大きな領域を開放することが望
まれる場合には有用であり得る。さらに、アクチュエータフィーチャがタンク６０の前面
若しくは側面上などのトイレにおいて遠隔位置に配置される場合又はアクチュエータフィ
ーチャが遠隔制御システムを使用して遠隔的に作動可能である場合には、固体の蓋カバー
が使用できる。
【０１５７】
システムはまた、簡単に上述のような水洗弁動作機構８２を含む。好ましい実施形態に
おけるこのフィーチャは、図１９〜図２６を参照してさらに詳細に本願明細書において記
載されている。水洗アクチュエータハンドル２は、リフトアームアクチュエータアセンブ
リ１４０の形態の水洗弁アクチュエータリフト機構に接続されている（図２３から図２６
に最もよく示されている）。リフトアームアクチュエータアセンブリ１４０は、水洗アク
チュエータハンドル２とは独立して動作するようになされている。すなわち、通常洗浄モ
ードが有効である場合、水洗アクチュエータハンドル２は、上述のようにトイレにおける
弁（単数又は複数）を開放するためにリフトアーム１４４に係合するが、洗浄システムが
係合され制御システムが起動されると、ハンドル２は、リフトアーム機構とともに動作又
は移動することがなく、代わりに、それは、以下に記載されているように独立して動作さ
れることになる。リフトアームアクチュエータアセンブリ１４０は、標準的な動作のため
に水洗弁８０及び／又は７０などの水洗弁を開放するためにリフトアーム１４４及び水洗
起動バー７５によって単純に機能するように第１の標準モードで動作するように又は第２
の洗浄サイクルモードで動作するように水洗アクチュエータハンドル２を有効にするフィ
ーチャによってなされている。
【０１５８】
アセンブリ１４０は、上述の弁（好ましい実施形態におけるリム及び噴射弁、又は、実
施形態１６００、１７００及び１８００に記載されているようなタイプの従来のトイレを
使用している場合には少なくとも１つの水洗弁）を動作させるために標準的な水洗リフト
機構（水洗起動バー及び上述の回転可能リンクコネクタアセンブリなど）に接続及び／又
は係合できるリフトアーム１４４を含む。洗浄サイクルモードにおいて、アセンブリ１４
０は、リム水洗弁８０を持ち上げることになる。リフトアーム１４４は、アセンブリ１４
０によって直接係合される。
【０１５９】
リフトアーム１４４は、図２１及び図２２に最もよく示されているよう拡張部２８７を
有する。そのような拡張部は、様々な形状を有することができ、ここでは角度付きタブと
して図示されている。拡張タブは、以下に記載されているようにギアモータ１４８用のハ
ウジング２９０に係合する。リフトアームはまた、タブ１４４ａを受け入れることによっ
て洗浄モードで機械的に動作される。アクチュエータギア１５２は、ギアモータハウジン
グ２９０のウェル内に配置されている。ハウジング２９０は、上述のポリマー又は他の材
料のいずれかから成形されることができ、単一の部品又は複数の取り付け可能／取り外し
可能な部品であることができる。内部部品への容易なアクセスがシステムのメンテナンス
において望まれる場合、ハウジングは、ある様式で取り外し可能であることが好ましい。
図示されているように、アクチュエータギア１５２は、ハウジング内に嵌合するように構
成されている。
【０１６０】
ハウジング２９０は、１又は２部品であることができる。ギアモータハウジング２９０
は、組み立てられたときに容器ハウジング１２１の下部トレイ９４における開口９６から
存在する及び／又は延在するように構成されている。それは、必要に応じて開口を通って
さらに上方に延在してもよい。
【０１６１】
リフトアーム拡張部２８７及びギアモータハウジング２９０が接触するとき、リフトア
ーム１４４は、水洗弁用の開放機構を動作させるために作動される。
【０１６２】
洗浄サイクルの間に、コントローラ１０００は、リフトアームアクチュエータアセンブ
リ１４０内のギアモータ１４８に係合する。それゆえに、アクチュエータアセンブリギア
モータ１４８は、好ましくは、コントローラと電子通信する。図示されているように、ギ
アモータ１４８は、ギアモータハウジング２９０内に配置され、それゆえに、動作中に乾
燥したままにされ保護される。それゆえに、ギアモータ及び関連するリミットスイッチ１
５３は、任意の適切な方法によってトレイ９４に固定することができるハウジング２９０
内に配置される。
【０１６３】
動作時において、ピニオンギア１５１は、ギアモータハウジング２９０内にあるアクチ
ュエータギア１５２に係合する。ピニオンギア１５１が回転すると、それは、ギアモータ
ハウジング２９０と接触するトリップレバーとしてアクチュエータリフトアーム１４４の
拡張部２８７を動作させるように配置され、これはその後、水洗弁（単数又は複数）を開
放するためにリフトアーム１４４の移動を制限する。
【０１６４】
動作時において、コントローラは、ピニオンギア１５１を動作させるギアモータ１４８
を起動する。ピニオンギア１５１は、アクチュエータギア１５２に沿って係合し移動する
。リフトアーム１４４は、ハウジング２９０がリフトアーム１４４における拡張部２８７
に接触するまで弁機構を動作させることになり、これは動作を停止する。リミットスイッ
チ１５３はまた、所望の位置でリフトアームを停止するために利用することができる。分
離されたリム及び噴射チャネルを組み込むトイレ設計における好ましい実施形態において
、リフトアームは、好ましくは、リム水洗弁を開放するのに十分高いが噴射水洗弁を開放
するのには十分に高くない位置に移動される。それゆえに、リフトアームは、カバーを制
御可能に持ち上げ洗浄サイクルのために水洗弁を開放するために、リム水洗弁に接続して
直接動作する又は接続若しくはリンク機構を介して動作することができる。コントローラ
がギアモータをオフにすると、作用が停止し、ギアモータの制御された動作によって反転
させることができる。ギアモータが動作していないときの通常の水洗サイクルにおいて、
リフトアームは、その後、リフトアームの拡張部に接触しないように配置されたままにな
るギアに係合するように移動することなく通常の水洗機構を動作させることになる。
【０１６５】
従来のトイレ設計、例えばリム供給噴射便器を有する実施形態において、リフトアーム
は、水洗弁の部分的フローモードのみを開放する（例えば、図３１〜図３６参照）ように
上昇させることができる。リミットスイッチの代替として、モータ電力引き込みからのフ
ィードバックループは、リフトアームに対する力の増加及び減少を感知するために使用す
ることができ、それにより、ＰＬＣが水洗弁の位置を判定するのを可能とする。
【０１６６】
それゆえに、洗浄サイクルにおいて、ギアモータがその元の位置に機構を戻すと、ハン
ドル２は、標準的水洗モードで動作することになる。通常水洗モードにおいて、ハンドル
２は、スタッド１４３と相互作用する内部リブ１４１を有する。ハンドルはまた、スタッ
ドの通路１４３ｇを通過し図示されているアクチュエータギア１５２に係合する水洗ハン
ドル軸３２２を有する。スタッド１４３は、使用時においてハンドルリブ１４１に対する
ねじり停止装置１４２によって動作する。ナット１５５又は同様の締結機構は、通常使用
において停止装置１４２によって動作するためにハンドル２に対してスタッド１４３を固
定する。
【０１６７】
蓋１７０は、好ましくは、ロック機構１６４を有する。ハウジング１２１は、少なくと
も１つの開口３１１を有し、本願明細書に図示されているように、少なくとも２つのその
ような開口を有する。同様の開口３０９は、ロックを受け入れるためのトレイ９４を介し
て設けられている。ロック機構（１つ以上）における部品又はロックの数は、蓋１７０が
安定していることを条件として変化することができる。そのようなロック機構（単数又は
複数）は、任意選択であるが安全及び安全保障並びにギア及び洗浄システムの円滑な動作
のために有利である。開口３１１（単数又は複数）は、ハウジング１２１を通って延在す
る。それらは、図示されているものなどのロック機構を受け入れるために成形されサイズ
決めされ、さもなければ構成されているが、開口は、他のより多様な設計を含むように変
えることができる。
【０１６８】
図示された実施形態におけるロック機構（図４及び図７参照）は、本願明細書において
図示されているように少なくとも１つの拡張ファスナ３１２、好ましくは少なくとも２つ
以上のそのようなファスナを含むことができ、それぞれは、上述の様々な開口を介して延
在するためにねじ込み可能又は回転可能なヘッド３１２ａと、嵌合ロックフィーチャに係
合するように様々な様式で構成されていてもよい第２のロック端部３１２ｂとを有する。
図示されているように、スナップ端部３１２ｂは、クイックロック固定内に嵌合する。圧
縮ばね３１３、プッシュナット及び／若しくはワッシャ又は同様のフィーチャを有するス
ナップワッシャアセンブリ３１４が設けられてもよい。圧縮ばね３１３は、ファスナ３１
２を調整可能にロックするために設けられることができる。そして、そのようなロックフ
ィーチャは、図２に示されているライナー１６９内の受け入れチューブ１６８（単数又は
複数）内に嵌合し、ライナー及びチューブは、タンク６０などのトイレタンク内に配置さ
れることができる。他のロック機構（長いロッドロック、又はロックロッドのねじ端部に
係合するように内部のスレッドを有するキャップ上のねじ、及び他のスナップフィット係
合など）が使用できる。
【０１６９】
容器ハウジング、トレイ及びタンク蓋は一体化されていることから、それらは、タンク
の内部がアクセスされる必要があるときはいつでもタンクのライナーからアセンブリをア
ンロックした後に１つのアセンブリとしてメンテナンスのために容易に取り外される。タ
ンク蓋１７０は、トイレ若しくはそのタンクのような陶磁器から形成されることができ、
又は、成形複合又は成形熱可塑性又は熱硬化性ポリマーなどのポリマー材料から形成され
ることができる。タンクは、容器の交換又は補充のための容易なアクセスを依然として提
供しながら、容器ハウジング１２１の上に嵌合して清潔な外観のためにその上に配置され
るようにタンク蓋１７０におけるカバー９９をさらに有することができる。カバー９９は
、タンク蓋１７０の上部に配置されるように成形されサイズ決めされ、さもなければ構成
されているべきであり、その上にアクチュエータボタン又はタッチパッド制御部も有する
ことができる制御パネル／電子アセンブリ９７をみてアクセスするために上述のようなア
クセス開口１０１（又は本願明細書における他の実施形態に記載されたような任意選択の
ドア）を有することができる。
【０１７０】
ライナー１６９は、ポリ塩化ビニル又は同様の水安全ポリマー材料などの様々な材料か
ら形成されることができる。ライナーとタンクとの間における小さなエアギャップが結露
防止特性を提供するために使用されることができる。ライナーはまた、図示されているよ
うにチューブを受け入れるロックロッドを形成するために使用されることができる。漏斗
１６６又は同様のガイドフィーチャはまた、好ましくは、便器に入る前に水洗水と組み合
わせるために容器から直接下流の流れ内に洗浄剤の流れを案内する又は直接導くために設
けられる。図示されているように、それは、供給管及び／又はオーバーフロー管１９０内
に水を導くことになる。好ましい実施形態において、カバー９９は、リフトアーム機構に
対するカバーのより一貫した垂直方向及び水平方向の配置を提供するためにライナーの上
部に接触する。
【０１７１】
上述のようなリフトアームは、好ましくは、水洗弁８０に動作可能に接続しており、ま
た、直接的又は間接的なリンクを介して上述のもののようなインク噴射弁に接続されてい
てもよく、リンクは調整可能であることができる。リフトアーム１４４はまた、好ましく
は、水洗ハンドル２と動作可能に接続しており、水洗ハンドル及びリフトアーム１４４は
また、通常の水洗サイクル中に水洗弁を動作させるように上述のように接続されていても
よい。リフトアームアクチュエータアセンブリはまた、リフトアームアクチュエータギア
モータ１４８及び少なくとも１つのギア１５１、１５２の動作によってハンドルなしで水
洗弁を動作させるように配置される。それゆえに、洗浄サイクル中において、ユーザは、
洗浄に従事するようにアクチュエータボタン又はタッチパッド又は他のアクチュエータフ
ィーチャ４（本願明細書において少なくとも１つのボタンとして図示されている）を使用
する必要があるのみであり、ハンドルの動作をみることもなく水洗ハンドルを押下する必
要もない。洗浄サイクルが終わり水洗ハンドルが作動されると、トイレは通常の洗浄に戻
る。
【０１７２】
ボタンを押下すると、制御システム１０００を作動させるためにパネル９７の下部はＣ
ＰＵ９７ａ又はＡｒｄｕｉｎｏアセンブリに接触する。そして、制御システムは、リフト
アームアセンブリ１４０のためのギアモータ１４８のタイミングを作動させ、また、容器
６として図示されている容器内からの洗浄剤の放出のタイミングを調整する。
【０１７３】
導入後、液体洗浄剤及び水洗水は、サイクルが終了する前の約１分から約３０分、好ま
しくは約５分から約２５分の所定量の保持時間の間、便器内に残り、通常の水洗動作は、
水洗水内の洗浄剤をパージし、便器から洗浄剤を除去することになる。そして、トイレは
、次の使用において通常動作のために設定される。
【０１７４】
機械弁９１、又はこの場合にはギアモータ１８７は動作され、流体の投与量を放出する
ために液体供給弁１２０を開放する。投与量は、プログラミングのために予め定められて
おり、選択された導管、この場合には液体供給弁を通り漏斗を介してオーバーフロー管内
への洗浄剤の体積流量に基づいて設定された時間についてプログラミングされることにな
る。タイミングは、約２０ｍｌから約６０ｍｌの液体洗浄剤、好ましくは約２５ｍｌの液
体洗浄剤が供給管、この場合には液体供給弁通路からリム入口ポート２８と連通する水洗
弁８０の内部空間１０３へ通過するように設定されるべきである。供給管は、リム水洗弁
８０のオーバーフロー管に直接注入することによって又はリム水洗弁の弁本体１０４の内
側の内部空間１０３と連通する水洗弁８０のベースに配置された注入機構（図示されてい
ない）を介して洗浄剤溶液を導入することができる。代替として、供給管はまた、洗浄剤
が追加の水洗水とともに混合して導入されることができるように、完全に水洗弁８０をバ
イパスし、開口を介して又はタンク６０の側面に沿ってタンク６０から出て、トイレに再
び入り、任意選択のリムマニホールドを介して又はリム入口ポート２８の前且つその上流
の任意の位置における本願明細書に記載されたリム水洗経路上の他の位置のいずれかを介
してリム内に入るように構成されていてもよい。
【０１７５】
図示された実施形態において、洗浄剤は、オーバーフロー管１９０を介してリム水洗弁
の内部空間１０３に所望の洗浄剤溶液量を供給するために約２秒から約１０秒の第１の期
間に少なくとも１つの初期投与量を供給するように作動された機械弁９１及び／又は液体
供給弁１２０から流れる。
【０１７６】
制御システム１０００はまた、設定された第２の期間にわたって液体洗浄剤の投与量を
水洗水とともに導入するように水洗弁８０を機械的に開放するように水洗弁８０を動作さ
せるように構成されプログラミングされている。この期間は、水洗水で希釈した洗浄剤の
分布を可能とするために且つ設定された期間の間トイレ内に保持するためにタンク内の水
洗水がより長い期間の間非動作トイレ内に流れ落ちることができるように、通常の水洗に
おいてよりも水洗弁のより遅い開口を可能とする。水洗弁は、通常、水洗ハンドル及び関
連するリンク機構などの水洗アクチュエータ２を介して動作されることから、本願明細書
に記載されたような特に変更された水洗弁動作機構がない場合、制御システムは、正しい
時間（投与後）での且つ第２の期間の間の水洗弁の制御された機械的開放のために別個の
機構を必要とする。
【０１７７】
タンク内からトイレに約４リットルから約１５リットル、好ましくは約９リットルを供
給するように水洗弁が開放される。これは、約３秒から約１５秒、好ましくは約９秒かか
るが、タイミングは、必要に応じて異なるシステムのために変えることができる。トイレ
は、好ましくは、十分な洗浄が達成されるまでトトイレが洗浄剤及び水洗水をラップウェ
イへ投棄するのを回避するために、そのような設計が可能である場合、洗浄サイクル中に
起動された噴射を有しない。しかしながら、従来のサイフォン水洗トイレにおいて、水洗
弁の制御は重要となり、好ましくは、機構は、洗浄サイクルにおけるこのステップにおい
てトラップウェイを遮断し堰にわたって水のトラッピングの損失を回避するために設けら
れている。それゆえに、噴射経路が洗浄サイクルの動作から分離することができるように
、実施形態１０における分離されたリム経路及び噴射経路を有するアセンブリにトイレを
組み込むことが本実施形態において好ましい。
【０１７８】
洗浄機能以上が望まれユーザが洗浄及び消毒又は清浄したい場合には、洗浄サイクルは
、洗浄によって消毒及び／又は清浄機能を最適化するように変更されることができる。清
浄又は消毒要求についてのＵＳ  ＥＰＡによって要求される細菌死滅レベルをより容易に
達成するために、２つの投与ステップにおいて投与量を便器に添加することが有利である
。最初の投与量が投与され保持されることができ、その後、洗浄サイクルにおける最後の
５００から１０００ｍｌの水との洗浄剤の第２の投与量を投与されることができる。これ
は、比較的高い濃度の活性成分が保持サイクルの滞留時間の間便器内に残ることを確実に
する。洗浄液のより高い濃度及びより長い保持サイクルは、ＥＰＡが必要する有効性レベ
ルに到達するのに有益である。
【０１７９】
トイレアセンブリ１０についての分離されたリム流路を有する図示された好ましい実施
形態において、トイレは、リム水洗弁８０を機械的且つ制御可能に開放するための制御シ
ステム１０００の動作が噴射水洗弁７０を開放しないように別個の噴射水洗弁機構７０を
有し、それにより、トラップウェイにおけるサイフォンの形成を回避し、より効果的な洗
浄サイクルを可能とする。制御システム１０００は、所望の洗浄剤を供給するために、設
定された期間の間、制御された速度でそのフラッパ１０５を持ち上げること及び弁を介し
たリム入口ポートへの水洗水の流れを希釈することにより、リム水洗弁８０を機械的に開
放する。
【０１８０】
そして、制御システム１０００は、第２の期間中に液体洗浄剤の投与量（単数又は複数
）を供給した後に水洗弁を少なくとも部分的に閉じる（第２の期間は、消毒及び／又は清
浄のために保持期間が上述のように介在して１つ以上の投与ステップを含んでもよいこと
に留意されたい）。投与が完了した後、制御システムは次いで、消毒及び／又は洗浄作用
の所望のレベルを達成するために、便器内の洗浄溶液の滞留を可能とするためにさらなる
第３の期間だけ動作を保持する。水は、水が落ち着くまで約１分から約３０分、好ましく
は約５分から約２５分の最適な洗浄時間の間保持される。
【０１８１】
洗浄期間又は「洗浄保持時間」後に、制御システムは、便器３０の内部領域３６をパー
ジするために水洗弁をさらに機械的に再度開放するように任意選択でプログラミングされ
ることができる。任意選択で、噴射水洗弁（さらに以下に記載されているような）はまた
、追加の水を導入しトラップウェイにおけるサイフォンを開始してより多量の洗浄流体を
排水管に排出より完全なパージを達成するために、リムからのパージ水の導入中に開放さ
れることができる（しかし、タイミングは噴射水洗弁の開放の開始点に関して変化しても
よい）。代替として、制御システムは、保持期間の終了時に洗浄サイクルを単純に停止す
るようにプログラミングされることができる。そして、ユーザは、洗浄サイクルの終了に
便器をパージするために新たな水洗水を導入する通常の水洗サイクルを開始するために水
洗アクチュエータ（ハンドル）を単純に作動させることになる。第１のオプションは、ユ
ーザが安全フィーチャとして便器をパージするためにさらなる水洗を開始することを忘れ
た場合に洗浄剤が便器内に残っていないことを確実にすることから、第１のオプションが
好ましいが、双方のオプションが許容可能であり、本願明細書において本発明の範囲内で
ある。
【０１８２】
実施形態１０による洗浄液及び水洗水供給の好ましいタイミングが図２７に示されてい
る。サイクルの開始において、洗浄溶液は、２秒の持続時間の間毎秒約５ｍｌの流量を提
供するために弁を部分的に開放することによって容器から分配され、約１０ｍｌの洗浄剤
を供給する。そして、この初期投与量は、リフトアーム機構を介したリム水洗弁の開放に
よって便器全体に分散される。そして、水は、約９秒間で約１２００ｍｌ／秒から約８０
０ｍｌ／秒の速度でタンクからリム出口ポートに流れ、タンクにおける水の高さが下がる
につれて流量を減少させる。水供給の終了前に約３秒間、３０ｍｌの洗浄流体のより多い
投与量が最後の２リットル水とともに添加され、次の保持期間の間便器内により高い濃度
の活性成分を残す。そして、制御システム、例えばＰＬＣは、１５分の保持期間に入るこ
とになり、その後、パージサイクルが開始されることになり、ここで、リフトアームが完
全拡張に駆動され、サイフォンによる標準的な水洗を開始するためにリム及び噴射水洗弁
の双方を開放し、排水管に費やされた洗浄溶液を排出し、洗浄水で便器を補充する。
上述のこの洗浄実施形態において、動作へ約１秒で洗浄サイクルの開始後に、投第２の期
間であるが２つの投与ステップ期間２−１及び２−２に分割された投与時間が発生する。
第１の投与期間は、数秒間（ここでは約２秒）続き、便器に約１０ｍｌを導入する（約５
ｍｌ／秒の流量で）。洗浄サイクル動作が約６秒のさらなる期間発生する間、水洗水が導
入され便器が保持される。その時点において、水洗水が添加され続けながらであるが速度
がサイクルへ約３秒で約１２００ｍｌ／秒近くからサイクルへ約１２秒で約８００ｍｌ／
秒まで時間の経過とともに減少する間、追加の約３５ｍｌの洗浄溶液が２秒以上（ここで
は約２．３秒）にわたって約１５ｍｌ／秒の速度で導入される。二重投与ステップによる
この代替洗浄サイクルは、細菌の消毒のための清浄洗浄の所望のレベルを達成するために
、洗浄及び消毒サイクルにおける消毒を最適化するために使用できる。
【０１８３】
リムレストイレの設計はまた、国際特許公開第２００９／０３０９０４Ａ１号公報又は
米国特許出願公開第２０１３／０２１９６０５Ａ１号明細書及び国際特許公開第２０１４
／０７８４６１号公報に記載されたもののように組み込まれることができ、それぞれは、
動作するリムレストイレ及びそれらのフィーチャの記載に関して参照により本願明細書に
組み込まれている。国際公開第２０１４／０７８４６１号公報に示されている実施形態に
おいて、リムは、流体が便器３０の内部表面に形成された外形又は幾何学的フィーチャ（
単数又は複数）に沿って移動するリム入口ポート２８を介して便器内に導入される点で「
リムレス」設計である。外形は、便器の上部の周辺部に沿って形成された１つ以上の棚２
７又は同様のフィーチャであることができる。図１３に示されているように、本願明細書
における実施形態は、それが便器の陶磁器内へはめ込まれた棚を含む点で同様のフィーチ
ャとともに図示されている。本願明細書においてリム棚２７とも称される棚（単数又は複
数）は、少なくとも部分的に便器の周りに且つ便器３０の内部表面のインセット外形にお
いてリム入口ポート２８からその上部周縁部において便器の内部表面に沿って全般的に横
方向に延在する。
【０１８４】
便器３０は、本願明細書における実施形態１００におけるトイレ１０と同様に様々な形
状及び構成であることができ、様々な便座蓋及び／又は蓋ヒンジアセンブリを有すること
ができる。そのような蓋は任意選択であることから、それらは図示されておらず、公知の
又は開発される任意の適切な蓋が本発明によって使用できる。
【０１８５】
図１３に示されているように、棚２７は、ほぼ内部表面全体の周りに延在することがで
きる。それは、洗浄のために渦流効果を誘導するために終端している。リムの棚の設計は
また、リムレスフィーチャの記載についての関連部分が参照により本願明細書に組み込ま
れている同時係属中の米国特許出願公開第２０１３／０２１９６０５Ａ１号明細書に記載
されているように、複数のリム棚と、複数のリム入口とを含むことができる。英国特許出
願公開第２４３１９３７Ａ号明細書に示されているような同様の設計又はそのような設計
のいずれの将来の変形例も使用でき、ここで、便器は、伝統的な中空リムなしで形成され
ており、水は、図示されているように便器表面の外形において棚又は同様の幾何学的フィ
ーチャを形成する上部周囲部において便器の外形の内部表面の周りに導かれ、これは、流
体が同様に使用可能であるリム入口から横方向にずれている位置（単数又は複数）におい
て便器の内部に入る便器の周りの少なくとも部分的経路の周りを通過するのを可能とする
。また、従来の上部リムによって画定されたリムチャネル内に供給するリム入口ポートを
有し且つ便器の内部領域内に洗浄水を導入するための１つ以上のリム出口ポートを有する
標準的なリムチャネルも本願明細書に記載された実施形態において使用できることが理解
されるべきである。そのようなリムは、加圧又は非加圧であってもよい。
【０１８６】
上述のように実施形態１００のトイレアセンブリ１０において、棚２７をはめ込むこと
ができる。棚２７は、便器の内部表面から外形内へ横方向に測定されるような深さ及び棚
２７から棚の上方の上部表面４７まで長手方向に測定される高さを有する外形であり、こ
のパラメータは、棚の幅又は横方向のサイズを画定する。外形は、内側に延在する部分と
棚に沿って延在する棚２７の上方の上部表面とを有することができるが、リム入口ポート
からの流体の強い流れを含むために、外形が第１の深さ及び深さよりも若干大きい第１の
高さを有する領域においてより深い棚を提供するためにサイズが変わり、リムの流れが便
器の正面に向かって棚に沿って継続するので便器の背面と前面との間のほぼ中間位置にお
いて大きい棚サイズを合理的に維持する。棚の深さは比較的一定であるが、外形の高さは
、便器の正面に向かって細長くなりはじめる。例えば、深さは、中間位置を通るリム外形
のはじめにおいて約１５ｍｍから約３０ｍｍの間のままであり、便器の正面において約１
０ｍｍから約３０ｍｍの間になることができる。これらの位置での高さは、中間位置を通
る流れのアウトセットにおいて約３５ｍｍ〜約５５ｍｍから、便器の正面において約４０
ｍｍ〜約５５ｍｍまで変化する。
【０１８７】
流れは、便器の正面から便器の背面に向かって戻って移動する中間点において便器の反
対側に継続することから、深さは依然として比較的一定である（便器の背面において若干
小さいが、高さはさらに細長いことができ、例えば、便器の背面までの中間点において約
４５ｍｍから約６０ｍｍ、便器の背面において高さは、約５０ｍｍから約６５ｍｍである
）。高さが細長いことから、棚２７はサイズが減少し、最終的に終端する。
【０１８８】
いくつかのトイレアセンブリが本願明細書おける洗浄システム及び方法並びに本願明細
書に記載された様々な実施形態によって使用できる。洗浄システムによって使用するのに
適したトイレは、全ての重力動作サイフォン水洗弁トイレ並びに単一及び複数の水洗トイ
レ及びウォッシュダウントイレを含む。便器の構造及び動作に関する関連部分が本願明細
書に組み込まれている米国特許第８，３１６，４７５号明細書におけるように加圧された
リム及び直接噴射経路を有するものが使用できる。また、本願明細書におけるトイレアセ
ンブリにおける洗浄システムによって有用なものは、トイレの動作及びフィーチャについ
ての関連部分が参照により本願明細書にまた組み込まれている米国特許出願公開第２０１
２／０１９８６１０Ａ１号明細書に記載されているように、リム及び噴射流れを調整する
ための制御フィーチャを有するトイレである。
【０１８９】
本発明はまた、内部空間を画定する便器と、タンク内部を画定するトイレタンクと、水
洗弁と、水洗弁の出口から少なくとも１つのリム出口ポートまで延在するリム流路を介し
て便器の内部と流体連通するリムとを備えるトイレアセンブリを含む洗浄システムを有す
るトイレアセンブリを含み、水洗弁は、リムに流体を供給するように構成されており、水
洗弁は、水洗作動モードで動作するように構成されている。水洗弁は、トイレアセンブリ
が水洗サイフォンを開始するのに十分な水洗水の流れを提供することができる又は洗浄作
動モードで動作するようにウォッシュダウン水洗を提供することができ、水洗弁は、サイ
フォンを開始するのには不十分であるが便器を洗浄するためには十分である便器への洗浄
剤及び水洗水の混合物の導入を可能とするように部分的にのみ開放される。洗浄システム
はまた、内部空間を画定する本体を有し且つ容器本体の内部空間と流体連通する出口ポー
トを有する液体洗浄剤を保持するための容器を含む。これらのフィーチャの多くは、実施
形態１０に関して既に上述されている。しかしながら、本実施形態において、トイレアセ
ンブリは、より従来のトイレであることができる。
【０１９０】
システムは、容器と、容器の内部と流体連通し且つ容器内から流体を受け入れるための
第１の端部を有する供給管を受け入れるように構成されたハウジングと、供給管を通る流
れを制御可能な流量制御装置とを含む。アクチュエータフィーチャによって起動可能な制
御システムもまた設けられており、アクチュエータフィーチャの起動時に、制御システム
は、容器から１つ以上のリム出口へと液体洗浄剤の投与量を供給するのに十分な第１の期
間に流量制御装置を動作させること、及びサイフォンを開始するには不十分であるが便器
を洗浄するには十分な流量で便器内へと少なくとも１つのリム出口ポートを介して液体洗
浄剤の投与量を運ぶために水洗水を導入するために水洗弁を開放するように洗浄作動モー
ドで水洗弁を動作させることによって洗浄サイクルを開始するようになされている。
【０１９１】
直接供給非噴射トイレ又はウォッシュダウントイレなどの従来のトイレにおいて、水洗
弁は、通常水洗モード中に水洗弁を通る流量よりも洗浄作動モードで約２０％から約８０
％遅い流量で、好ましくは通常水洗モード中に水洗弁を通る流量よりも洗浄作動モードで
約４０％から約６０％遅い流量で水洗水を導入することができる。さらに、水洗水は、約
２秒から約３０秒の期間にわたって水洗作動モードで弁に入ることができる。水洗水及び
洗浄剤は、便器内に導入されることができ、便器を洗浄するために約３０秒から約３０分
の滞留時間を有することができる。
【０１９２】
このアセンブリの１つの特定の実施形態において、便器は、直接供給噴射サイフォン重
力動力便器であることができる。代替として、便器は、リム供給噴射サイフォン便器、非
噴射サイフォン重力動力便器又は重力動力ウォッシュダウン便器であることができる。
【０１９３】
さらに、このアセンブリの代替実施形態において、水洗弁は、洗浄作動モード中に弁を
開放するのに使用するための弁カバーにおいてポペットフィーチャを有するフラッパ型水
洗弁であることができる。代替として、水洗弁は、洗浄作動モード中に弁を開放するのに
使用するためのフック及びキャッチフィーチャを有するフラッパ型水洗弁であることがで
きる。さらに他の実施形態において、水洗弁は、ポペット型水洗弁であることができ、ポ
ペット型弁カバーは、通常水洗モードで水洗弁を開放し、水洗弁は、洗浄作動モード中に
弁を開放するのに使用するためのカバーをその上に有するサイドポートを有する。
【０１９４】
別個のリム及び噴射流れを有する実施形態１０において上述された好ましい準備された
噴射経路トイレに加えて、本願明細書における洗浄システム及び方法の概念はまた、標準
的なトイレ、好ましくは後述する理由により非噴射又はリム供給噴射構成を有するサイフ
ォン又はウォッシュダウントイレに適合されることができる。
【０１９５】
直接供給噴射便器は、現在、排泄物のバルクを除去するための北米やアジア市場で販売
されているトイレの大部分である。しかしながら、本願明細書における洗浄システムは、
そのような便器に適合されてもよいが、それらは最も強い洗浄作用について好ましくない
。その理由は、そのような便器の構造に関して説明することができる。従来技術の直接供
給噴射サイフォン重力水洗便器の例が図２９、図２９Ａ及び図２９Ｂに示されている。み
ることができるように、入口Ｉを通る便器内への流れは、マニホールドＭに入り、リム入
口ＲＩにおいてリムチャネルＲＣ及び噴射チャネルＪＣにわかれる。本願明細書における
自己洗浄システムの利益は、機械的洗浄作用及び化学的洗浄作用の双方を提供するために
便器の実質的に全ての又は完全な表面にわたって洗浄剤を分散させる旋回作用及び乱流回
転運動の度合いを提供するために、水の長期の流れを介して便器に洗浄流体を供給する能
力を含む。
【０１９６】
これは、洗浄剤及び水洗水の混合物を必要な表面にわたって運び必要な機械的作用を提
供するには十分に高いが、サイフォンを開始するのには十分に高くない流量で洗浄剤及び
水洗水の混合物を添加することによって達成される。サイフォンの模倣は、洗浄剤がその
真の洗浄及び／又は清浄の潜在能力を達成するのに十分な滞留時間を有する前に便器Ｂか
ら排水管Ｄ内に大量の洗浄剤を運ぶことになる。
【０１９７】
図２９に示されている従来技術の直接噴射トイレＤＪＴにおいて、水洗水及び洗浄剤が
、サイフォンを開始するのに不十分に高いより遅い速度で供給された場合には、水洗水の
大部分は、噴射チャネルＪＣに入り、汚水槽Ｓ及びトラップウェイＴＷ内へと噴射出口ポ
ートＪＯＰを介して流れることになる。噴射チャネルは、重力が噴射チャネル内へと水の
大部分を押し込むように、マニホールドＭ及びリム入口ＲＩに対して「下り坂」である。
不十分な水及び洗浄剤は、所望の洗浄作用を達成するために、リムチャネルＲＣに到達し
リム出口ポートＲＯＰを出ることができる。そのような直接噴射トイレシステムが、それ
らの完全な設計上意図された流量で水洗される場合、水洗水の約３０％のみが、噴射チャ
ネルＪＣへの噴射入口を越えてそれをリム出口ポートへとし、これは、水洗弁からの流量
が噴射チャネル及び噴射出口ポートを介して達成可能な最大流量を超えることからのみ発
生し、水を噴射チャネルにおいてバックアップさせてリム入口ポートに入らせる。それゆ
えに、本願明細書における洗浄システムは、汚水槽及び排水菅外に洗浄剤の大部分を送る
可能性があり、喫水線の上方において便器の表面にはほとんど洗浄作用を付与しない。本
願明細書における洗浄システムは、図２９に示されているような従来技術の直接噴射トイ
レ又は同様の設計に適合されそれによって使用されることができるが、喫水線の上方の洗
浄作用は、本願明細書に記載された他のトイレ構成のものと同様に有効ではない。
【０１９８】
本願明細書における洗浄システムは、以下に記載されているような小さな変更を加えた
他の標準的なトイレに適合されることができる。図３０に示されているように、リム供給
噴射便器１６３０は、実施形態１６００と称される本願明細書のシステムのさらなる実施
形態に使用するために適合されることができる。実施形態１６００において、様々な弁開
放機構、水洗アクチュエータ、電動カム動作のものを含む代替の容器及び実施形態１０、
３００、４００、５００、７００、８００、９００、１２００、１３００、１４００、１
５００及び１９００の他の洗浄剤導入弁を含む本願明細書の実施形態のシステムの全ては
、本実施形態のトイレアセンブリ１６３０によって使用されることができる。それゆえに
、以下に記載されているトイレ１６３０以外の標準的なリム噴射便器アセンブリにおいて
使用するためにシステムを適合させる明確な態様及びその水洗弁動作以外は同じである。
変形例が便器及び弁にある程度で、それらは本願明細書に記載されている。リム供給噴出
便器において、自己洗浄システムは、トイレの幾何学的形状に起因して良好に機能するこ
とができる。通常のリム供給噴射便器が便器１６３０として図３０に示されている（しか
し、他のリム供給設計が使用されてもよい）。水洗水は、そのような便器について当該技
術分野において公知の様式で一次マニホールド１６２３８内へと便器入口１６２３７から
そのような幾何学的形状で流れることになる。一次マニホールドから、流れは上部中空リ
ム入口ポート１６２８によって形成された開放リムチャネル内に出る。
【０１９９】
本願明細書において使用されるように、リムレス設計における「リム入口ポート」は、
先の実施形態において上述されたようにリム棚２７に沿うなどの便器の内部の周りの旋回
流れを可能とする開口を通って便器領域に水洗水が入るポートである、又はトイレの周り
の中空周辺上部リムに形成された従来のリムチャネル内への入口開口である。リムチャネ
ルを画定するそのような中空リムは、当該技術分野において周知である。流れが内部リム
チャネル１６２４０を画定する中空リム１６２３９を介してマニホールド１６２３８から
一方向にのみ通過することができる場合、又は流れがリムチャネルのそれぞれの側におけ
る便器１６３０の背面における一次マニホールド１６２３８から便器の正面に向かって通
過するように２つのポートを介して２つの反対方向に通過することができる場合、１つ又
は２つの入口１６２８があってもよい。
【０２００】
いくつかの出口ポート１６２４１が、便器１６３０の内部６３６に面するリムに形成さ
れる。そのような出口は、全て同じ大きさのものであることができる、又はいくつかが必
要に応じて追加の洗浄作用のためにより大きなものであることができる。
【０２０１】
流れがリム供給噴射便器１６３０の正面に到達すると、それはリム供給噴射部１６２４
３のリム供給噴射入口１６２４２を越え噴射部１６２４３を介して下方にリム供給噴射出
口１６２４４まで通過する。それゆえに、水は、トラップウェイにつながる汚水槽領域内
へのリムチャネル出口１６２４１を介して又はリム供給噴射出口１６２４３を介してリム
から便器に入る。
【０２０２】
本願明細書における洗浄システムがリム供給噴射便器１６３０を含むように構成されて
いる場合、より少ない水が汚水槽及びトラップウェイに導かれるように、より多量の洗浄
剤及び水洗水が出口１６２４１を介してリムを介して便器に入ることになる。それゆえに
、以下に記載されているように流量及び弁解放が制御されている場合、十分な滞留時間が
標準的なリム供給便器１６３０において実施形態１０、３００、４００、５００、７００
、８００、９００、１２００、１３００、１４００、１５００及び１９００のいずれかの
洗浄システムの良好な機能を可能とするために得ることができる。
【０２０３】
通常の非噴射重力動力便器は、リムチャネルが固体のままであり且つリム噴射が存在し
ないことを除き、図３０に示されているようなリム供給噴射便器の構成のような構成を有
する。便器は、リムから汚水槽までにある噴射部を有しないその正面部分において固体壁
のままである。そのような非噴射便器はまた、全ての水洗水がリム出口ポート（単数又は
複数）を介して中空リム（便器１６３０について上方に図示されているものなど）を出な
ければならない点で本願明細書における洗浄システムによって良好に機能することができ
る。そのような設計において、噴射作用便器を模倣する様式で便器についてのトラップウ
ェイの入口に導かれる水洗水のより強い流れを与えるように、所望の位置、一般には便器
の正面近くにおいて水洗水のより多くの流れを提供するために、リム出口ポートの１つ以
上が通常のリム出口ポートよりも大きくされることがより一般的である。サイフォン非噴
射便器のように、通常はトラップウェイ及びリム出口に関して若干異なるトイレの幾何学
的形状を有するウォッシュダウン便器として知られている同様の便器もある。ウォッシュ
ダウン便器は、トラップウェイがサイフォンを支持するように設計されていないことを除
き、一般に非噴射サイフォン便器の構成と同様の構成のものである。ウォッシュダウント
イレのトラップウェイはそれぞれ、一般に断面積が大きく、壁及び床出口の設置のために
比較的単純なＰトラップ又はＳトラップ幾何学的形状のものである。複数の出口ポートを
有する従来のリムの代わりに、それらは、大抵の場合、便器内へのより高い流量及びトラ
ップウェイの堰を越える排泄物のより効率的な運搬を可能とするために下側がリムに対し
て開放して構築される。
【０２０４】
リム噴射、非噴射又はウォッシュダウンの標準的なトイレにおける上述のような洗浄シ
ステムの設置は、洗浄のために洗浄剤及び水洗水がリム出口ポート（又は開放リム）から
多量に便器の表面に導かれることができ且つトラップウェイ及び汚水槽領域においてより
少なく浪費される点で他の標準的なトイレ設計よりも効果的である。
【０２０５】
本願明細書における洗浄システムを助長するこのような従来の便器は、先の実施形態及
び国際出願公開第２０１４／０７８４６１号公報に詳細に記載されているような分離され
た噴射経路を有する準備されたマニホールド便器とは異なるので、便器に導入するために
マニホールド及び／又はリムチャネルに流体を導入する単一の水洗弁のみがそのような標
準的な便器のほとんどにおいて現在あるようにリムを介して便器に洗浄剤を導入する際に
、分離されたリム及び噴射経路並びに別個のリム及び噴射弁の欠如を考慮する必要がある
。
【０２０６】
リム供給噴射若しくは非噴射便器におけるサイフォン効果の開始を回避するために又は
ウォッシュダウントイレの場合により強力な水洗を回避するために、水洗水及び洗浄剤の
導入のためにより遅い速度が必要とされる。さもなければそのようなサイフォン又は動力
水洗は、洗浄剤が意図された洗浄作用を達成する前にトラップを介して便器の外にあまり
にも多くの洗浄剤を早期に運び得る。洗浄サイクル中において通常水洗よりも長い持続期
間の間水洗弁の開放を保持することも重要である。これは、洗浄サイクルが開始される場
合により遅い速度及びより長い洗浄サイクルの滞留時間を達成するために変更された水洗
弁の設計を提供することによって達成され、これは、標準的なトイレにおける標準的な水
洗弁によって適切に機能しないことになる。標準的な水洗弁は、ヒンジ付きカバー開口を
有するフラッパカバー弁、又はキャップ若しくは蓋カバーの上方浮上のための中心軸を有
するポペット弁を含む様々な構成になる。
【０２０７】
変更された弁は、図３０のリム供給噴射便器１６００を使用する実施形態において使用
するための第１の水洗弁１６２４５に関してさらに説明されるが、他の種類の標準的な便
器（ウォッシュダウン又は非噴射など）もまた本願明細書に記載されている変更された水
洗弁１６２４５を使用してもよいことが理解されるべきである。そのため、実施形態１６
００は、トイレ１６００と図３１及び図３２に示されている水洗弁との組合せを含み、弁
はそれぞれ、閉位置及び開位置にある。水洗弁１６２４５は、図３１及び図３２に示され
ているように、本願明細書における実施形態１０におけるタンク６０と同じであることが
できるタンク１６６０における開口内に着座した弁本体１６２４６を有する。弁１６２４
５は、以下に記載されているようにポペットフィーチャを有するフラッパ型カバー１６２
４７を有する。カバー１６２４７は、オーバーフロー管１６２４９に配置されたヒンジ取
り付け部１６２４８において水洗弁本体１６２４６に接続されている（オーバーフロー管
は、上述のオーバーフロー管１９０のようであることができる）。ポペットフィーチャ１
６２５０は、ガイドロッド１６２５１を受け入れるための開口１６２５３を画定するガイ
ドリング１６２５２を介してそれを往復移動させるのを可能とするためにガイドロッド１
６２５１又は同軸のガイド構造を有する。ガイドロッドの端部は、ガイドロッド１６２５
１がカバー１６２４７から離脱しないように上方に移動するときにガイドリング１６２５
２から完全に通過するのを回避する停止フィーチャ１６２５４を有するようにより大きな
サイズになされている及び／又は構成されている。
【０２０８】
ポペット起動チェーンＣ２が上方に引かれると、ポペットフィーチャ１６２５０は、カ
バー１６２４７に対するときにポペットフィーチャ１６２５０によって遮断された領域を
開放して上方に移動する。水は、洗浄流体（例えばオーバーフロー管１６２４９を介して
導入することができる）を運ぶのに十分な速度で入り、サイフォンを開始することなく本
願明細書における洗浄システムを使用して所望の洗浄作用を達成する。チェーンＣ２は、
リンク、グロメット又は同様のフィーチャを介してポペットフィーチャ１６２５０の上部
に取り付けられている。
【０２０９】
洗浄サイクルが完了し通常水洗が再度望まれる場合、水洗アクチュエータは、リンク１
６２５５に取り付けられたチェーンＣ１上で上方に引っ張ることになり、通常水洗作用に
ついてサイフォンを開始するのに十分な流量を達成するために、タンク６０からの水が弁
本体の内部に及ぶより大きな弁入口開口を介して入ることができるように上方にカバー１
６２４７の全体を引っ張る。
【０２１０】
上述の標準的なトイレによって使用するための水洗弁の他の実施形態において、実施形
態１６００によって示されているように、そのようなトイレを有するシステムにおいて使
用するためのさらなる代替の弁は、図３３及び図３４に示されており、実施形態１７００
として特定される。それは１６００のトイレを参照しながら説明されているが、上述の標
準的なトイレのいずれかによって使用することができることに留意されたい。実施形態１
６００、１７００（及び以下に記載されている１８００）は、実施形態１６００及び１７
００が１つ以上の種類の標準的な重力動力サイフォン又はウォッシュダウントイレ、特に
非噴射、リム噴射又はウォッシュダウントイレを使用し、結果としてトイレ１０とは対照
的に本願明細書において記載されたような変更された弁と、トイレが分離されたリム及び
噴射流及び準備された噴射経路を有する先の実施形態に記載されたその変形例とを使用す
ることを除き、実施形態１０において又は実施形態２００、３００、４００、５００、７
００、８００、９００、１２００、１３００、１４００、１５００及び１９００などの本
願明細書における他の実施形態において記載された洗浄システムについて上述されたシス
テム、機械部品及び方法ステップのいずれかを使用することができる。
【０２１１】
弁１７００において、図３３及び図３４において、バルブ並びにフック及びキャッチフ
ィーチャを有するフラッパ型カバーを有する弁１７２５６が示されている。水洗弁１７２
５６は、層状略円筒状内部を有する断面が図示された弁本体１７２５７と、丸みのある入
口１７２５８とを有する。フラッパカバー１７２５９は、通常水洗動作における水洗弁の
持ち上げ及び浮きを支援するための浮力バルブ１７２６０を有する。カバー１７２５９は
、オーバーフロー管１７２６２（本願明細書に記載された他のオーバーフロー管のようで
あることができる）においてヒンジ取り付け部１７２６１において弁本体１７２５７に取
り付けられている。さらなるフックヒンジ取り付け部１７２６３は、フラッパカバーヒン
ジ取り付け部１７２６１の側とは反対側のフラッパカバー１７２５９の第１の前端部１７
２６４上に設けられている。
【０２１２】
フックヒンジ取り付け部１７２６３は、フック１７２６６の第１の取り付け端部１７２
６５に係合する。図３３に示されているように、水洗弁は閉じられており、カバー１７２
５９は、丸みのある入口１７２５８において弁本体１７２５７の上部に接触している。こ
の位置において、フック１７２６６の第２のキャッチ端部１７２６７は緩んで懸架されて
おり、弁本体に係合しない。水は、この位置において水洗弁１７２５６内に流入すること
はできない。定期の水洗サイクルが開始されると、フック１７２６６は、水洗作動チェー
ンＣ１がトイレの水洗アクチュエータ（本願明細書において記載された洗浄システムに記
載されたそれらの水洗アクチュエータ又は標準的な水洗アクチュエータのいずれかである
ことができる）によって上昇されたときにキャッチ１７２６８の周りに回転し揺動するよ
うにサイズ決めされる。これは、完全に十分な水洗水がサイフォンを開始し便器を水洗す
るために弁に入るのを可能とするために、又はウォッシュダウントイレの場合には十分な
水がトラップウェイに入るのを可能とするために図３４におけるようにフラッパカバー１
７２５９を完全にまで開放する。フック１７２６６がそのようなクリアランスを有するた
めに、図３３に示されているように静止位置における場合に約１ｍｍから約６ｍｍの隙間
ｘで十分である。
【０２１３】
実施形態１７００による洗浄システムを使用する洗浄サイクルにおいて、洗浄サイクル
作動チェーンＣ２は、フック１７２６６の第２の端部１７２６７がキャッチ１７２６８に
係合する点までフラッパカバー１７２５９を持ち上げるように本願明細書に記載された機
構を使用して上昇される。これは、より低い流量で制限された水洗水が水洗弁に入るのを
可能とするために弁本体の上部におけるカバー１７２５９と丸みのある入口１７２５８と
の間の隙間を可能とする。このより低い速度は、本願明細書に記載された標準的なトイレ
へとオーバーフロー管１７２６２を介して弁本体内に導入されることができる洗浄剤を本
願明細書に記載された標準的なトイレ内へ運ぶのみ十分であり、サイフォンを開始するの
に十分な流れなしで必要な旋回、機械的な撹拌を提供するのに十分である。
【０２１４】
上述の標準的なトイレによって使用するための水洗弁のさらなる実施形態において、実
施形態１６００によって示されているように、そのようなトイレを有するシステムにおい
て使用するためのさらなる代替の弁は、図３５及び図３６に示されており、実施形態１８
００として特定される。それは１６００のトイレを参照して説明されているが、上述の標
準的なトイレのいずれかによって使用することができることに留意されたい。実施形態１
６００及び１７００と同様に、実施形態１８００は、実施形態１６００、１７００及び１
８００が１つ以上の種類の標準的な重力動力サイフォン又はウォッシュダウントイレ、特
に非噴射、リム噴射又はウォッシュダウントイレを使用し、結果としてトイレ１０とは対
照的に本願明細書において記載されたような変更された弁と、トイレが分離されたリム及
び噴射流及び準備された噴射経路を有する実施形態１０に記載されたその変形例とを使用
することを除き、実施形態１０において並びに本願明細書における他の実施形態２００、
３００、４００、５００、７００、８００、９００、１２００、１３００、１４００、１
５００及び１９００において記載された洗浄システムについて上述されたようなシステム
、機械部品及び方法ステップのいずれかを使用することができる。
【０２１５】
弁１８００において、図３５及び図３６において、サイドポート１８２７１を有するポ
ペット型カバー１８２７０を有する弁１８２６９が示されている。水洗弁１８２６９は、
層状略円筒状内部を有する断面が図示された弁本体１８２７２と、丸みのある入口１８２
７３とを有する。ポペットカバー１８２７０は、標準的な水洗サイクル中にポペットカバ
ーを上方に中心軸状に案内し且つサイクルが通常水洗動作中に完了した場合に閉位置に戻
すための従動ガイドロッド１８２７４を有する。ガイドロッド１８２７４は、ガイドロッ
ドと軸方向に位置合わせされガイドロッドを受け入れるように構成された中を通る開口１
８２７７を有するガイドリング１８２７６に係合するその端部に停止部１８２７５を有す
る。弁１８２６９はまた、オーバーフロー管１８２７８（本願明細書に記載された他のオ
ーバーフロー管のようであることができる）を含む。
【０２１６】
サイドポート１８２７１は、サイドポートカバー１８２８０を有する第１の端部１８２
７９（丸みのある縁が任意選択で設けられていてもよい）を有する。カバーは、ヒンジ１
８２８１（しかし、それは任意の適切な開放機構を有してもよい）を有する。サイドポー
トは、サイドポート１８２７１の第１の端部１８２７９から弁本体１８２７２の内部１８
２８４と流体連通する第２の端部１８２８３まで延在する中を通る通路１８２８２を有す
る。サイドポートカバー１８２８０は、上述のように制御システムによって洗浄サイクル
動作中に作動される図３５における第１のチェーンＣ１によって動作可能である。標準的
な水洗サイクルにおいて、カバー１８２７０は、図３５に示されている第２のチェーンＣ
２によって持ち上げられる。
【０２１７】
動作時において、図３５に示されているように、水洗弁は閉じられており、カバー１８
２７０は、丸みのある入口１８２７３において弁本体１８２７２の上部に接触している。
この位置において、サイドポート１８２７１を閉じられており、サイドポートのカバー１
８２８０も閉じられている。水は、この位置において水洗弁１８２７０内に流入すること
はできない。定期の水洗サイクルが開始されると、チェーンＣ２は、図３５の水洗作動チ
ェーンＣ２がトイレの水洗アクチュエータ（本願明細書に記載された洗浄システムに記載
された水洗アクチュエータ又は標準的な水洗アクチュエータのいずれであってもよい）に
よって上昇された場合にカバー１８２７０を上方に引っ張るように起動される。これは、
サイフォンを開始し便器を水洗するために十分な水洗水が弁に入るのを可能とするように
、又はウォッシュダウントイレの場合には十分な水がトラップウェイに入るのを可能とす
るようにポペット型カバー１８２７０を完全に開放する。水洗サイクルの終了において、
カバー１８２７０は閉じることになり、弁は、初期閉位置に戻ることになる。
【０２１８】
洗浄サイクルにおいて、実施形態１８００による洗浄システムを使用して、図３５の洗
浄サイクル作動チェーンＣ１は、図３６に示されたように、水洗水の制限された流れのみ
がサイドポート１８２７１に入るのを可能とするために、サイドポートカバー１８２８０
を持ち上げるように本願明細書に記載された機構を使用して上昇される。サイドポートは
、より低い流量で制限された水洗水が水洗弁に入るのを可能とするように構成されている
及び／又はサイズ決めされている。この低い速度は、オーバーフロー管１８２７８を介し
て弁本体内に導入されることができる洗浄剤を本願明細書に記載された標準的なトイレ内
へ運ぶのに十分であり、サイフォンを開始するのに十分な流れなしで必要な旋回、機械的
な撹拌を提供するのに十分である。
【０２１９】
他の実施形態はまた、活性洗浄動作のために洗浄剤が組み合わされトイレに入るのを可
能とするのに十分であるがサイフォンを開始するには不十分である低い速度での水洗水が
洗浄サイクル中に弁本体内に入るようにある様式で弁が部分的に開放し、その後、洗浄剤
の便器をパージし新たな水洗水を導入するために標準的な水洗に従事するために完全な流
量を使用して別個の水洗がなされるように機能するために同様に設計されていてもよい。
例えば、水洗弁は、水洗起動ポペットリフトチェーンによる完全な水洗動作を可能とする
ために、また、別個のより小さな開口経路及び別個の洗浄サイクル作動チェーン上で動作
可能なヒンジ蓋を有する側方開口（拡張体であることができる）を有するために標準的な
ポペット蓋及び同軸のガイドロッドによって構成されていてもよい。
【０２２０】
弁及び本願明細書に記載された標準的なトイレ用の水洗弁の提案された実施形態のそれ
ぞれについて、当該技術分野において知られているような且つ実施形態１７００において
図示されているような（及び必要に応じて特定の流路のための）丸みのある入口の使用、
必要に応じて且つ好ましくは洗浄作動中に弁を通る洗浄流量に負の影響を与えない場合に
は上昇した弁本体の使用、弁動作及び開口率を制御するための国際特許出願公開第２０１
４／０７８４６１号公報におけるもののいずれかなどの逆流防止機構の使用、本願明細書
の出願人の同時係属中の米国非仮特許出願第１４／１８３，２９０号に記載されているよ
うなオーバーフロー通気スクープの使用、流れ方向のための内部バッフルの使用、及び弁
タイミングを最適化するために水洗作動チェーン又は洗浄サイクル作動チェーンのいずれ
かに引っ掛けることができる追加の取り付けられたフロート（米国特許出願公開第２０１
４／００９０１５８Ａ１号明細書におけるような）の使用などを含む本願明細書における
洗浄システム（実施形態１６００、１７００及び１８００のような）において使用される
場合に標準的なトイレ用の記載された弁による使用するために任意選択のフィーチャが設
けられてもよい。
【０２２１】
最適な動作のために、従来の便器において、そのような部分的に開放された弁は、洗浄
剤／水洗水の混合物による良好な洗浄のために十分であるが分離された噴射経路を有しな
い便器においてサイフォンを開始するのに十分ではない速度での流れを可能とするために
、例えば、隙間において開放する又は最適化された距離で部分的に持ち上げられる（又は
別個の側方開口を有する）（部分的フローモード）。実施形態１７００において許容可能
な隙間は、部分的に開放された弁を介して達成される流量が所与のトイレ設計についての
完全な水洗流量（すなわち、完全なサイフォン又は完全なウォッシュダウン作用を達成す
るのに必要な流量）の約２０％から約８０％の間であるようなものであり、１６００など
の実施形態における弁本体の入口の上方の部分的開口は、実施形態１８００における側方
開口ポートを介する流れを可能とするように利用可能な領域と同様の測定値のものである
。好ましくは、部分的に開放された弁を介して達成される流量は、所与のトイレ設計につ
いての完全な水洗流量の約４０％から約６０％の間である。そして、標準的な水洗アクチ
ュエータ（電子的又は標準的な水洗ハンドル（又は本願明細書において述べられたような
機械的ハンドル）にかかわらず）は、好ましくは標準的な水洗サイクルにおいて便器をパ
ージするために従事している。
【０２２２】
本願明細書に記載された水洗弁の全てについての動作において、洗浄サイクルアクチュ
エータ１６０４（本願明細書に記載されているようなギア駆動によるアクチュエータボタ
ン又は機械的作動ハンドルなど）が起動される。上述の制御システム１６０００は、リム
入口ポート１６２８（実施形態１０の準備されたトイレにおけるような別個且つ分離され
たリム弁におけるリム入口ポート、又は、非噴射便器、リム供給噴射便器又はウォッシュ
ダウン便器などの標準的なトイレにおけるようなリムチャネルへのリム入口ポート）を介
したトイレ１６３０への水洗水の導入前に、実施形態１６００、１７００及び１８００に
記載されたオーバーフロー管１６１９０又は水洗弁における他の入口点内への液体供給弁
１６１２０又は他の弁アセンブリを介した容器１６０６からの洗浄剤の制御された導入の
ために上述の様々な実施形態のうちの１つを開始するようにシステムを動作させる。各便
器における水洗弁は、上記詳細に述べられたように洗浄サイクルが完了する前に洗浄液の
不要な損失を生じさせる便器水洗／サイフォン開始なしで便器内への水洗水と混合された
洗浄剤の制御された放出のための水洗弁を開放するためにＣＰＵなどの制御システム１６
０００によって作動される。洗浄滞留時間の終了において、従来の水洗は、便器への清潔
な水洗水の完全な流れを放出し洗浄サイクルから洗浄剤／水洗水の混合物及び洗浄剤によ
って除去されたデブリをパージするために、通常の様式で（又はプログラミングされた作
動により）作動されることができる。
【０２２３】
異なるトイレアセンブリの異なる動作を含むためのトイレアセンブリ及び様々な水洗弁
の変形例と同様に、本願明細書における実施形態は、上述のような液体供給弁１２０の様
々な変更例を使用することなどによって代替の流量制御装置６６ａと、いくつかの場合に
は液体供給弁の変形例と機能するために又は追加のフィーチャを提供するために変更され
た容器とを設けることによって変えることができる。以下は、様々な代替の液体供給弁の
実施形態を提供する。
【０２２４】
図３８及び図３８を参照すると、本願明細書におけるさらなる実施形態２００において
、上述の洗浄システムは、以下に述べられていることを除いて、他の全ての点で、上述の
実施形態１０の洗浄システム１００と同じであり、同様の参照符号が同様の部分を示すた
めに全体を通じて使用される。本実施形態は、代替の容器及び液体供給システムを含む。
本実施形態２００において、容器２０６は、それが相補的なハウジング内に着座している
ときに容器２０６の任意選択の出口部２１１内に位置するように配置された液体供給弁２
１２０を有する。液体供給弁２１２０は、弁フィッティング２１２５を受け入れる中を通
る通路２１２２を画定する。弁２１２０は、適所にある場合に弁本体２１２６内の通路２
１２２を介して且つフィッティング２１２５の内部２１２８を介して容器２０６の内部空
間２３１から洗浄剤溶液又は他の流体を導くための第１の上端部２１２３有する。そのよ
うなフィッティングは、トイレアセンブリの水洗弁内へのオーバーフロー管への又はチュ
ーブ型供給管の又は他の同様の供給経路の第１の端部７８への供給物として作用すること
ができる。弁２１２０はまた、フィッティング２１２５が通過する第２の下端部２１２４
を有する。
【０２２５】
実施形態２００において、機械弁９１（図５に示されているような及び実施形態１００
における弁と同じであることができる）はまた、代替の流量制御装置として液体供給弁２
１２０と連動して使用でき、好ましくは、供給管７９を通る又はオーバーフロー管内への
流れを制御することが可能である。制御システム２００００はまた、実施形態１０におけ
るアクチュエータフィーチャ４などのアクチュエータフィーチャによって起動可能である
。アクチュエータフィーチャ４の起動時に、制御システム２００００は、供給管７９及び
／又はオーバーフロー管１９０から、実施形態１０において上述の便器３０のリム入口ポ
ート２８への流体の供給のために構成された閉じられた水洗弁８０の弁本体１０４の内部
空間１０３への液体洗浄剤溶液９の投与量を供給するのに十分な第１の期間に上述のよう
に機械弁９１を動作させることによって洗浄サイクルを開始するようになされている。制
御システム２００００は、制御システム１０００に関して上述のようにプログラミングさ
れフィーチャを含むことができる。制御システム２００００はまた、上述の第２の期間に
わたって水洗水とともに液体洗浄剤の投与量を導入するために水洗弁を開放し、同様に上
述のように液体洗浄剤の投与量を供給した後に水洗弁を少なくとも部分的に閉じ、水洗弁
を再度開放し、任意選択で、洗浄サイクルの終了において新たな水洗水によって便器の内
部をパージするために第３の期間（保持時間）の後に必要に応じてアセンブリにおける任
意の噴射水洗弁を開放するように水洗弁８０を動作させる。
【０２２６】
液体供給弁２１２０は、供給管７９の第１の端部７８に液体供給弁の第２の端部２１２
４を接続するための液体供給弁２１２０の第２の端部２１２４と連通する弁フィッティン
グ２１２５を有することができる。液体供給弁２１２０は、異なる弁シール２１２７を有
するために当該技術分野において使用される様々な適切な弁であることができ、例えば、
シールは、傘弁、ダックビル弁、ばね式弁、回転弁、通気弾性弁及びフラップ弾性弁とす
るであることができる。図示されているように、液体供給弁２１２０は、傘弁シールを有
する。実施形態１００と同様に、システムは、機械弁９１を動作させるために制御システ
ム２００００によって同様に起動可能なギアポンプ及び／又はギアモータ２３をさらに含
むことができる。容器２０６は、実施形態１０と同様に、代替２０６の容器、ハウジング
１２１、及びタンク蓋１７０における上部カバー９９を保持するように構成されたハウジ
ング１２１及び下部トレイ９４内に着座していてもよく、下部トレイ９４、ハウジング１
２１及び蓋カバーは、標準的なタンクカバーの代わりに上蓋又は蓋インサートが存在し且
つ下部トレイがトイレ水洗弁の上方においてトイレタンクの内部に存在するように、トイ
レタンク６０の上部に配置されるように構成されている。トレイ９４及びハウジング１２
１は、上述のような弁フィッティング及び形状を考慮して当業者によって変更されてもよ
い。
【０２２７】
図３９〜図４０を参照すると、洗浄システム４００のさらなる実施形態は、弾性隔膜４
１４０によって閉じられた出口ポート４１９を有する出口部４１１を有する本体４０７を
有する容器４０６を含む。隔膜４１４０は、穿刺注射型針４１３８の形態のチューブが供
給管７９内への針を介した流体連通を確立するように通過するのを可能とする。容器４０
６内からの流体は、リム水洗弁８０である水洗弁内へとオーバーフロー管１９０の入口ま
でギアポンプ２１を介して通過する。
【０２２８】
任意選択の通気管７６には、容器４０６の内部領域４３１における空気を移動させるた
めに容器内に空気を引き込むために通気管７６の第２の端部８４の近くにチェック弁８５
が設けられている。任意選択の第２の通気針４１３９は、システム内に混入した空気とと
もにそのような空気及び／又は流体を通過させるために図示されている。
【０２２９】
図示されているように、水洗弁８０は、カムが接点４１１１に係合した後にリフトロッ
ト４１１２を動作させるようにカム４１３７を使用して動作する。制御システム４０００
０は、制御システム１０００と動作において同じとなり、システムは、制御パネル９７、
アクチュエータ４及びハウジングにおける電池区画６１内の電池６１ａを含むことができ
、これはまた実施形態１０のものと同じであることができるが、シート４１４２は、出口
部４１１及び関連する供給管７９及び通気管７６を受け入れるように構成されていること
が理解されるべきである。
【０２３０】
フラッパ４１０５を機械的に持ち上げるために、本実施形態における水洗弁動作機構８
２ａは設けられており、水洗弁動作機構８２ａは、他の点では弁８０と同じである水洗弁
４８０の弁本体４１０４の周りに着座したフラッパリフト機構４１１４に接続されたリン
ク４１１３と連通するリフトロッド４１１２を有する。フラッパリフト機構４１１４は、
相補的な形状で弁本体４１０４を包み込むように構成されている（しかし、それはそうで
ある必要はなく、また、周りに部分的にのみ延在することができ依然として適切に機能す
ることができる）。好ましいものとして、フラッパリフト機構は、作動された場合に一様
なリフトを与えるように弁本体の周りに延在する。リフト機構の前部４１１５は、好まし
くは、フラッパの開口領域（弁本体の正面及び側面）の周りの弁本体の周りに湾曲してい
る。図示されているように、それは、作動された時にそれを捕捉してフラッパを持ち上げ
るためにフラッパの縁の真下に位置するのに十分な長手方向の幅の略平坦部品である。フ
ラッパリフト機構４１１４の後部４１１６は、フラッパヒンジ４１１７の下方に存在する
ためにフラッパリフト機構の前部４１１５よりも若干高く配置されたロッド４１１８を有
する。フラッパリフト機構の後部４１１６は、リフトロッド４１１２によって作用される
ための接触片４１１１を有する外側部品をさらに有する。
【０２３１】
使用時において、ギアモータ４２３が制御システムによって起動されてフラッパカバー
４１０５を開放すると、機構４１１４の前部４１１５がギアモータにおけるギアのプログ
ラミングされたタイミングと一致して制御された様式でフラッパ４１０５を持ち上げて自
然に上方に押されるように、リフトロッドがフラッパリフト機構４１１４の後部４１１６
を押し下げる接触片４１１１を押すように下方に押すように、ギアモータは、回動可能な
リフトロッド４１１２を回転させる。ギアモータは、動作中に接触片を押すようにそのシ
ャフトにおいてカム又は同様の装置を有することができる。フラッパリフト機構４１１４
及びリフトロッド４１１２の使用は、洗浄システム４００が保守、修理又は交換のために
それが容易に取り外されることができるように水洗タンク及びトイレの他の構成要素に本
質的に繋ぎ止められていないシステム設計を可能とする。
【０２３２】
上述のようなアセンブリは、上述の１０などの実施形態に有用である様々な容器設計を
有することができる。そのような容器のさらなる例が図４１〜図５６を参照しながら代替
の弁とともにここで記載される。
【０２３３】
まず図４１〜図４２を参照すると、上述の洗浄システムを有することができるさらなる
実施形態７００が代替の容器及び動作可能な弁を参照しながら示されており、これは、他
の全ての点で実施形態１０と同じであることができ本願明細書において述べられた実施形
態５００、１６００、１７００、１８００又は１９００において使用でき、同様の参照符
号が同様の部品を示すために全体を通じて使用されている。本実施形態は、上述のように
代替の容器を含む。本実施形態７００において、容器７０６は、それが相補的なハウジン
グ７１２１（上述のハウジングのいずれであってもよい）内に着座しているときに容器７
０６の任意選択の出口部７１１内に位置するように配置された液体供給弁７１２０を有す
る。液体供給弁７１２０は、洗浄流体を放出するための中を通る通路７１２２を画定する
。
【０２３４】
弁７１２０は、内部弁プラグ７１８０を覆うように配置された固定弁インサート７１７
９を有する。弁プラグは、ギア７１８６（単数又は複数）及びギアモータ７１８７によっ
て動作される弁アクチュエータ７１８５によって回転するように動作可能である。制御シ
ステム７００００（本願明細書に記載された他の制御システムと同様）が洗浄流体を放出
するように供給弁７１２０を作動させると、モータが回転し、プラグ７１８０における停
止部７１８１が接触するまで弁プラグ７１８０に係合するアクチュエータを動作させる。
【０２３５】
洗浄剤溶液は、容器７０６の内部空間７３１から弁７１２０における通路７１２２を介
して且つ内部を介して供給管内へと重力供給によって導かれることができ、供給管は、上
述のもののいずれかと同様であることができアクチュエータ７１８５の内部７１８８を介
して供給管に流体連通することになる。本願明細書において弁が直接作動される７００な
どのような実施形態において、弁自体が洗浄流体を供給するための電動式フロー制御装置
として作用していることから、別個の弁流量制御装置は必要とされない。それゆえに、本
願明細書において使用される場合、「流量制御装置」は、実施形態７００に記載された様
々な出口弁の実施形態及び他の同様の設計又は独立して流れを制御するために供給管に沿
って配置された別個の弁を含む任意の機構であることができる。
【０２３６】
他の実施形態と同様に、その中のアクチュエータフィーチャの起動時に、制御システム
は、好ましくは、便器内への洗浄剤及び水洗水の入口と流体連通する流路に沿った位置へ
と、例えば、供給管へ、その後、本願明細書の他の箇所に述べられたように便器のリム入
口ポート又は従来のリムチャネル入口のいずれかに流体を供給するように構成された閉じ
られた水洗弁（弁８０など）の弁本体の内部空間へ、その後１つ以上のリムチャネル出口
へと液体洗浄剤溶液の投与量を供給するのに十分な第１の期間に上述のように弁７１２０
を動作させることによって洗浄サイクルを開始するようになされている。そのような弁７
１２０（本願明細書における他の弁の実施形態と同様に）は、本願明細書における好まし
い実施形態のように分離されたリム弁への水洗弁の上方におけるオーバーフロー管へ直接
供給して、便器内へのリム入口又は従来のリムチャネルのリム入口へ直接供給し１つ以上
の出口ポートを介して出るように接続されることができる。必要とされる全てのことは、
容器の下流及び水洗水が洗浄剤とともに便器に入ることになる点の上流の水洗水経路に沿
ったある点で洗浄剤が水洗水と組み合わされることである。本実施形態７００において、
弁７１２０は、便器に入る前のある点で水洗水と組み合わすために洗浄剤を制御可能に放
出することができる。
【０２３７】
制御システムは、制御システム１０００及び他の実施形態に関して上述されたようにプ
ログラミングされ且つフィーチャを含むことができる。制御システムはまた、上述のよう
に第２の期間にわたって液体洗浄剤の投与量を水洗水とともに導入するために水洗弁を開
放し、上述のように液体洗浄剤の投与量を供給した後に水洗弁を少なくとも部分的に閉じ
、水洗弁を再度開放し、任意選択で、洗浄サイクルの終了において新たな水洗水で便器の
内部をパージするために第３の期間（保持時間）の後に必要に応じてアセンブリ内の任意
の噴射水洗弁を開放するように水洗弁８０を動作させる。
【０２３８】
液体供給弁７１２０は、供給管の第１の端部に液体供給弁７１２０を接続するためのア
クチュエータ通路を有する（必要に応じて他のフィッティングも有してもよい）。実施形
態１０、２００と同様に、システムは、弁９１のような機械弁を動作させるために制御シ
ステム同様に起動可能なギアポンプ２１及び／若しくはギアモータ２３をさらに含むでも
よく、又は上記実施形態１０に記載されたようにリフトアーム作動システムとともに動作
するように構成されていてもよい。容器７０６は、代替の容器７０６（又は実施形態６０
０におけるように蓋及びハウジング）を保持するように実施形態１０におけるように構成
されたハウジング及び／又は下部トレイ内に着座していてもよい。通気口は図４１〜図４
２に示されていないものの、弁及び容器７０６はまた、本願明細書に記載された通気チャ
ネル、開口又は通気機構のうちの１つ以上を組み込むこともできる。
【０２３９】
図４３〜図４４を参照すると、さらなる実施形態８００は、部分的に示されており、以
下に記載されているように実施形態１０、５００、１６００、１７００、１８００又は１
９００と同様である又はそれらにおいて使用され、同様の部品は類似しているが、代替の
容器８０６及び代替の弁８１２０を提供する。それは、他の点では上述の他の実施形態に
おけるアセンブリと同じとなり、同様の参照符号が同様の部品を示すために全体を通じて
使用されている。実施形態８００において、容器８０６は、それが相補的なハウジング８
１２１内に着座しているときに容器８０６の任意選択の出口部８１１内に位置するように
配置された液体供給弁８１２０を有する。液体供給弁８１２０は、容器８０６の内部空間
８３１から、適所にあるときの弁８１２０を介して、実施形態１０に記載されたものなど
の供給管の第１の端部と流体連通するアクチュエータ８１８５の内部８１８８内へ且つそ
れを介して洗浄剤溶液又は他の流体を導く。
【０２４０】
動作時において、弁８１２０は、弾性弁８１８９及び弁本体８１９０を含む。弾性弁は
、外側リング８１８９ａ及び中央弾性プラグ８１８９ｂを有する。リング８１８９ａは、
その間の開口８１８９ｄを通過したまま一連のリブ８１８９ｃによってプラグ８１８９ｂ
に接続されている。スレッド８１９２ａを有するねじピン８１９２を有するモータ８１９
７は、嵌合スレッド８１９５ａを有するねじ受け孔８１９５内で回転する。ねじが回転す
ると、回動アーム８１９３は、アクチュエータ８１８５に係合し、弾性弁８１８９に係合
するように弁本体８１９０における通路８１２２内にそのプランジャー８１９４を押し込
み、弾性弁８１８９のプラグ８１８９ｂを押し上げる。プラグが通路８１２２において弁
本体８１９０内にもはやぴったり着座していないとき、洗浄剤が空間８１８９ｄにおける
弾性弁リブ８１８９ｃの間を流れるように、隙間が弁本体と弾性弁との間に開放される。
【０２４１】
本実施形態において、機械弁９１（先の実施形態に図示されている）はまた、任意選択
で、追加の流量制御装置として使用でき、その場合、供給管を通る流れを制御するための
ものであることが好ましい。制御システムは、本願明細書の他の箇所に記載されているよ
うにアクチュエータフィーチャによって起動可能であることができる。アクチュエータフ
ィーチャの起動時に、制御システムは、供給管から、上述のように便器のリム入口ポート
に流体を供給するように構成された閉じられた水洗弁の弁本体の内部空間への液体洗浄剤
溶液の投与量を供給するのに十分な第１の期間に上述のように弁８１２０と連動して本願
明細書に記載されたような機械弁９１又はモータを動作させることによって洗浄サイクル
を開始するようになされている。制御システムは、制御システム１０００に関して上述さ
れたようにプログラミングされフィーチャを含むことができる。制御システムはまた、上
述のように第２の期間にわたって液体洗浄剤の投与量を水洗水とともに導入するために水
洗弁を開放し、同様に上述のように液体洗浄剤の投与量を供給した後に水洗弁を少なくと
も部分的に閉じ、水洗弁を再度開放し、任意選択で、洗浄サイクルの終了において新たな
水洗水で便器の内部をパージするために第３の期間（保持時間）の後に必要に応じてアセ
ンブリ内の任意の噴射水洗弁を開放するように水洗弁を動作させることになる。
【０２４２】
アクチュエータを有する液体供給弁８１２０は、供給管へとアクチュエータ通路８１８
８を介して流体連通するように嵌合されていてもよい。弾性弁構成も変更されることがで
きる。容器８０６は、本願明細書に記載された任意のハウジング内に着座していてもよい
。
【０２４３】
また図示されているように、本実施形態８００において、任意選択の通気アセンブリ８
１９６が設けられている。通気アセンブリ８１９６は、組み立て時にインサート８１９８
の開口８１９９がキャップ８１９７とインサート８１９８との間に形成されたチャネル８
２００による開位置に位置合わせされるように、インサート８１９８内に嵌合する４分の
１回転キャップ８１９７を有する。他の点においては本願明細書における他のカバーのよ
うであることができるカバー８０９９及びタンク（単数又は複数）用のインサートは、そ
れが好ましくは空気取り入れ及び開位置に配置されるようにキャップと干渉し且つキャッ
プに係合する従動ピン８２０１を有するように構成されていてもよい。開放時において、
空気は、容器が空になり且つ液体が弁８１２０を介して下方に流れるにつれてチャネルを
介して内側に引き込まれる。空気通気アセンブリ８１９６は、容器８０６に設けられた入
口開口８２０２内に着座することができる。代替の内側形状部８２０３はまた、交換容器
の保管及び輸送のための積み重ねフィーチャを提供するために容器の下部に形成されるこ
とができる。通気アセンブリ８１９６及び形状部８２０３などの他のフィーチャは、設け
られた任意の既存の通気管に加えて又はその代わりに、本願明細書における任意の他の容
器アセンブリに設けられてもよいことが理解されるべきである。
【０２４４】
図４５〜図４６を参照すると、実施形態８００と同様に、実施形態７００及び８００に
よって使用するための上述の様々な実施形態において使用するための代替の容器９０６及
び代替の弁９１２０を導入するさらに他の実施形態９００が示されている。本実施形態に
おいて、弁９１２０は、弁８１２０と同一であり、したがって本願明細書においてさらに
記載されない。アセンブリはまた、他の点でも、上述の１０、５００、１６００、１７０
０、１８００又は１９００におけるものと同じであり、同様の参照符号が同様の部分を図
示するために全体を通じて使用されている。本実施形態９００において、容器９０６は、
それが相補的なハウジング９１２１内に着座しているときに容器９０６の任意選択の出口
部９１１内に位置するように配置された液体供給弁９１２０を有する。液体供給弁９１２
０は、容器９０６の内部空間９３１から、適所にあるときの弁９１２０を介して、実施形
態１０に記載されたものなどの供給管の第１の端部と流体連通するアクチュエータ９１８
５の内部９１８８内へ且つそれを介して洗浄剤溶液又は他の流体を導く。
【０２４５】
動作時において、弁９１２０は弾性弁９１８９及び弁本体９１９０を含み、弾性弁９１
８９及び弁本体９１９０は、弁８１２０におけるもののようであり、したがって本願明細
書にはさらに記載されていない。モータ９１８７は、ギア開口９２０５を画定するスレッ
ド内部ギア表面９２０４を有するギア８１８６（単数又は複数）を動作させる。モータが
動作しギア（単数又は複数）が回転すると、内部スレッドギア表面９２０４は、アクチュ
エータ９１８５において長い嵌合スレッド９２０６を回転させる。そして、アクチュエー
タ９１８５のプランジャー９１９４は、実施形態８００におけるプランジャー８１９４に
関する上述と同様に弾性弁９１８９に係合する。これは、弾性弁９１８９に係合するよう
に弁本体９１９０における通路９１２２内にプランジャー９１９４を押し込み、洗浄剤が
弾性弁リブの間を流れるように弁本体９１９０と弾性弁９１８９との間に隙間を開放する
ようにそれを上方に押す。他の点では実施形態９００における弁は、それが使用される洗
浄システムが行うように実施形態８００における弁と同様に動作する。
【０２４６】
アクチュエータを有する液体供給弁９１２０は、供給管へのアクチュエータ通路９１８
８を介して流体連通するように嵌合されていてもよい。弾性弁の構成も変更されることが
できる。容器９０６は、本願明細書に記載された任意のハウジング内に着座していてもよ
い。
【０２４７】
また図示されているように、本実施形態９００において、代替の任意選択の通気アセン
ブリ９２０７が設けられている。通気アセンブリ９２０７は、容器内のインサート開口９
２０２内に嵌合する通気キャップ９２０８を有する。他の点では本願明細書における他の
カバーのようなカバー９０９９及びタンク（単数又は複数）用のインサートは、それが好
ましくは配置され着座しているようにキャップと干渉し且つキャップに係合する実施形態
８００のもののような従動ピン９２０１を有するように構成されていてもよい。容器が着
座しているときに、箔９２１１が通気キャップ９２０８の上に配置される。弁が動作しス
ピニングギア９１８６（単数又は複数）が弁アクチュエータ９１８５を起動させると、弁
は開放され、ロッド９２０９の穿刺点の空気は、流体が下方に引き込まれるように上方に
押される。ロッドによる箔の穿刺は、通気のために容器内への空気取り込みを可能とする
。蓋９０９９はまた、カバーにおいて任意選択の穿刺従動ピン９２１０と嵌合されること
によってロッド９２０９などのロッドの代わりに作用するように構成されていてもよい。
それゆえに、カバー９０９９が適所に置かれたとき、ピン９２１０は、代替のオプション
として箔を穿刺することができる。任意選択の箔及び穿孔フィーチャ並びに代替の弁作動
フィーチャを有する通気アセンブリ９２０７が、設けられた任意の既存の通気管に加えて
又はその代わりに、本願明細書における任意の他の容器センブリにも設けられてもよいこ
とが理解されるべきである。
【０２４８】
図４７〜図４８を参照すると、全般的に本願明細書においては１２００と称されるさら
なる実施形態が示されており、実施形態１２００は、さらなる代替の容器１２０６及び代
替の弁１２１２０をさらに導入する。それは他の点では実施形態１０、５００、１６００
、１７００、１８００又は１９００と同じであり、同様の参照符号が同様の部分を示すた
めに全体を通じて使用されている。本実施形態１２００において、容器２１０６は、それ
が相補的なハウジング１２１２１内に着座しているときに容器１２０６の任意選択の出口
部１２１１内に位置するように配置された液体供給弁１２１２０を有する。液体供給弁１
２１２０は、容器１２０６の内部空間１２３１から、適所にあるときの弁１２１２０を介
して、実施形態１００に記載されたものなどの供給管の第１の端部と流体連通するアクチ
ュエータ１２１８５の内部１２１８８内へ且つそれを介して洗浄剤溶液又は他の流体を導
く。
【０２４９】
動作時において、弁１２１２０は、フラップ弁であり、フラップ弾性部１２２１２及び
フラップ弁本体１２２１３を含む。フラップ弁本体は、より剛性がある材料から形成され
ており、図４８における開位置にある場合にフラップ弾性部１２２１２における開口１２
２１５を押し通る上方に延在するピン２１２１４を有する。そして、フラップ弾性弁は、
本体を通り且つフラップの周りの流体の流れを可能とするために上方に湾曲する。ギアが
回動アーム１２２１６における係合スレッド１２２１９に沿って移動するにつれて平ギア
１２２１７にさらに係合するウォームギア２１２１８に係合するモータ１２１８７は、フ
ラップ弾性部を押し上げることによって弁を開放するように、回動アームがその上のアク
チュエータ１２１８５を上方に押すようにする。
【０２５０】
他の全ての点において、実施形態１２００は、本願明細書における実施形態１０、５０
０、１６００、１７００、１８００又は１９００における他の洗浄システムと同じである
ことができ、容器及び弁設計は単純である。実施形態８００及び９００において本願明細
書に記載され且つ本願明細書の他の箇所に記載された他の容器の通気アセンブリ及び形状
部、箔などには、システムのこの記載された弁及び容器部が設けられてもよいことが理解
されるべきである。
【０２５１】
図４９〜図５０を参照すると、追加の代替の容器１３０６及び弁１３１２０を提供する
さらに他の実施形態１３００が示されている。本実施形態において、弁１３１２０は、そ
の弁本体１３２２０を除いて弁８１２０と同一である。弁本体１３２２０は、良好に弾性
弁１３１８９に係合しそれをより良好に着座させることができる複数の上向きスナップア
ーム１３２２１を有する若干異なるスナップイン係合フィーチャを含む。アセンブリにお
ける洗浄システム及びトイレは、他の点で本願明細書における実施形態１０、５００、１
６００、１７００、１８００又は１９００のもののいずれかと同じであり、同様の参照符
号が同様の部品を示すために全体を通じて使用されている。本実施形態１３００において
、容器１３０６は、それが相補的なハウジング１３１２１内に着座しているときに容器１
３０６の任意選択の出口部１３１１内に位置するように配置された液体供給弁１３１２０
を有する。液体供給弁１３１２０は、容器１３０６の内部空間１３３１から、適所にある
ときの弁１３１２０を介して、実施形態１０に記載されたものなどの供給管の第１の端部
と流体連通するアクチュエータ１３１８５の内部１３１８８内へ且つそれを介して洗浄剤
溶液又は他の流体を導く。
【０２５２】
動作時において、弁１３１２０は、弾性弁１３１８９及び弁本体１３２２０を含み、弾
性弁は、実施形態８００及び９００のものと同様である。モータ１３１８７は、ねじ付き
ギア表面を有するウォームギア１３２２０（単数又は複数）を動作させる。モータが動作
しギア（単数又は複数）が係合し回動アーム１３２２３のねじ付き係合表面１３２２４に
沿って移動するとき、それはその後、実施形態８００におけるプランジャー８１９４に関
する上述と同様に回動アーム駆動プランジャー１３１９４を上方に弾性弁１３１８９内に
押し込む。これは、弾性弁１３１８９に係合するために、且つ洗浄剤が弾性弁リブの間を
流れるように弁本体１３２２０と弾性弁１３１８９との間に隙間を開放するようにそれを
上方に押すために、弁本体１３２２０における通路１３１２２内にプランジャー１３１９
４を押し込む。他の点で実施形態８００及び９００における弁は、実施形態１３００が使
用される洗浄システムが行うように実施形態１３００における弁と同様に動作する。
【０２５３】
アクチュエータを有する液体供給弁１３１２０は、供給管にアクチュエータ通路１３１
８８を介して流体連通するように嵌合されていてもよい。弾性弁の構成も変更されること
ができる。容器１３０６は、本願明細書に記載された任意のハウジング内に着座していて
もよい。
【０２５４】
また図示されているように、本実施形態１３００において、さらなる代替の任意選択の
通気アセンブリ１３２２５が設けられている。通気アセンブリ１３２２５は、通気アセン
ブリ弾性弁１３２２７を着座させるようにアームを有する弁本体１３２２０と同様に成形
された通気アセンブリ弁本体１３２２６を有する。このアセンブリ１３２２５は、容器１
３０６における入口開口１３２０２内に嵌合する。他の点では本願明細書における他のカ
バーのようなカバー１３９９及びタンク（単数又は複数）用のインサートは、それが好ま
しくは配置され着座しているようにキャップと干渉し且つキャップに係合する実施形態８
００のもののような従動ピン１３２０１を有するように構成されていてもよい。蓋１３９
９はまた、カバー上に任意選択の穿刺従動ピン１３２１０を有するように構成されていて
もよい。それゆえに、カバー１３９９が適所に置かれると、ピン１３２１０は、容器内に
空気を取り込むのを可能とするために通気アセンブリ弾性弁１３２２６を押して開放する
ことができる。通気アセンブリ１３２２５及び代替の弁作動フィーチャが、設けられた任
意の既存の通気管に加えて又はその代わりに、本願明細書における任意の他の容器アセン
ブリにも設けられてもよいことが理解されるべきである。
【０２５５】
図５１〜図５２を参照すると、さらに代替の容器１４０６及び弁１４１２０を有するさ
らに他の実施形態１４００が示されている。本実施形態において、弁１４１２０は、弁１
３１２０と同一であり、したがって本願明細書においてさらに記載されない。アセンブリ
及び洗浄システムは、他の全ての点で、本願明細書における実施形態１０、５００、１６
００、１７００、１８００又は１９００のものと同様であることができ、同様の参照符号
が同様の部品を示すために全体を通じて使用されている。本実施形態１４００において、
容器１４０６は、それが相補的なハウジング１４１２１内に着座しているときに容器１４
０６の任意選択の出口部１４１１内に位置するように配置された液体供給弁１４１２０を
有する。液体供給弁１４１２０は、適所にあるときの弁１４１２０を介して容器１４０６
の内部空間１４３１から洗浄剤溶液又は他の流体を導く。本願明細書における他の実施形
態とは異なり、ハウジングは、係合されたときに空気が取り込み管１４２２８内に形成さ
れた通路１４２２９を介して弾性弁１４１８９におけるリブの間の開口内に且つそれを介
して内側に流れるのを可能とする第１の空気取り込み管１４２２８を有するように嵌合さ
れている。容器から流出する洗浄剤溶液は、弾性弁１４１８９におけるリブを通過し、流
体流出管１４２３０における流体通路１４２３１内に流入する。シートにおける固定チュ
ーブは、容器が着座しているときに弁に係合する。他の通気口は必要ないが、上述の任意
選択の追加の通気口及び他の容器フィーチャが設けられてもよい。
【０２５６】
流体の流れは、実施形態１０に関して上述されたギアポンプ又はギアモータを使用する
ことによって係合されることができる。流体チューブ１４２３０は、供給管と流体連通す
るように構成されている。弾性弁の構成も変更されることができる。容器１４０６は、チ
ューブ１４２３０及び１４２２８がその中に形成されていることを条件として本願明細書
に記載された任意のハウジング内に着座していてもよい。
【０２５７】
図５３〜図５４は、本願明細書における１０、５００、１６００、１７００、１８００
又は１９００のアセンブリ及び洗浄システムなどの実施形態において使用するためのさら
なる流体供給弁の実施形態１５００を示している。本実施形態において、実施形態１４０
０と同様に空気入口及び液体出口流れのためのチューブを有する弁１５１２０が動作する
が、チューブは、実施形態１４００におけるよりも若干異なって形成され配置されている
。弁１５１２０は、弁本体１５２３２と、その中の通路１５１２２における本体内の位置
のための弁ステムと、係合部をシールするためのＯリング１５２３３と、弁を開閉するた
めにステムを上下移動させるためのばね１５２３５とを有する単純なばね式Ｏリング弁で
ある。洗浄システムはまた、他の点では上述のようなシステム１００又は６００と同様で
あり、同様の参照符号が同様の部分を示すために全体を通じて使用されている。動作時に
おいて、それは他の点では実施形態１４００と同様である。本願明細書に記載された他の
通気口及びフィーチャはまた、本実施形態においても使用することができる。
【０２５８】
便器用の洗浄システムについての容器及び液体供給弁のさらなる実施形態が図５５〜図
５６にみることができる。本願明細書において全般的に３００と称される本実施形態は、
代替の容器３０６が投与チャンバ３１２９と連通して設けられていることを除き、他の点
では実施形態１０と同じである。容器３０６は、他の容器に関して上述されたように液体
洗浄剤を保持するが、充填弁からより遠いタンクの側における追加空間という利点を採用
する追加の投与チャンバとともにタンク空間内に嵌合するように代替の形状（横断面にお
いて略丸みがあるとしてここで図示されている）を有することができる。容器３０６は、
内部空間３３１を画定する本体３０７を有する。容器本体３０７は、出口ポート３１９を
有し、図示されているように、出口ポート３１９は、容器３０６の底面３５１から延在す
る任意選択の出口部３１１にある。出口ポート３１９は、容器本体３０７の内部空間３３
１及び第１の機械弁３９１への入口と流体連通する。機械弁３９１は、本願明細書におけ
る実施形態１０及び他の実施形態における機械弁と同様であることができる。しかしなが
ら、この弁３９１は、供給管においてインラインである代わりに、投与チャンバ３１２９
の入口３１３０に出口ポート３１９を接続するように配置される。図示されているように
、弁３９１はばね式弁である。
【０２５９】
投与チャンバ３１２９は、好ましくは、容器３０６からの液体洗浄剤の所望投与量を保
持するように構成されサイズ決めされている。投与チャンバ３１２９は、内部空間３１３
１を画定する。投与チャンバは、さらに、投与チャンバの下流端部に出口ポート３１３２
を有する。投与チャンバ３１２９の入口ポート３１３０は、第１の機械弁３９１の出口ポ
ート３１３３と流体連通する。投与チャンバ３１２９の出口ポート３１３２は、第２の機
械弁３１３５の入口３１３４と流体連通する。第２の機械弁３１３５の出口３１３６は、
供給管７９の第１の端部と流体連通する。供給管７９は、他の点では本願明細書における
実施形態１０及び他の実施形態の供給管と同様に機能することができる。
【０２６０】
実施形態３００はまた、代替の容器３０６及び投与チャンバ３１２９を受け入れるよう
に構成された座部を有するハウジングを有する。座部は、容器の底部から延びる先の実施
形態の様式で通気管と流体連通する第１の開口を有するように且つ供給管の第１の端部を
受け入れるための第２の開口も有するように構成されるように変更される必要があり得る
。通気管は、容器から混入した空気及び／又は液体を受け入れるように位置する第１の端
部と、容器内の完全液位の少なくとも上方に配置された第２の開放端部とを有するように
先の実施形態のように構成されることになる。第１及び第２の機械弁３９１、３１３５は
それぞれ、投与室内外へ及び供給管への流れを制御するようにプログラミングされた本実
施形態における制御システム３００００によって動作されることになる。投与チャンバの
目的は、作動のタイミングに依存するのとは対照的に投与量の正確な測定を確実にするた
めに弁の動作を使用することになる。
【０２６１】
洗浄システム３００はまた、本願明細書に記載されているようなリフトロッド及び関連
するリフトロッド機構を動作させるために機能することができる、或いは水洗弁カバーを
開放するように水洗弁を持ち上げる代替のリフト作動機構によってギアモータがオーバー
フロー管及び／又は供給管への流体の定期的な供給のために投与チャンバを単純に動作さ
せるように機能することができる、図３９〜図４０の実施形態に示されているようにカム
３１３７によって第１及び第２の機械弁を動作させるために制御システムによって起動可
能なギアモータ３２３を含むことができる。
【０２６２】
システム３００の好ましい構成において、チャンバの重力流れの態様のために、追加の
配管を必要とせずに例えば漏斗内への及び／又はオーバーフロー管の上部へのより良好な
流れ及び洗浄流体の投入を提供するためにハウジングを通る横断面に対して角度を付けて
容器３０６及び投与チャンバ３１２６を位置合わせすることが望ましいことがある。
【０２６３】
容器設計を容易とする蓋カバーとともに容器及び投与チャンバを保持するように特に構
成されたハウジング及びトレイはまた、他の実施形態のように部品を有して設けられるこ
とができるが、サイズ及び形状が投与チャンバ及び代替の容器に特に適合されることがで
きる。下部トレイ及び蓋カバーは、タンク蓋が従来のタンクカバーの代わりに存在し且つ
下部トレイがトイレ水洗弁の上方のトイレタンクの内部にあるように、トイレタンクの上
部におけるタンク蓋として配置されるように依然として構成されていることになるが、タ
ンク蓋のトレイは、下部吊り下げ投与チャンバがより多くの利用可能な空間を提供するた
めに充填弁から遠いタンクの側に配置されるように配置されることができる。
【０２６４】
本願明細書におけるアセンブリのさらなる実施形態１９００において、本願明細書に記
載された実施形態１０、５００のものと同様であるがいくつかの変更を有する好ましい機
械的水洗ハンドルアクチュエータは、実施形態１０のものと同様の好ましい変更されたタ
ンクとともに採用される。水洗ハンドルアクチュエータは、内部動作要素の大部分が容器
ハウジングの開口におけるタンク及び取り付け部内に存在するように構成されたアクチュ
エータハウジング内にあるように動作する。これは、動作安定性を提供し、作業部品を保
護し、動作及びメンテナンスの容易性を向上させる。それゆえに、アセンブリトレイは、
このフィーチャを含むために変更される。さらに、そのような実施形態１９００（又は上
述の他の実施形態）において、実施形態は、実施形態１０、２００、３００、４００、５
００、７００、８００、９００、１２００、１３００、１４００又は１５００における上
述の様々な容器設計のいずれかを含むことができ、或いは、本願明細書に記載されている
ようにチューブアクチュエータ（実施形態７００のものと同様）を有する変更された容器
を組み込むことができる。それはまた、好ましく且つ実施形態１０に記載された準備され
たトイレ以外の他の種類のトイレアセンブリによって機能するように実施形態１６００、
１７００及び１８００の水洗弁を使用してなされることもできる。
【０２６５】
実施形態５００と同様に、図５７〜図６９は、上述のように実施形態１９００を対象と
している。本実施形態は、洗浄システムを作動させるために単純な様式でより少ない作業
部品で機能し、また有利には、例えばケーブル、ワイヤなどによってトイレタンクの本体
に連結されていないカバーユニットにおいて起動機構が維持されるのを可能とする。これ
は、実施形態１０と同様にトイレタンクからの洗浄システムの容易な取り外しを可能とし
、修理又はメンテナンスのための他のタンク構成要素へのアクセスを容易とする。本実施
形態において、図５７を参照すると、本願明細書の他の箇所に記載されたように便器、好
ましくは実施形態１０に関して記載されたトイレの上部に存在するように構成されたタン
ク１９０６が示されている。それは好ましくは、分解形態で同様に図示されている洗浄シ
ステムの部品とともに分解形態でアセンブリ１９００の一部として図示されているタンク
ライニング１９１６９を有する。（タンク及び便器は図示されていないが、好ましくは実
施形態１０のタンク及び便器である）。本実施形態１９００は、リフトアームアクチュエ
ータアセンブリ１９２８５の形態のさらなる代替のリフト機構を提供する（図６２に最も
よく示されているように）。
【０２６６】
リフトアームアクチュエータアセンブリ１９２８５は、水洗アクチュエータハンドル１
９０２とは独立して動作するようになされている。すなわち、通常水洗モードが有効であ
る場合、水洗アクチュエータハンドルは、トイレにおける弁（単数又は複数）を開放する
ためにリフトアームに係合するが、洗浄システムが係合され制御システムが起動された場
合、ハンドルは、リフトアーム機構とともに動作又は移動せず、代わりに、以下に記載さ
れているように独立して動作されることになる。リフトアームアクチュエータアセンブリ
１９２８５は、水洗アクチュエータハンドル１９０２が標準的な動作についての図５７に
示されている水洗弁１９８０などの水洗弁を開放するために回動ロッド又は他の水洗リフ
ト機構によって単純に機能するように第１の標準モードで動作する又は第２の洗浄サイク
ルモードで動作するのを可能とするフィーチャによってなされている。
【０２６７】
アセンブリ１９２８５は、必要に応じて弁（好ましい実施形態においてリム及び噴射弁
、又は、実施形態１６００、１７００及び１８００に記載されたように標準的なトイレを
使用する場合には少なくとも１つの水洗弁）を動作させるために標準的な水洗リフト機構
（本願明細書の他の箇所に記載されたような回動ロッド又はリンクアセンブリなど）に接
続される及び／又は係合することができるリフトアーム１９２８６を含む。洗浄サイクル
モードである場合、アセンブリ１９２８５は、リム水洗弁（他の点では実施形態１０に図
示されている弁８０に類似する弁１９８０など）を持ち上げることになる。この部分は、
アセンブリ１０おいて上述されたように動作することになり、そのリフトアーム１９２８
６は、アセンブリ１９２８５によって直接係合されることができる。
【０２６８】
リフトアーム１９２８６は、図５９に最もよくみられるように、アクチュエータギア１
９２８９においてさらなる係合拡張部１９２８８に係合する拡張部１９２８７（様々な形
状を有してもよく、ここで角度付きタブとして図示されている）を有する。アクチュエー
タギアは、ハウジング１９２９０の外部に配置される。ハウジングは、上述のポリマー又
は他の材料のいずれかから成形されることができ、単一部品又は複数の取り付け可能／取
り外し可能な部品であることができる。内部部品への容易なアクセスがシステムのメンテ
ナンス中に望まれる場合、ハウジングは、ある様式で取り外し可能であることが好ましい
。
【０２６９】
ハウジング１９２９０は、リフトギア及びその関連部品として動作するアクチュエータ
ギア１９２８９のベースを受け入れベースであるように構成されたアクチュエータ側１９
２９１（設置時に便器の前面に面する）及び反対側１９２９２又は後方に面する側を有す
る２部品ハウジング（図６２参照）である。そのような部品は、図示されているように、
嵌合エッジ１９２９６を有することができ、他の嵌合フィーチャを使用して一緒にスナッ
プされる又はねじ止めされる又はさもなければ一緒に嵌合することができる。図示されて
いるように、嵌合ファスナ１９２９８用のファスナ孔１９２９７もある。ハウジングは、
図５７に示されているように、組み立て時に容器ハウジング１９１２１の下方に存在し電
源としての電池を受け入れるようにサイズ決めされた任意の種類の電池トレイであること
ができる電池受けウェル１９６１の前部に存在するトレイ１９９４における開口１９２９
３を介して上方に、またタンク蓋１９２９５における対応する開口１９２９４を介して上
方に延在する。
【０２７０】
リフトアーム拡張部１９２８７及び係合拡張部１９２８８が接触すると、リフトアーム
１９２８６は、水洗弁用の開放機構（水洗弁のフラッパの昇降を動作させるために本願明
細書の他の箇所に記載されたように構成されていてもよい）を動作させるために作動され
る。
【０２７１】
洗浄サイクル中において、コントローラ１９０００（上述の実施形態１０、２００、３
００、４００などのコントローラと同様にプログラミングされることができる）は、リフ
トアームアクチュエータアセンブリ１９２８５におけるギアモータ１９１４８に係合する
。それゆえに、アクチュエータアセンブリギアモータ１９１４８は、好ましくは、コント
ローラと電子通信する。図示されているように、ギアモータ１９１４８は、ハウジング１
９２９０に配置され、それゆえに、動作中に乾燥したままにされ保護される。それゆえに
、ギアモータ及び関連するリミットスイッチ１９１５３は、取り付けフランジ１９２９９
を介してトレイ１９９４に固定されることができるハウジング１９２９０内に配置される
。取り付けフランジは、取り付けフランジを介して長手方向に延在する少なくとも１つの
ファスナ開口１９３００を有する（図示されているように、フランジの両端部に１つずつ
２つのそのような開口があるが、数は設計に応じて異なることがある）。さらに、好まし
くは、大きな開口１９３００もまた、取り付けフランジを介して長手方向に延在し、好ま
しくは、ハウジング１９２９０を好ましくは嵌合及び安定係合で受け入れるように構成さ
れている。ファスナ１９３０２は、トレイ１９９４の上方に延在する部分１９３０４内に
下方に締め付けられ、それぞれ、その中にファスナ受け開口１９３０５を有し、部分１９
３０４は、トレイの上面１９３０３に取り付けフランジ１９２９９を固定するために取り
付けフランジ１９２９９のファスナ開口１９３００内に嵌合する。
【０２７２】
トレイ１９９４は、さらなる安定性のために開口１９２９４を介してハウジング１９２
９０を受け入れるように構成された変更されたタンク蓋１９２９５の上に存在する。蓋１
９２９５は、以下に記載されているような供給弁ギアモータを収容するトレイ１９９４の
下部及び容器ハウジング１９１２１における容器シート１９５７の双方を受け入れるため
の凹部１９３０７も有する上面１９３０６を有する。
【０２７３】
動作時において、ピニオンギア１９３０８は、ハウジング１９２９０に取り付けられた
下方に配置されたアクチュエータギア１９２８９に係合する。アクチュエータギア１９２
８９が回転すると、それは、トリップレバーとしてのアクチュエータリフトアーム１９２
８６を動作させるように配置され、それにおいて、リフトアーム１９２８６の拡張部１９
２８７は、その後に水洗弁（単数又は複数）を開放するためにリフトアーム１９１８６の
動きを制限することになるアクチュエータギア１９２８９の係合拡張部１９２８８に接触
することになる。
【０２７４】
動作時において、コントローラは、ピニオンギア１９３０８を動作させるギアモータ１
９１４８を起動する。ピニオンギア１９２０８は、アクチュエータギア１９２８９に係合
しそれを移動させる。リフトアームは、アクチュエータギア係合拡張部１９２８８がリフ
トアーム１９２８６における拡張部１９２８７を押すまで弁機構を動作させることになり
、これにより動作が停止する。リミットスイッチ１９１５３はまた、所望の位置でリフト
アームを停止するために利用することができる。分離されたリム及び噴射チャネルを組み
込むトイレ設計の好ましい実施形態において、リフトアームは、好ましくは、リム水洗弁
を開放するには十分高いが噴射水洗弁を開放するには十分高くない位置に移動される。そ
れゆえに、リフトアームは、洗浄サイクルのためにカバーを制御可能に持ち上げ水洗弁を
開放するためにリム水洗弁に直接接続して又は接続若しくはリンク機構を介して動作する
ことができる。
【０２７５】
コントローラがギアモータをオフにすると、作用が停止し、ギアモータの制御された動
作によって反転させることができる。ギアモータが動作していないときの通常水洗サイク
ルにおいて、リフトアームは、その後、リフトアーム拡張部に接触しないように配置され
たままになるアクチュエータギアに係合するように移動することなく通常水洗機構を動作
させることになる。それゆえに、洗浄サイクルにおいて、ギアモータがその元の位置に機
構を戻したとき、ハンドル１９０２は、標準的水洗モードで動作することになる。通常水
洗モードにおいて、ハンドル１９０２は、スタッド１９３２４と相互作用する内部リブ１
９１４１を有する。
【０２７６】
ハンドルはまた、図６２に示されているように、作動ギアの中央取り付け部に係合する
ためのねじ雲台１９３２３を有することができる水洗ハンドル軸１９３２２を受け入れる
ための開口１９３２１を有する。スタッド１９３２４は、使用中にハンドルに対してねじ
りばね（又は同様のねじり機構）１９３２５を圧縮する。ナット１９１５５又は同様の締
結機構は、スタッドによるばねの圧縮のためにハンドル１９０２に対してスタッド１３３
２４を固定することができる。
【０２７７】
それゆえに、トイレアセンブリは、実施形態１０のタンク又は図示されている好ましい
タンクと、タンク６０などのタンクの上部に着座しているように構成された上面１９３０
６を有する上述の変更された蓋１９２９５とを含むことができる。タンク蓋の上面１９３
０６は、容器ハウジング１９１２１及びトレイ１９９４の双方を受け入れるように構成さ
れており、それらが下方に依存するようにトレイ１９９４及び容器ハウジング１９１２１
を受け入れるように構成された凹部開口１９３０７を含む。蓋１９２９５は、好ましくは
、ロック機構１９１６４（実施形態１０と同様）を有する。実施形態１９００に図示され
ているように、蓋は、少なくとも１つの開口１９１７８を有し、本願明細書に図示されて
いるように、少なくとも２つのそのような開口を有する。ロックを受け入れるためにトレ
イ１９９４を介して且つトレイ拡張部１９３１０を介して同様の開口１９３０９が設けら
れている。容器ハウジング１９１２１に追加のロック開口１９３１１も設けられている。
ロック機構（１つ以上）における部品又はロックの数は、蓋が安定していることを条件と
して変えることができる。そのようなロック機構は任意選択であるが、安全及び安全保障
並びにギア及び洗浄システムの円滑な動作のために有利である。開口１９１７８（単数又
は複数）は、蓋１９２９５を通って延在する。それらは、図示されているものなどのロッ
ク機構を受け入れるように成形されサイズ決めされ、さもなければ構成されている（しか
し、開口は、他のより多様な設計を含むように変えることができる）。
【０２７８】
図示された実施形態におけるロック機構（図５７参照）は、本願明細書に図示されてい
るように、少なくとも１つの拡張ファスナ１９３１２、好ましくは少なくとも２つ以上の
そのようなファスナを含むことができ、それぞれは、上述の様々な開口を介して延在する
ためにねじ込み可能又は回転可能なヘッド１９３１２ａと、嵌合ロックフィーチャに係合
するように様々な様式で構成されていてもよい第２のロック端部１９３１２ｂとを有する
。図示されているように、スナップ端部１９３１２ｂは、クイックロック固定内に嵌合す
る。プッシュナット及びワッシャ又は同様のフィーチャを有するスナップワッシャアセン
ブリ１９３１４が設けられてもよい。圧縮ばね１９３１３は、ファスナ１９３１２を調整
可能にロックするために設けられることができる。そして、そのようなロックフィーチャ
は、実施形態１０のタンク６０などのトイレタンク内に配置されることができるライナー
１９１６９内の受け入れチューブ１９１６８（単数又は複数）内に嵌合する。他のロック
機構が使用できる（ロッドロック、ロックロッドのねじ端部に係合するように内部のスレ
ッドを有するキャップのねじ、他のスナップフィット係合など）。
【０２７９】
容器ハウジング、トレイ及びタンク蓋は一体化されていることから、それらは、タンク
の内部がアクセスされる必要があるときはいつでもタンクのライナーからアセンブリをア
ンロックした後に１つのアセンブリとしてのメンテナンスのために容易に取り外される。
タンク蓋１９２９５は、トイレ又はそのタンクのような陶磁器であることができ、或いは
、成形複合又は成形熱可塑性又は熱硬化性ポリマーなどのポリマー材料から形成されるこ
とができる。タンクは、蓋１９２９５及び容器ハウジング１９１２１の上に着座した１９
９９などのカバーをさらに有することができ、清潔な外観のためにその上に配置されるこ
とができるが、容器の交換又は補充のための容易なアクセスを依然として提供する。カバ
ー１９９９は、タンク蓋の上に配置されるように成形されサイズ決めされ又はさもなけれ
ば構成されているべきであり、その上にアクチュエータボタン又はタッチパッド制御部も
有することができる制御パネル／電子アセンブリ１９９７をみてアクセスするためにアク
セス開口（又は本願明細書における他の実施形態に記載されたような任意選択のドア）を
有することができる。
【０２８０】
上述のようなライナー１９１６９は、ポリ塩化ビニル又は同様の水安全ポリマー材料な
どの様々な材料から形成されることができる。ライナーとタンクとの間における小さなエ
アギャップが結露防止特性を提供するために使用されることができる。ライナーはまた、
図示されているようにチューブを受け入れるロックロッドを形成するために使用されるこ
とができる。漏斗１９１６６又は同様のガイドフィーチャはまた、好ましくは、便器に入
る前に水洗水と組み合わせるために容器から直接下流の流れ内に洗浄剤の流れを案内する
又は導くために設けられる。図示されているように、それは、供給管及び／又はオーバー
フロー管１９２４９内に水を導くことになる。
【０２８１】
上述のようなリフトアームは、好ましくは、水洗弁１９８０に動作可能に接続しており
、また、直接的又は間接的なリンクを介して上述のもののような噴射弁に接続されていて
もよく、リンクは調整可能であることができる。リフトアームはまた、好ましくは、水洗
ハンドル１９０２と動作可能に接続しており、水洗ハンドル及びリフトアーム１９２８６
はまた、通常の水洗サイクル中に水洗弁を動作させるように上述のように接続されていて
もよい。リフトアームアクチュエータアセンブリはまた、リフトアームアクチュエータギ
アモータ及び少なくとも１つのギアの動作によってハンドルなしで水洗弁を動作させるよ
うに配置される。それゆえに、洗浄サイクル中において、ユーザは、洗浄に従事するよう
にアクチュエータボタン又はタッチパッド又は他のアクチュエータフィーチャ１９０４（
本願明細書においてボタンとして図示されている）を使用する必要があるのみであり、ハ
ンドルの動作をみることもなくなり水洗ハンドルを押下する必要もなくなる。洗浄サイク
ルが終わり水洗ハンドルが作動されると、トイレは通常の洗浄に戻る。
【０２８２】
図６８及び図６９に示されているように、ボタンアクチュエータフィーチャ１９０４は
、受けリング１９３１５上に着座していてもよい。押下時に、トレイ１９９４の上に配置
されたパネル１９９７の下部にボタン接触がなされる。Ａｒｄｕｉｎｏアセンブリ１３３
１６は、制御システム１９０００（本願明細書における任意の実施形態における任意の制
御システムと同じであることができる）を作動させるための受け接触機構１９３１７を有
する。そして、制御システムは、リフトアームアセンブリ１９２８５のためのギアモータ
１９１４８のタイミングを作動させ、また、容器１９０６として図示されている容器内か
らの洗浄剤の放出のタイミングを調整する。
【０２８３】
さらに、図７０〜７３を参照しながらみることができる本願明細書における便器用の洗
浄システムを有する本発明のさらなる実施形態５００が提供される。本実施形態５００は
、リフトアームアクチュエータアセンブリ５１４０の形態の代替の水洗弁動作機構５８２
を提供する。リフトアームアクチュエータアセンブリは、標準的な動作について水洗弁を
開放するための回動ロッド又は他の水洗リフト機構によって単純に機能するように水洗ア
クチュエータハンドル５０２が第１の標準モードで動作する、或いは第２の洗浄サイクル
モードで動作するのを可能とするフィーチャによってなされた水洗アクチュエータハンド
ル５０２に適合されている。図７３の分解背面斜視図からわかるように、水洗アクチュエ
ータハンドル５０２は、スタッド５１４３内に配置されたトリップレバー停止フィーチャ
５１４２によって機能するアクチュエータハンドル５０２の内側においてリブ５１４１な
どのフィーチャを有するようになされている点でトリップレバーとしても動作することが
できる。第２の標準モードにある場合、毎日の水洗のために、トリップレバー停止部５１
４２は、通常水洗位置においてアセンブリ５１４０の他の稼働中の機構を保持するために
トリップレバーとして作用する水洗アクチュエータハンドル５０２におけるリブ５１４１
に係合する。そのような状況において、リフトアーム５１４４は、必要に応じて双方の弁
を動作させるために、標準的な水洗機構（本願明細書の他の箇所に記載されているような
水洗起動バー又はリンクアセンブリなど）に接続される及び／又は係合することができる
。
【０２８４】
第２の洗浄サイクルモードにある場合、機構は、リム水洗弁（実施形態１０に図示され
た弁８０など）を持ち上げることになる。そうするために、リフトアーム５１４４の延在
するシャフト部５１４５は、リフトアーム５１４４の延在するシャフト部の端部５１４６
がトリップレバー停止部５１４２における嵌合開口５１４７に係合するように、アセンブ
リ５１４０を通過する。洗浄サイクル中において、コントローラ５００００（上述の実施
形態、例えば１０、２００、３００、７００、８００、９００、１２００、１３００、１
４００、１５００及び１９００のコントローラと同様にプログラミングされることができ
る）は、リフトアームアクチュエータアセンブリ５１４０に配置されたギアモータ５１４
８に係合する。それゆえに、アクチュエータアセンブリギアモータ５１４８は、好ましく
は、コントローラと電子通信する。図示されているように、ギアモータ５１４８は、取り
付けブラケット５１４９に配置される。ブラケットは、ピニオンギア５１５１のベースを
着座させるための凹部５１４９ａを有する。ピニオンギアベース５１５１ａは、アクチュ
エータアセンブリギアモータ５１４８のギアステム５１５０を受け入れるように構成され
たピニオンギア５１５１の反対側に凹部５１５１ｂを有する。それゆえに、コントローラ
がギアモータを起動すると、ステム５１５０は、移動しピニオンギア５１５１を回転させ
る。ピニオンギアは、アクチュエータギア５１５２の歯５１５２ａに係合するように構成
された歯５１５１ｃを有する。
【０２８５】
アクチュエータギア５１５２が回転すると、それは取り付けブラケット５１４９上のリ
ミットスイッチ５１５３の間を移動する。アクチュエータ及びピニオンギアから取り付け
ブラケットの反対側に延在する回転可能な取り付けステム５１５４は中空であり、リフト
アーム５１４４の延在するシャフト部５１４５をステム５１５４における通路５１５４ｂ
内で受け入れるように構成された内部表面５１５４ａを有する。取り付けブラケットステ
ム５１５４の外面５１５４ｃは、スタッド５１４３の拡張部５１４３ａ内に嵌合するよう
に構成されている。より具体的には、取り付けブラケットステム５１５４は、スタッド５
１４３の拡張部５１４３ａの内部表面５１４３ｆによって画定された通路５１４３ｅ内に
嵌合する。スタッドの外面５１４３ｂは、スタッドの拡張部が取り付けブラケットの取り
付けステムの周りに安定的に嵌合するように、取り付けブラケットをスタッドに確実に保
持できるナット５１５５又は他のファスナ装置に係合するように任意選択のスレッド５１
４３ｃ又は他の同様のフィーチャを有することができる。
【０２８６】
図示されているように、中を通る通路５１５５ｂ又は孔を画定する内部表面５１５５ａ
を有するナット５１５５が設けられている。内部表面５１５５ａは、スタッド５１４３の
外部スレッド５１４３ｃに係合することができる嵌合スレッド５１５５ｃを有することが
できる。他のロック、スナップフィットフィーチャ又はインターロック嵌合フィーチャは
、これらのフィーチャを一緒に保持するために使用されることができる。六角形面５１５
５ｄなどの任意選択の締め付けフィーチャが、それを適所に締め付けのためにナットに設
けられてもよい。図７０及び図７２に示されているように組み立てられると、取り付けブ
ラケット５１４９の取り付けステム５１５４がスタッド５１４３の拡張部５１４３ａの通
路５１４３ｆ内に回転可能に存在するように、ナットは、取り付けブラケットに向かって
スタッドを締め付ける。取り付けステム５１５４及びスタッド５１４３の拡張部５１４３
ａのそれぞれは、それぞれ、位置合わせ及び動作のための部品を配置するために停止フィ
ーチャ５１５４ｄ、５１４３ｄを有する。
【０２８７】
拡張部５１４３ａの反対側のスタッド５１４３の部分において、スタッドは、着座して
おり且つ回転可能である様式でトリップレバー停止部５１４２を受け入れるように構成さ
れた凹部５１４３ｈにおいてより広い開口５１４３ｇを含む。より広い開口５１４３ｇは
、スタッド５１４３の拡張部５１４３ａを介して通路５１４３ｆと連通する。リフトアー
ム５１４４の拡張部５１４５がスタッド５１４３の拡張部５１４３ａの通路５１４３ｆ内
に着座した取り付けステムの通路５１５４ａを通過することから、リフトアーム５１４４
の拡張部５１４５の端部５１４６は、トリップレバー停止部５１４２における開口５１４
７内に嵌合しそれに係合する。凹部はまた、凹部に面するトリップレバー停止部５１４２
の側において嵌合係合フィーチャ５１５６に接触する係合停止フィーチャ５１４３ｉを含
む。
【０２８８】
水洗アクチュエータハンドル５０２の内部に面するトリップレバー停止部５１４２の表
面は、その外側に延在する部分５１５８において追加の又は第２の係合フィーチャ５１５
７を有する。外側に延在する部分５１５８はまた、トリップレバー停止部５１４２に水洗
アクチュエータハンドル５０２を接続するために、ねじ５１６０用の任意選択の受け入れ
孔５１５９及びワッシャ５１６１又は他のファスナを有する。洗浄サイクルが起動された
ときに張力を維持するためにトリップレバー戻しばねであるばね機構５１６２もまた設け
られてもよい。
【０２８９】
動作時において、コントローラは、ピニオンギア５１５１を動作させるステム５１５０
を有するギアモータ５１４８を起動する。ピニオンギア５１５１は、アクチュエータギア
５１５２に係合しそれを移動させる。アクチュエータギア凹部５１６３は、回転可能な取
り付けステム５１５４の背面に係合するように構成されている。ギアがステムを回転させ
ると、スタッド５１４３の凹部５１４３ｈ内でトリップレバー停止部５１４２を移動させ
るステムは、トリップレバー停止部が位置内に移動することを可能にし、トリップレバー
戻りばねは、ギアモータがトリップレバー停止部を回転させている間にハンドルが定常状
態のままであるように、凹部フィーチャ５１６４を有する水洗アクチュエータハンドル５
０２において張力を維持する。取り付けステムが回転すると、リフトアーム５１４４の拡
張部５１４５もまた回転し、カバーを制御可能に持ち上げ洗浄サイクルのために水洗弁を
開放するようにリム水洗弁と直接接続して又は接続若しくはリンク機構を介して動作させ
ることができる。コントローラがギアモータをオフにすると、作用が停止し、ばね作用に
よって又はより好ましくはギアモータの制御された動作によって反転されることができる
。
【０２９０】
洗浄サイクルが終わった後、アクチュエータアセンブリは、標準的水洗モードで再度動
作し、フィーチャ５１４１を有する水洗アクチュエータハンドルは、直接的に又は他の水
洗リフト機構（水洗起動バーなど）を介して所望の様式でリム及び噴射水洗弁の双方を開
放することができるリフトアーム５１４４の拡張部５１４５に単純に手動で係合するよう
にトリップレバー停止部を移動させる。他の全ての点において、実施形態５００は、本願
明細書における他の実施形態の他の様々な弁及びトイレアセンブリとともに使用すること
ができる。
【０２９１】
洗浄システムを有するトイレを定期的に洗浄するための方法が本願明細書において提供
され、方法は、上述のような洗浄システム１０、２００、３００、４００、５００、７０
０、８００、９００、１２００、１３００、１４００、１５００及び１９００のいずれか
によって実施することができる。それはまた、実施形態１６００、１７００及び１８００
による変更を有して使用できる。簡潔にするために、実施形態１０に関して記載されるが
、全てのステップは、本発明の範囲の精神から逸脱することなく実施形態２００、３００
、４００、５００、７００、８００、１２００、１３００、１４００、１５００及び１９
００について上述された付加情報に応じて実施することができる。方法は、内部領域３６
を画定する便器３０と、タンク内部１１９を画定するトイレタンク６０と、水洗弁８０と
、リム入口ポート２８とを有するトイレアセンブリ１０における便器３０用の洗浄システ
ム１００を提供することを含む。これらのフィーチャは、さらに詳細に上記されている。
水洗弁８０は、便器３０のリム入口ポート２８に流体を供給するように構成されたもので
ある。使用される水洗弁の種類、便器及びタンクの形状、並びにリム入口は、多種多様の
トイレアセンブリを含むように変えることができる。
【０２９２】
制御システムは、洗浄サイクルを開始するようにアクチュエータフィーチャ４によって
起動される。そして、流量制御装置６６ａ、例えば図示された機械弁９１又は液体供給弁
１２０は、供給管から、上述のように閉位置であるときの水洗弁８０の水洗弁本体１０４
の内部空間１０３へと液体洗浄剤の投与量を供給するのに十分な第１の期間に動作され開
放される。
【０２９３】
そして、水洗弁は、上述のように第２の期間にわたって少なくとも約３リットルの水洗
水によって運ばれた液体洗浄剤の投与量を導入するように水洗弁８０のフラッパ１０５を
持ち上げることによって弁を開放するように水洗弁動作機構を使用して動作される。実施
形態１０、４００、５００又は１９００のものなどの機構が使用できる。
【０２９４】
水洗弁８０は、好ましくは、液体洗浄剤の投与量を供給した後に少なくとも部分的に閉
じるように動作される。流量制御装置６６ａ及び水洗弁動作機構は、上述のようにその中
でプログラミングされた制御システム及びタイミングによって動作される。
【０２９５】
そして、水洗弁は、洗浄サイクルの終了に新たな水洗水によって便器の内部をパージす
るために少なくとも約３リットルを導入するために第３の期間（洗浄保持期間）後に再開
放するように任意選択で動作されることができる。少なくとも約０．５リットルの追加の
水洗水はまた、必要に応じて調整された導入のタイミングで噴射水洗弁７０を介して導入
されることができる。
【０２９６】
その広範な発明概念から逸脱することなく、変更が上述の実施形態になされ得ることが
当業者には理解されよう。したがって、本発明は、開示された特定の実施形態に限定され
るものではなく、添付の特許請求の範囲によって定義されている本発明の精神及び範囲内
の変更を包含することが意図されることが理解される。
【図１】
2020079551.tif 000003
【図２】
2020079551.tif 000004
【図３】
2020079551.tif 000005
【図３Ａ】
2020079551.tif 000006
【図４】
2020079551.tif 000007
【図５】
2020079551.tif 000008
【図６】
2020079551.tif 000009
【図７】
2020079551.tif 000010
【図８】
2020079551.tif 000011
【図９】
2020079551.tif 000012
【図１０】
2020079551.tif 000013
【図１１】
2020079551.tif 000014
【図１２】
2020079551.tif 000015
【図１３】
2020079551.tif 000016
【図１４】
2020079551.tif 000017
【図１５】
2020079551.tif 000018
【図１６】
2020079551.tif 000019
【図１７】
2020079551.tif 000020
【図１８】
2020079551.tif 000021
【図１９】
2020079551.tif 000022
【図２０】
2020079551.tif 000023
【図２１】
2020079551.tif 000024
【図２２】
2020079551.tif 000025
【図２３】
2020079551.tif 000026
【図２４】
2020079551.tif 000027
【図２５】
2020079551.tif 000028
【図２６】
2020079551.tif 000029
【図２７】
2020079551.tif 000030
【図２８】
2020079551.tif 000031
【図２９】
2020079551.tif 000032
【図２９Ａ】
2020079551.tif 000033
【図２９Ｂ】
2020079551.tif 000034
【図３０】
2020079551.tif 000035
【図３１】
2020079551.tif 000036
【図３２】
2020079551.tif 000037
【図３３】
2020079551.tif 000038
【図３４】
2020079551.tif 000039
【図３５】
2020079551.tif 000040
【図３６】
2020079551.tif 000041
【図３７】
2020079551.tif 000042
【図３８】
2020079551.tif 000043
【図３９】
2020079551.tif 000044
【図４０】
2020079551.tif 000045
【図４１】
2020079551.tif 000046
【図４２】
2020079551.tif 000047
【図４３】
2020079551.tif 000048
【図４４】
2020079551.tif 000049
【図４５】
2020079551.tif 000050
【図４６】
2020079551.tif 000051
【図４７】
2020079551.tif 000052
【図４８】
2020079551.tif 000053
【図４９】
2020079551.tif 000054
【図５０】
2020079551.tif 000055
【図５１】
2020079551.tif 000056
【図５２】
2020079551.tif 000057
【図５３】
2020079551.tif 000058
【図５４】
2020079551.tif 000059
【図５５】
2020079551.tif 000060
【図５６】
2020079551.tif 000061
【図５７】
2020079551.tif 000062
【図５８】
2020079551.tif 000063
【図５９】
2020079551.tif 000064
【図６０】
2020079551.tif 000065
【図６１】
2020079551.tif 000066
【図６２】
2020079551.tif 000067
【図６３】
2020079551.tif 000068
【図６４】
2020079551.tif 000069
【図６５】
2020079551.tif 000070
【図６６】
2020079551.tif 000071
【図６７】
2020079551.tif 000072
【図６８】
2020079551.tif 000073
【図６９】
2020079551.tif 000074
【図７０】
2020079551.tif 000075
【図７１】
2020079551.tif 000076
【図７２】
2020079551.tif 000077
【図７３】
2020079551.tif 000078
【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
洗浄システムを有するトイレアセンブリであって、
（ａ）トイレアセンブリは、
内部空間を画定する便器と、
タンク内部を画定するトイレタンクと、
水洗弁と、
前記水洗弁の出口から少なくとも１つのリム出口ポートまで延在するリム流路を介して前記便器の前記内部空間と流体連通するリムとを備え、前記水洗弁が前記少なくとも１つのリム出口ポートに流体を供給するように構成されており、
前記水洗弁が水洗作動モードで動作するように構成されており、前記水洗弁が、前記トイレアセンブリが水洗サイフォンを開始するのに十分な水洗水の流れを提供する又はウォッシュダウン水洗を提供して、洗浄作動モードで動作することが可能であり、前記水洗弁が、サイフォンを開始するには不十分であるが前記便器を洗浄するためには十分である洗浄剤及び水洗水の混合物の前記便器への導入を可能とするために部分的にのみ開放され、
（ｂ）前記トイレアセンブリの前記水洗作動モードと独立して動作する前記洗浄作動モードを有する前記洗浄システムであって、
前記洗浄システムは、
内部空間を画定する容器本体を有し且つ前記容器本体の前記内部空間と流体連通する出口ポートを有する液体洗浄剤を保持するための容器と、
前記容器を受け入れるように構成されたハウジングと、
前記容器の前記内部空間と流体連通し且つ前記容器内から流体を受け入れるための第１の端部を有する供給管と、
前記供給管を通る流れを制御可能な流量制御装置と、
アクチュエータフィーチャによって起動可能な制御システムとを備え、前記アクチュエータフィーチャの起動時に、前記制御システムが、
前記容器から１つ以上のリム出口へと前記液体洗浄剤の投与量を供給するのに十分な第１の期間に前記流量制御装置を動作させること、及び
サイフォンを開始するには不十分であるが前記便器を洗浄するには十分な流量で、前記便器内に前記少なくとも１つのリム出口ポートを介して前記液体洗浄剤の前記投与量を運ぶために水洗水を導入するために前記水洗弁を開放するように前記洗浄作動モードで前記水洗弁を動作させること
によって洗浄サイクルを開始するようになされている、トイレアセンブリ。
【請求項２】
前記水洗弁が、通常水洗モード中に前記水洗弁を通る流量よりも前記洗浄作動モードで約２０％から約８０％遅い流量で水洗水を導入する、請求項１に記載のトイレアセンブリ。
【請求項３】
前記水洗弁が、前記通常水洗モード中に前記水洗弁を通る前記流量よりも前記洗浄作動モードで約４０％から約６０％遅い流量で水洗水を導入する、請求項２に記載のトイレアセンブリ。
【請求項４】
前記水洗水が約２秒から約３０秒の期間にわたって水洗作動モードで前記弁に入る、請求項２に記載のトイレアセンブリ。
【請求項５】
水洗水及び洗浄剤が前記便器内に導入され、前記便器を洗浄するための約３０秒から約３０分の滞留時間を有する、請求項４に記載のトイレアセンブリ。
【請求項６】
前記便器が、直接供給噴射サイフォン重力動力便器、非噴射サイフォン重力動力便器、リム噴射サイフォン重力動力便器、重力動力ウォッシュダウン便器のいずれかである、請求項１に記載のトイレアセンブリ。
【請求項７】
前記水洗弁が、前記洗浄作動モード中に前記水洗弁を開放するのに使用するための弁カバーにおけるポペットフィーチャを有するフラッパ型水洗弁であるか、前記洗浄作動モード中に前記水洗弁を開放するのに使用するためのフック及びキャッチフィーチャを有するフラッパ型水洗弁である、請求項１に記載のトイレアセンブリ。
【請求項８】
前記水洗弁がポペット型水洗弁であり、ポペット型弁カバーが通常水洗モードで前記水洗弁を開放し、前記水洗弁が前記洗浄作動モード中に前記水洗弁を開放するのに使用するためのカバーをその上に有するサイドポートを有する、請求項１に記載のトイレアセンブリ。
【請求項９】
前記洗浄システムは、前記水洗弁のアクチュエータリフトアームの拡張部に係合するように構成されたハウジングをさらに備える、請求項１に記載のトイレアセンブリ。
【請求項１０】
前記洗浄システムはギアモータをさらに備え、前記水洗作動モードでは前記ギアモータは動作せず、前記洗浄作動モードでは前記ギアモータは動作する、請求項１に記載のトイレアセンブリ。
【請求項１１】
洗浄システムを有するトイレアセンブリであって、
（ａ）トイレアセンブリは、
内部空間を画定する便器と、
タンク内部を画定するトイレタンクと、
水洗弁と、
リム入口ポートと、
前記便器の前記リム入口ポートに流体を供給するように構成された前記水洗弁の出口から前記リム入口ポートまで延在する分離されたリム流路と、を備え、
前記トイレアセンブリは、通常水洗モード中に前記便器に流体を供給するように動作するように構成されており、
（ｂ）洗浄システムは、
内部空間を画定する本体を有し且つ容器の前記内部空間と流体連通する出口ポートを有する液体洗浄剤を保持するための容器と、
前記容器を受け入れるように構成されたハウジングと、
前記容器の前記内部空間と流体連通し且つ前記容器内から流体を受け入れるための第１の端部を有する供給管と、
前記供給管を通る流れを制御可能な流量制御装置と、
アクチュエータフィーチャによって起動可能な制御システムとを備え、前記アクチュエータフィーチャの起動時に、前記制御システムが、
前記供給管から、閉位置における前記水洗弁であって前記リム入口ポートへの流体の供給のために構成された前記水洗弁の内部空間へと液体洗浄剤の投与量を供給するのに十分な第１の期間に前記流量制御装置を動作させること、
前記便器内に前記リム入口ポートを介して液体洗浄剤の前記投与量を運ぶために水洗水を導入するために前記水洗弁を開放するように前記水洗弁を動作させること、及び、
第２の期間にわたって前記液体洗浄剤の前記投与量及び水洗水を供給するように前記水洗弁を動作させること、
によって洗浄作動モードを開始するようになされており、
前記トイレアセンブリは、前記洗浄作動モードで動作するように構成され、前記洗浄作動モードは、前記通常水洗モードとは独立して動作するように構成されている、トイレアセンブリ。
【請求項１２】
前記制御システムが、前記リム入口ポートを介して前記便器内へと液体洗浄剤の前記投与量及び水洗水を供給した後に、前記水洗弁を少なくとも部分的に閉じるように動作する、請求項１１に記載のトイレアセンブリ。
【請求項１３】
前記流量制御装置を動作させるために前記制御システムによって起動可能なギアモータをさらに備える、請求項１１に記載のトイレアセンブリ。
【請求項１４】
リフトアームアクチュエータギアモータによって駆動される少なくとも１つのギアを含むリフトアームアクチュエータアセンブリをさらに備え、前記少なくとも１つのギアが、リフトアームを移動させて前記水洗弁を制御可能に開放するために前記リフトアームに係合可能であり、前記リフトアームが、直接的又は間接的なリンクを介して前記水洗弁に動作可能に接続している、請求項１１に記載のトイレアセンブリ。
【請求項１５】
前記リフトアームが水洗ハンドルと動作可能に接続しており、前記水洗ハンドル及び前記リフトアームが、前記水洗ハンドルが押されたときに前記通常水洗モード中に前記水洗弁を動作させるように接続されており、前記リフトアームアクチュエータアセンブリが、前記リフトアームアクチュエータギアモータ及び前記少なくとも１つのギアの動作によって前記水洗ハンドルを押すことなく前記洗浄作動モード中に前記水洗弁を動作させるように配置されている、請求項１４に記載のトイレアセンブリ。
【請求項１６】
前記アクチュエータフィーチャに応じて前記水洗弁を制御可能に開放するための水洗弁動作機構をさらに備える、請求項１１に記載のトイレアセンブリ。
【請求項１７】
前記水洗弁動作機構が、前記水洗弁の弁本体の周りに着座したフラッパリフト機構に接続されたリンクと連通するリフトロッドを備え、前記リフトロッドがギアモータによって機械的に駆動され、前記ギアモータが接触時に前記リフトロッドを移動させるためのカム機構によって機械的に動作する、請求項１６に記載のトイレアセンブリ。
【請求項１８】
前記水洗弁動作機構が、リフトアームアクチュエータギアモータによって駆動される少なくとも１つのギアを備えるリフトアームアクチュエータアセンブリを備え、前記リフトアームアクチュエータアセンブリの前記少なくとも１つのギアが、リフトアームが前記水洗弁を制御可能に開放することができるように前記リフトアームアクチュエータアセンブリにおける前記リフトアームの一部を移動させるように前記リフトアームアクチュエータアセンブリに係合可能であり、前記リフトアームが、直接的又は間接的なリンクを介して前記水洗弁に動作可能に接続している、請求項１６に記載のトイレアセンブリ。
【請求項１９】
前記制御システムが、液体洗浄剤の前記投与量と前記水洗水を供給した後に前記水洗弁を少なくとも部分的に閉じるように、且つ前記洗浄作動モードの終了において新たな水洗水によって便器の内部をパージするために第３の期間の後に前記水洗弁を再度開放するようにさらになされている、請求項１１に記載のトイレアセンブリ。
【請求項２０】
前記トイレアセンブリが、直接供給噴射部をさらに含み、前記水洗弁がリム水洗弁であり、前記トイレアセンブリが、前記トイレアセンブリにおいて前記直接供給噴射部に水洗水を導入するように動作可能な噴射水洗弁である第２の水洗弁をさらに備える、請求項１１に記載のトイレアセンブリ。
【請求項２１】
前記リム水洗弁用の流体経路及び前記噴射水洗弁が互いに分離されており、前記噴射水洗弁が水洗サイクルの前後において準備状態のままである、請求項２０に記載のトイレアセンブリ。
【請求項２２】
リフトアームをさらに備え、前記リフトアームは、前記通常水洗モード中に直接的に前記水洗弁を駆動させるとともに、前記洗浄作動モードでリンクを介して前記水洗弁を動作させるように構成されている、請求項１１に記載のトイレアセンブリ。
【請求項２３】
リフトアームをさらに備え、前記水洗弁はリム水洗弁を備え、前記洗浄作動モード中に、前記リフトアームは、噴射水洗弁を開放することなしに前記リム水洗弁を開放する位置に移動するように構成される、請求項１１に記載のトイレアセンブリ。
【請求項２４】
前記通常水洗モードは水洗モードアセンブリによって駆動され、前記洗浄作動モードは洗浄モードアセンブリによって駆動され、前記水洗モードアセンブリは前記洗浄モードアセンブリと独立して動作するように構成される、請求項１１に記載のトイレアセンブリ。 
【外国語明細書】
2020079551000001.pdf
2020079551000002.pdf
2020079551000003.pdf
2020079551000004.pdf